(57)【要約】無線通信システムにおけるチャンネル状態情報送受信方法及びそのための装置が開示される。具体的に、無線通信システムにおける端末がチャンネル状態情報（ＣＳＩ）を転送する方法において、基地局からビームフォーミングされたＣＳＩ−ＲＳタイプの１より大きいＫ個のＣＳＩ−ＲＳ資源と関連した第１チャンネル状態情報−参照信号（ＣＳＩ−ＲＳ）構成とビームフォーミングされたＣＳＩ−ＲＳタイプの１つのＣＳＩ−ＲＳ資源と関連した第２のＣＳＩ−ＲＳ構成を含む単一のＣＳＩプロセスに対する設定情報を受信するステップ、Ｋ個のＣＳＩ−ＲＳ資源のうちから選択されたＣＳＩ−ＲＳ資源を指示する指示子を基地局に報告するステップ、及び１つのＣＳＩ−ＲＳ資源に基づいて導出されたチャンネル品質指示子（ＣＱＩ）／プリコーディング行列指示子（ＰＭＩ）／ランク指示子（ＲＩ）を基地局に報告するステップを含むことができる。
2018528698.tif 000002
【特許請求の範囲】
【請求項１】
無線通信システムにおける端末がチャンネル状態情報（ＣＳＩ：Ｃｈａｎｎｅｌ  Ｓｔａｔｅ  Ｉｎｆｏｒｍａｔｉｏｎ）を転送する方法であって、
基地局からビームフォーミングされた（ｂｅａｍｆｏｒｍｅｄ）ＣＳＩ−ＲＳタイプの１より大きいＫ個のＣＳＩ−ＲＳ資源と関連した第１チャンネル状態情報−参照信号（ＣＳＩ−ＲＳ：ＣＳＩ−ｒｅｆｅｒｅｎｃｅ  Ｓｉｇｎａｌ）構成とビームフォーミングされた（ｂｅａｍｆｏｒｍｅｄ）ＣＳＩ−ＲＳタイプの１つのＣＳＩ−ＲＳ資源と関連した第２のＣＳＩ−ＲＳ構成を含む単一のＣＳＩプロセスに対する設定情報を受信するステップと、
前記Ｋ個のＣＳＩ−ＲＳ資源のうちから選択されたＣＳＩ−ＲＳ資源を指示する指示子を前記基地局に報告するステップと、
前記１つのＣＳＩ−ＲＳ資源に基づいて導出されたチャンネル品質指示子（ＣＱＩ：Ｃｈａｎｎｅｌ  Ｑｕａｌｉｔｙ  Ｉｎｄｉｃａｔｏｒ）／プリコーディング行列指示子（ＰＭＩ：Ｐｒｅｃｏｄｉｎｇ  Ｍａｔｒｉｘ  Ｉｎｄｉｃａｔｏｒ）／ランク指示子（ＲＩ：Ｒａｎｋ  Ｉｎｄｉｃａｔｏｒ）を前記基地局に報告するステップと、
を含む、チャンネル状態情報転送方法。
【請求項２】
前記１つのＣＳＩ−ＲＳ資源は、前記Ｋ個のＣＳＩ−ＲＳ資源のうち、最下位または最上位インデックスが与えられたＣＳＩ−ＲＳ資源に定まる、請求項１に記載のチャンネル状態情報転送方法。
【請求項３】
前記ＣＱＩ／ＰＭＩ／ＲＩは、前記第１のＣＳＩ−ＲＳ構成と独立的に計算される、請求項１に記載のチャンネル状態情報転送方法。
【請求項４】
非周期的ＣＳＩ報告がトリガー（ｔｒｉｇｇｅｒ）されれば、前記指示子と前記ＣＱＩ／ＰＭＩ／ＲＩが共に前記基地局に報告される、請求項１に記載のチャンネル状態情報転送方法。
【請求項５】
非周期的ＣＳＩ報告がトリガー（ｔｒｉｇｇｅｒ）されれば、前記指示子及び前記ＣＱＩ／ＰＭＩ／ＲＩのうち、いずれか１つのみが前記基地局に報告される、請求項１に記載のチャンネル状態情報転送方法。
【請求項６】
前記非周期的ＣＳＩ報告がトリガー（ｔｒｉｇｇｅｒ）される時、前記指示子及び前記ＣＱＩ／ＰＭＩ／ＲＩのうちのどれが報告されるべきか指示される、請求項５に記載のチャンネル状態情報転送方法。
【請求項７】
周期的ＣＳＩ報告の場合、指示子報告時点で前記指示子が報告され、前記指示子報告時点の以外のＣＳＩ報告時点で前記ＣＱＩ／ＰＭＩ／ＲＩが報告される、請求項１に記載のチャンネル状態情報転送方法。
【請求項８】
前記第１のＣＳＩ−ＲＳ構成と前記第２のＣＳＩ−ＲＳ構成に個別的に測定制限（ｍｅａｓｕｒｅｍｅｎｔ  ｒｅｓｔｒｉｃｔｉｏｎ）が適用される、請求項１に記載のチャンネル状態情報転送方法。
【請求項９】
前記第１のＣＳＩ−ＲＳ構成と前記第２のＣＳＩ−ＲＳ構成に共通的に測定制限（ｍｅａｓｕｒｅｍｅｎｔ  ｒｅｓｔｒｉｃｔｉｏｎ）が適用される、請求項１に記載のチャンネル状態情報転送方法。
【請求項１０】
無線通信システムにおけるチャンネル状態情報（ＣＳＩ：Ｃｈａｎｎｅｌ  Ｓｔａｔｅ  Ｉｎｆｏｒｍａｔｉｏｎ）を転送する端末であって、
無線信号を送受信するためのＲＦ（Ｒａｄｉｏ  Ｆｒｅｑｕｅｎｃｙ）ユニットと、
前記ＲＦユニットを制御するプロセッサとを含み、
前記プロセッサは基地局からビームフォーミングされた（ｂｅａｍｆｏｒｍｅｄ）ＣＳＩ−ＲＳタイプの１より大きいＫ個のＣＳＩ−ＲＳ資源と関連した第１チャンネル状態情報−参照信号（ＣＳＩ−ＲＳ：ＣＳＩ−Ｒｅｆｅｒｅｎｃｅ  Ｓｉｇｎａｌ）構成とビームフォーミングされた（ｂｅａｍｆｏｒｍｅｄ）ＣＳＩ−ＲＳタイプの１つのＣＳＩ−ＲＳ資源と関連した第２のＣＳＩ−ＲＳ構成を含む単一のＣＳＩプロセスに対する設定情報を受信し、
前記Ｋ個のＣＳＩ−ＲＳ資源のうちから選択されたＣＳＩ−ＲＳ資源を指示する指示子を前記基地局に報告し、
前記１つのＣＳＩ−ＲＳ資源に基づいて導出されたチャンネル品質指示子（ＣＱＩ：Ｃｈａｎｎｅｌ  Ｑｕａｌｉｔｙ  Ｉｎｄｉｃａｔｏｒ）／プリコーディング行列指示子（ＰＭＩ：ｐｒｅｃｏｄｉｎｇ  Ｍａｔｒｉｘ  Ｉｎｄｉｃａｔｏｒ）／ランク指示子（ＲＩ：Ｒａｎｋ  Ｉｎｄｉｃａｔｏｒ）を前記基地局に報告するように構成される、端末。
【発明の詳細な説明】
【技術分野】
【０００１】
本発明は無線通信システムに関し、より詳しくは、チャンネル状態情報（Ｃｈａｎｎｅｌ  Ｓｔａｔｅ  Ｉｎｆｏｒｍａｔｉｏｎ）を送受信するための方法及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率を支援できなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本発明の目的は、チャンネル状態情報（Ｃｈａｎｎｅｌ  Ｓｔａｔｅ  Ｉｎｆｏｒｍａｔｉｏｎ）を送受信するための方法を提案する。
【０００５】
また、本発明の目的は多重アンテナＭＩＭＯ（Ｍｕｌｔｉ  Ｉｎｐｕｔ  Ｍｕｌｔｉ  Ｏｕｔｐｕｔ）システムを支援するために、ハイブリッド（ｈｙｂｒｉｄ）チャンネル状態情報を送受信する方法を提案する。
【０００６】
本発明が達成しようとする技術的課題は以上で言及した技術的課題に制限されず、言及しない更に他の技術的課題は以下の記載から本発明が属する技術分野で通常の知識を有する者に明確に理解されるべきである。
【課題を解決するための手段】
【０００７】
本発明の一態様は、無線通信システムで端末がチャンネル状態情報（ＣＳＩ：Ｃｈａｎｎｅｌ  Ｓｔａｔｅ  Ｉｎｆｏｒｍａｔｉｏｎ）を転送する方法において、基地局からビームフォーミングされた（ｂｅａｍｆｏｒｍｅｄ）ＣＳＩ−ＲＳタイプの１より大きいＫ個のＣＳＩ−ＲＳ資源と関連した第１のチャンネル状態情報−参照信号（ＣＳＩ−ＲＳ：ＣＳＩ−Ｒｅｆｅｒｅｎｃｅ  Ｓｉｇｎａｌ）構成とビームフォーミングされた（ｂｅａｍｆｏｒｍｅｄ）ＣＳＩ−ＲＳタイプの１つのＣＳＩ−ＲＳ資源と関連した第２のＣＳＩ−ＲＳ構成を含む単一のＣＳＩプロセスに対する設定情報を受信するステップ、前記Ｋ個のＣＳＩ−ＲＳ資源のうちから選択されたＣＳＩ−ＲＳ資源を指示する指示子を前記基地局に報告するステップ、及び前記１つのＣＳＩ−ＲＳ資源に基づいて導出されたチャンネル品質指示子（ＣＱＩ：Ｃｈａｎｎｅｌ  Ｑｕａｌｉｔｙ  Ｉｎｄｉｃａｔｏｒ）／プリコーディング行列指示子（ＰＭＩ：Ｐｒｅｃｏｄｉｎｇ  Ｍａｔｒｉｘ  Ｉｎｄｉｃａｔｏｒ）／ランク指示子（ＲＩ：Ｒａｎｋ  Ｉｎｄｉｃａｔｏｒ）を前記基地局に報告するステップを含むことができる。
【０００８】
本発明の他の一態様は、無線通信システムでチャンネル状態情報（ＣＳＩ：Ｃｈａｎｎｅｌ  Ｓｔａｔｅ  Ｉｎｆｏｒｍａｔｉｏｎ）を転送する端末において、無線信号を送受信するためのＲＦ（Ｒａｄｉｏ  Ｆｒｅｑｕｅｎｃｙ）ユニット及び前記ＲＦユニットを制御するプロセッサを含み、前記プロセッサは基地局からビームフォーミングされた（ｂｅａｍｆｏｒｍｅｄ）ＣＳＩ−ＲＳタイプの１より大きいＫ個のＣＳＩ−ＲＳ資源と関連した第１のチャンネル状態情報−参照信号（ＣＳＩ−ＲＳ：ＣＳＩ−Ｒｅｆｅｒｅｎｃｅ  Ｓｉｇｎａｌ）構成とビームフォーミングされた（ｂｅａｍｆｏｒｍｅｄ）ＣＳＩ−ＲＳタイプの１つのＣＳＩ−ＲＳ資源と関連した第２のＣＳＩ−ＲＳ構成を含む単一のＣＳＩプロセスに対する設定情報を受信し、前記Ｋ個のＣＳＩ−ＲＳ資源のうちから選択されたＣＳＩ−ＲＳ資源を指示する指示子を前記基地局に報告し、前記１つのＣＳＩ−ＲＳ資源に基づいて導出されたチャンネル品質指示子（ＣＱＩ：Ｃｈａｎｎｅｌ  Ｑｕａｌｉｔｙ  Ｉｎｄｉｃａｔｏｒ）／プリコーディング行列指示子（ＰＭＩ：Ｐｒｅｃｏｄｉｎｇ  Ｍａｔｒｉｘ  Ｉｎｄｉｃａｔｏｒ）／ランク指示子（ＲＩ：Ｒａｎｋ  Ｉｎｄｉｃａｔｏｒ）を前記基地局に報告するように構成できる。
【０００９】
好ましくは、前記１つのＣＳＩ−ＲＳ資源は前記Ｋ個のＣＳＩ−ＲＳ資源のうち、最下位または最上位インデックスが与えられたＣＳＩ−ＲＳ資源に定まることができる。
【００１０】
好ましくは、前記ＣＱＩ／ＰＭＩ／ＲＩは前記第１のＣＳＩ−ＲＳ構成と独立的に計算できる。
【００１１】
好ましくは、非周期的ＣＳＩ報告がトリガー（ｔｒｉｇｇｅｒ）されれば、前記指示子と前記ＣＱＩ／ＰＭＩ／ＲＩが共に前記基地局に報告できる。
【００１２】
好ましくは、非周期的ＣＳＩ報告がトリガー（ｔｒｉｇｇｅｒ）されれば、前記指示子及び前記ＣＱＩ／ＰＭＩ／ＲＩのうち、いずれか１つのみ前記基地局に報告できる。
【００１３】
好ましくは、前記非周期的ＣＳＩ報告がトリガー（ｔｒｉｇｇｅｒ）される時、前記指示子及び前記ＣＱＩ／ＰＭＩ／ＲＩのうち、どれが報告されるべきか指示できる。
【００１４】
好ましくは、周期的ＣＳＩ報告の場合、指示子報告時点で前記指示子が報告され、前記指示子報告時点の以外のＣＳＩ報告時点で前記ＣＱＩ／ＰＭＩ／ＲＩが報告できる。
【００１５】
好ましくは、前記第１のＣＳＩ−ＲＳ構成と前記第２のＣＳＩ−ＲＳ構成に個別的に測定制限（ｍｅａｓｕｒｅｍｅｎｔ  ｒｅｓｔｒｉｃｔｉｏｎ）が適用できる。
【００１６】
好ましくは、前記第１のＣＳＩ−ＲＳ構成と前記第２のＣＳＩ−ＲＳ構成に共通的に測定制限（ｍｅａｓｕｒｅｍｅｎｔ  ｒｅｓｔｒｉｃｔｉｏｎ）が適用できる。
【発明の効果】
【００１７】
本発明の実施形態によれば、ハイブリッドチャンネル状態情報を定義することによって、チャンネル状態情報を報告するためのシグナリングオーバーヘッドを減少させることができる。
【００１８】
また、本発明の実施形態によれば、ハイブリッドチャンネル状態情報を定義することによって、端末に一層多いチャンネル状態情報プロセスを設定することができる。
【００１９】
また、本発明の実施形態によれば、ハイブリッドチャンネル状態情報を定義することによって、端末をサービスする転送ポイント（Ｔｒａｎｓｍｉｓｓｉｏｎ  Ｐｏｉｎｔ）の個数を最大化することができる。
【００２０】
本発明で得ることができる効果は以上で言及した効果に制限されず、言及しない更に他の効果は以下の記載から本発明が属する技術分野で通常の知識を有する者に明確に理解されるべきである。
【図面の簡単な説明】
【００２１】
本発明に関する理解を助けるために詳細な説明の一部として含まれる添付図面は、本発明に対する実施形態を提供し、詳細な説明と共に本発明の技術的特徴を説明する。
【００２２】
【図１】本発明が適用できる無線通信システムにおける無線フレームの構造を示す。
【００２３】
【図２】本発明が適用できる無線通信システムにおける１つのダウンリンクスロットに対する資源グリッド（ｒｅｓｏｕｒｃｅ  ｇｒｉｄ）を例示した図である。
【００２４】
【図３】本発明が適用できる無線通信システムにおけるダウンリンクサブフレームの構造を示す。
【００２５】
【図４】本発明が適用できる無線通信システムにおけるアップリンクサブフレームの構造を示す。
【００２６】
【図５】一般的な多重入出力アンテナ（ＭＩＭＯ）通信システムの構成図である。
【００２７】
【図６】多数の送信アンテナから１つの受信アンテナへのチャネルを示す図である。
【００２８】
【図７】本発明が適用できる無線通信システムにおけるダウンリンク資源ブロック対にマッピングされた参照信号パターンを例示する。
【００２９】
【図８】本発明が適用できる無線通信システムにおける参照信号がマッピングされる資源を例示する図である。
【００３０】
【図９】本発明が適用できる無線通信システムにおける６４個のアンテナ要素（ａｎｔｅｎｎａ  ｅｌｅｍｅｎｔｓ）を有する２次元能動アンテナシステムを例示する。
【００３１】
【図１０】本発明が適用できる無線通信システムにおける基地局または端末がＡＡＳ基盤の３Ｄ（３−Ｄｉｍｅｎｓｉｏｎ）ビーム形成可能な多数の送／受信アンテナを有しているシステムを例示する。
【００３２】
【図１１】本発明が適用できる無線通信システムにおける交差偏波（ｃｒｏｓｓ  ｐｏｌａｒｉｚａｔｉｏｎ）を有する２次元アンテナシステムを例示する。
【００３３】
【図１２】本発明が適用できる無線通信システムにおけるトランシーバーユニットモデルを例示する。
【００３４】
【図１３】本発明の一実施形態に係るチャンネル状態情報を送受信する方法を例示する図である。
【００３５】
【図１４】本発明の一実施形態に係る無線通信装置のブロック構成図を例示する。
【発明を実施するための形態】
【００３６】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００３７】
いくつかの場合、本発明の概念が曖昧になることを避けるために、公知の構造及び装置は省略されるか、または各構造及び装置の核心機能を重心にしたブロック図形式で示されることができる。
【００３８】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。すなわち、基地局を含む複数のネットワークノード（ｎｅｔｗｏｒｋ  ｎｏｄｅｓ）からなるネットワークにおいて端末との通信のために行われる多様な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００３９】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００４０】
以下の説明において用いられる特定用語は、本発明の理解に役立つために提供されたものであり、このような特定用語の使用は、本発明の技術的思想から外れない範囲内で他の形態に変更されることができる。
【００４１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により実現化されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術により実現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により実現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００４２】
本発明の実施の形態は、無線接続システムであるＩＥＥＥ  ８０２、３ＧＰＰ及び３ＧＰＰ２のうち、少なくとも１つに開示された標準文書により裏付けられることができる。すなわち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００４３】
説明を明確にするために、３ＧＰＰ  ＬＴＥ／ＬＴＥ−Ａを中心に述べるが、本発明の技術的特徴がこれに制限されることではない。
【００４４】
本発明が適用されることができる無線通信システム一般
【００４５】
図１は、本発明が適用されることができる無線通信システムにおける無線フレームの構造を示す。
【００４６】
３ＧＰＰ  ＬＴＥ／ＬＴＥ−Ａでは、ＦＤＤ（Ｆｒｅｑｕｅｎｃｙ  ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  ｄｉｖｉｓｉｏｎ  Ｄｕｐｌｅｘ）に適用可能なタイプ２の無線フレーム構造を支援する。
【００４７】
図１において、無線フレームの時間領域でのサイズは、Ｔ＿ｓ＝１／（１５０００＊２０４８）の時間単位の倍数で表される。ダウンリンク及びアップリンク送信は、Ｔ＿ｆ＝３０７２００＊Ｔ＿ｓ＝１０ｍｓの区間を有する無線フレームから構成される。
【００４８】
図１の（ａ）は、タイプ１無線フレームの構造を示す。タイプ１無線フレームは、全二重（ｆｕｌｌ  ｄｕｐｌｅｘ）及び半二重（ｈａｌｆ  ｄｕｐｌｅｘ）ＦＤＤに全部適用されることができる。
【００４９】
無線フレーム（ｒａｄｉｏ  ｆｒａｍｅ）は、１０個のサブフレーム（ｓｕｂｆｒａｍｅ）から構成される。１つの無線フレームは、Ｔ＿ｓｌｏｔ＝１５３６０＊Ｔ＿ｓ＝０．５ｍｓ長さの２０個のスロットから構成され、各スロットは、０から１９までのインデックスが付与される。１つのサブフレームは、時間領域（ｔｉｍｅ  ｄｏｍａｉｎ）で連続的な２個のスロット（ｓｌｏｔ）から構成され、サブフレームｉは、スロット２ｉ及びスロット２ｉ＋１から構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームは、長さは１ｍｓで、１つのスロットの長さは、０．５ｍｓでありうる。
【００５０】
ＦＤＤにおいてアップリンク送信及びダウンリンク送信は、周波数ドメインにおいて区分される。全二重ＦＤＤに制限がないことに対し、半二重ＦＤＤ動作における端末は、同時に送信及び受信ができない。
【００５１】
１つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において複数の資源ブロック（ＲＢ：Ｒｅｓｏｕｒｃｅ  Ｂｌｏｃｋ）を含む。３ＧＰＰ  ＬＴＥは、ダウンリンクにおいてＯＦＤＭＡを使用するから、ＯＦＤＭシンボルは、１つのシンボル区間（ｓｙｍｂｏｌ  ｐｅｒｉｏｄ）を表現するためのものである。ＯＦＤＭシンボルは、１つのＳＣ−ＦＤＭＡシンボルまたはシンボル区間ということができる。資源ブロック（ｒｅｓｏｕｒｃｅ  ｂｌｏｃｋ）は、資源割り当て単位で、１つのスロットにおいて複数の連続的な副搬送波（ｓｕｂｃａｒｒｉｅｒ）を含む。
【００５２】
図１の（ｂ）は、タイプ２フレーム構造（ｆｒａｍｅ  ｓｔｒｕｃｔｕｒｅ  ｔｙｐｅ  ２）を示す。
【００５３】
タイプ２無線フレームは、各１５３６００＊Ｔ＿ｓ＝５ｍｓの長さの２個のハーフフレーム（ｈａｌｆ  ｆｒａｍｅ）から構成される。各ハーフフレームは、３０７２０＊Ｔ＿ｓ＝１ｍｓ長さの５個のサブフレームから構成される。
【００５４】
ＴＤＤシステムのタイプ２フレーム構造においてアップリンク−ダウンリンク構成（ｕｐｌｉｎｋ−ｄｏｗｎｌｉｎｋ  ｃｏｎｆｉｇｕｒａｔｉｏｎ）は、すべてのサブフレームに対してアップリンクとダウンリンクが割り当て（または予約）されるかどうかを表す規則である。
【００５５】
表１は、アップリンク−ダウンリンク構成を示す。
【００５６】
【表１】
2018528698.tif 000003
【００５７】
表１を参照すると、無線フレームの各サブフレーム別に、「Ｄ」は、ダウンリンク送信のためのサブフレームを表し、「Ｕ」は、アップリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）３通りのフィールドから構成されるスペシャルサブフレーム（ｓｐｅｃｉａｌ  ｓｕｂｆｒａｍｅ）を表す。
【００５８】
ＤｗＰＴＳは、端末での初期セルサーチ、同期化またはチャネル推定に使用される。ＵｐＰＴＳは、基地局でのチャネル推定と端末のアップリンク送信同期とを合せるのに使用される。ＧＰは、アップリンクとダウンリンクとの間にダウンリンク信号の多重経路の遅延によりアップリンクにおいて生じる干渉を除去するための区間である。
【００５９】
各サブフレームｉは、各Ｔ＿ｓｌｏｔ＝１５３６０＊Ｔ＿ｓ＝０．５ｍｓ長さのスロット２ｉ及びスロット２ｉ＋１から構成される。
【００６０】
アップリンク−ダウンリンク構成は、７通りに区分されることができ、各構成別にダウンリンクサブフレーム、スペシャルサブフレーム、アップリンクサブフレームの位置及び／または数が異なる。
【００６１】
ダウンリンクからアップリンクに変更されるとき点またはアップリンクからダウンリンクに切り替えられる時点を切り替え時点（ｓｗｉｔｃｈｉｎｇ  ｐｏｉｎｔ）という。切り替え時点の周期性（Ｓｗｉｔｃｈ−ｐｏｉｎｔ  ｐｅｒｉｏｄｉｃｉｔｙ）は、アップリンクサブフレームとダウンリンクサブフレームが切り替えられる様相が同様に繰り返される周期を意味し、５ｍｓまたは１０ｍｓが全て支援される。５ｍｓダウンリンク−アップリンク切り替え時点の周期を有する場合には、スペシャルサブフレーム（Ｓ）は、ハーフ−フレーム毎に存在し、５ｍｓダウンリンク−アップリンク切り替え時点の周期を有する場合には、１番目のハーフ−フレームだけに存在する。
【００６２】
すべての構成において、０番、５番サブフレーム及びＤｗＰＴＳは、ダウンリンク送信だけのための区間である。ＵｐＰＴＳ及びサブフレームサブフレームに直ちにつながるサブフレームは、常にアップリンク送信のための区間である。
【００６３】
このような、アップリンク−ダウンリンク構成はシステム情報であって、基地局と端末ともが知っていることができる。基地局は、アップリンク−ダウンリンク構成情報が変わる毎に構成情報のインデックスだけを送信することによって、無線フレームのアップリンク−ダウンリンク割り当て状態の変更を端末に知らせることができる。また、構成情報は、一種のダウンリンク制御情報として他のスケジューリング情報と同様にＰＤＣＣＨ（Ｐｈｙｓｉｃａｌ  Ｄｏｗｎｌｉｎｋ  ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内のすべての端末に共通に送信されることもできる。
【００６４】
表２は、スペシャルサブフレームの構成（ＤｗＰＴＳ／ＧＰ／ＵｐＰＴＳの長さ）を示す。
【００６５】
【表２】
2018528698.tif 000004
【００６６】
図１の例示による無線フレームの構造は、１つの例示に過ぎず、無線フレームに含まれる副搬送波の数またはサブフレームに含まれるスロットの数、スロットに含まれるＯＦＤＭシンボルの数は、多様に変更されることができる。
【００６７】
図２は、本発明が適用されることができる無線通信システムにおける１つのダウンリンクスロットに対する資源グリッド（ｒｅｓｏｕｒｃｅ  ｇｒｉｄ）を示した図である。
【００６８】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００６９】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数Ｎ＾ＤＬは、ダウンリンク送信帯域幅（ｂａｎｄｗｉｄｔｈ）に従属する。
【００７０】
アップリンクスロットの構造は、ダウンリンクスロットの構造と同一でありうる。
【００７１】
図３は、本発明が適用されることができる無線通信システムにおけるダウンリンクサブフレームの構造を示す。
【００７２】
図３に示すように、サブフレーム内の第１番目のスロットにおいて前の最大３個のＯＦＤＭシンボルが制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７３】
ＰＣＦＩＣＨは、サブフレームの第１番目のＯＦＤＭシンボルにおいて送信され、サブフレーム内に制御チャネルの送信のために使用されるＯＦＤＭシンボルの数（すなわち、制御領域のサイズ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００７４】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位階層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００７５】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００７６】
図４は、本発明が適用されることができる無線通信システムにおけるアップリンクサブフレームの構造を示す。
【００７７】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００７８】
１つの端末に対するＰＵＣＣＨには、サブフレーム内に資源ブロック（ＲＢ：Ｒｅｓｏｕｒｃｅ  Ｂｌｏｃｋ）対が割り当てられる。ＲＢ対に属するＲＢは、２個のスロットの各々で互いに異なる副搬送波を占める。これをＰＵＣＣＨに割り当てられたＲＢ対は、スロット境界（ｓｌｏｔ  ｂｏｕｎｄａｒｙ）から周波数跳躍（ｆｒｅｑｕｅｎｃｙ  ｈｏｐｐｉｎｇ）されるという。
【００７９】
ＭＩＭＯ（Ｍｕｌｔｉ−Ｉｎｐｕｔ  Ｍｕｌｔｉ−Ｏｕｔｐｕｔ）
【００８０】
ＭＩＭＯ技術は、いままで一般に一個の送信アンテナと一個の受信アンテナを使用したことから脱皮して、多重送信（Ｔｘ）アンテナと多重受信（Ｒｘ）アンテナを使用する。言い換えれば、ＭＩＭＯ技術は、無線通信システムの送信端または受信端で多重入出力アンテナを使用して用量増大または性能改善を図る技術である。以下、「ＭＩＭＯ」を「多重入出力アンテナ」と称する。
【００８１】
さらに具体的に、多重入出力アンテナ技術は、１つの完全なメッセージ（ｔｏｔａｌ  ｍｅｓｓａｇｅ）を受信するために、一個のアンテナ経路に依存せず、いくつかのアンテナを介して受信した複数のデータ片を収集して完全なデータを完成させる。結果的に、多重入出力アンテナ技術は、特定システム範囲内でデータ送信率を増加させることができ、また特定データ送信率を介してシステム範囲を増加させることができる。
【００８２】
次世代移動通信は、従来の移動通信に比べて、はるかに高いデータ送信率を要求するので、効率的な多重入出力アンテナ技術が必ず必要であると予想される。このような状況でＭＩＭＯ通信技術は、移動通信端末と中継器などに幅広く使用できる次世代移動通信技術であり、データ通信拡大などにより限界状況に応じて他の移動通信の送信量限界を克服できる技術として関心を集めている。
【００８３】
一方、現在研究されている多様な送信効率向上技術のうち、多重入出力アンテナ（ＭＩＭＯ）技術は、追加的な周波数割り当てまたは電力増加がなくても、通信用量及び送受信性能を画期的に向上させることができる方法として、現在最も大きな注目を受けている。
【００８４】
図５は、一般的な多重入出力アンテナ（ＭＩＭＯ）通信システムの構成図である。
【００８５】
図５を参照すると、送信アンテナの数をＮ＿Ｔ個に、受信アンテナの数をＮ＿Ｒ個に同時に増やすようになると、送信機または受信機においてのみ多数のアンテナを使用するようになる場合とは異なり、アンテナ数に比例して理論的なチャネル送信用量が増加するので、送信レート（ｔｒａｎｓｆｅｒ  ｒａｔｅ）を向上させ、周波数効率を画期的に向上させることができる。この場合、チャネル送信用量の増加に応じる送信レートは、１つのアンテナを用いる場合の最大送信レート（Ｒ＿ｏ）に次のようなレート増加率（Ｒ＿ｉ）がかけ算された分だけ理論的に増加できる。
【００８６】
【数１】
2018528698.tif 000005
【００８７】
すなわち、例えば、４個の送信アンテナと４個の受信アンテナを用いるＭＩＭＯ通信システムでは、単一アンテナシステムに比べて理論上４倍の送信レートを獲得できる。
【００８８】
このような多重入出力アンテナの技術は、多様なチャネル経路を通過したシンボルを利用して送信信頼度を高める空間ダイバーシチ（ｓｐａｔｉａｌ  ｄｉｖｅｒｓｉｔｙ）方式と、多数の送信アンテナを利用して多数のデータシンボルを同時に送信して送信率を向上させる空間マルチプレクス（ｓｐａｔｉａｌ  ｍｕｌｔｉｐｌｅｘｉｎｇ）方式とに分けられる。また、このような２種類の方式を適切に結合して、各々の長所を適切に得ようとする方式に対する研究も最近多く研究されている分野である。
【００８９】
各々の方式について、さらに詳細に述べると、以下のとおりである。
【００９０】
第１に、空間ダイバーシチ方式の場合には、時空間ブロック符号系列と、ダイバーシチ利得と符号化利得を同時に用いる時空間トレリス（Ｔｒｅｌｉｓ）符号系列方式がある。一般に、ビットエラー率改善性能と符号生成自由度は、トレリス符号方式が優秀であるが、演算複雑度は、時空間ブロック符号が簡単である。このような空間ダイバーシティ利得は、送信アンテナ数（Ｎ＿Ｔ）と受信アンテナ数（Ｎ＿Ｒ）とのかけ算（Ｎ＿Ｔ×Ｎ＿Ｒ）に該当する量を得ることができる。
【００９１】
第２に、空間マルチプレクス技法は、各送信アンテナで互いに異なるデータ列を送信する方法であって、ことのとき、受信機では、送信機から同時に送信されたデータ間に相互干渉が発生するようになる。受信機では、この干渉を適切な信号処理技法を利用して除去した後に受信する。ここに用いられる雑音除去方式は、ＭＬＤ（ｍａｘｉｍｕｍ  ｌｉｋｅｌｉｈｏｏｄ  ｄｅｔｅｃｔｉｏｎ）受信機、ＺＦ（ｚｅｒｏ−ｆｏｒｃｉｎｇ）受信機、ＭＭＳＥ（ｍｉｎｉｍｕｍ  ｍｅａｎ  ｓｑｕａｒｅ  ｅｒｒｏｒ）受信機、Ｄ−ＢＬＡＳＴ（Ｄｉａｇｏｎａｌ−Ｂｅｌｌ  Ｌａｂｏｒａｔｏｒｉｅｓ  Ｌａｙｅｒｅｄ  Ｓｐａｃｅ−Ｔｉｍｅ）、Ｖ−ＢＬＡＳＴ（Ｖｅｒｔｉｃａｌ−Ｂｅｌｌ  Ｌａｂｏｒａｔｏｒｉｅｓ  Ｌａｙｅｒｅｄ  Ｓｐａｃｅ−Ｔｉｍｅ）などがあり、特に送信端でチャネル情報が分かる場合には、ＳＶＤ（ｓｉｎｇｕｌａｒ  ｖａｌｕｅ  ｄｅｃｏｍｐｏｓｉｔｉｏｎ）方式などを使用することができる。
【００９２】
第３に、空間ダイバーシチと空間マルチプレクスの結合された技法を例に挙げることができる。空間ダイバーシチ利得だけを得る場合、ダイバーシチ次数の増加に応じる性能改善利得が順次飽和され、空間マルチプレクス利得だけを取ると、無線チャネルにおいて送信信頼度が低下する。これを解決しながら２通りの利得を全部得る方式が研究されてきたし、このうち、時空間ブロック符号（Ｄｏｕｂｌｅ−ＳＴＴＤ）、時空間ＢＩＣＭ（ＳＴＢＩＣＭ）などの方式がある。
【００９３】
上述のような多重入出力アンテナシステムにおける通信方法をさらに具体的な方法で説明するために、これを数学的にモデリングする場合、以下のように表すことができる。
【００９４】
まず、図５に示すように、Ｎ＿Ｔ個の送信アンテナとＮ＿Ｒ個の受信アンテナが存在すると仮定する。
【００９５】
まず、送信信号について述べると、このようにＮ＿Ｔ個の送信アンテナがある場合、最大送信可能な情報は、Ｎ＿Ｔ個であるから、これを以下のようなベクトルで表すことができる。
【００９６】
【数２】
2018528698.tif 000006
【００９７】
一方、各々の送信情報ｓ＿１，ｓ＿２，．．．，ｓ＿Ｎ＿Ｔにおいて送信電力を異なるようにすることができ、このとき、各々の送信電力をＰ＿１，Ｐ＿２，．．．，Ｐ＿Ｎ＿Ｔとすると、送信電力が調整された送信情報は、次のようなベクトルで表すことができる。
【００９８】
【数３】
2018528698.tif 000007
【００９９】
また、式３の送信電力が調整された送信情報を以下のように送信電力の対角行列Ｐで表すことができる。
【０１００】
【数４】
2018528698.tif 000008
【０１０１】
一方、式４の送信電力の調整された情報ベクトルは、その後に加重値行列Ｗがかけ算されて、実際送信されるＮ＿Ｔ個の送信信号ｘ＿１，ｘ＿２，．．．，ｘ＿Ｎ＿Ｔを構成する。ここで、加重値行列は、送信チャネル状況などによって送信情報を各アンテナに適切に分配する機能を行う。このような送信信号ｘ＿１，ｘ＿２，．．．，ｘ＿Ｎ＿Ｔをベクトルｘを利用して、以下のように表すことができる。
【０１０２】
【数５】
2018528698.tif 000009
【０１０３】
ここで、ｗ＿ｉｊは、ｉ番目の送信アンテナとｊ番目の送信情報間の加重値を表し、Ｗは、これを行列で表したものである。このような行列Ｗを加重値行列（Ｗｅｉｇｈｔ  Ｍａｔｒｉｘ）またはプレコーディング行列（Ｐｒｅｃｏｄｉｎｇ  Ｍａｔｒｉｘ）と呼ぶ。
【０１０４】
一方、上述のような送信信号（ｘ）は、空間ダイバーシチを使用する場合と空間マルチプレクッスを使用する場合とに分けて考えることができる。
【０１０５】
空間マルチプレクッスを使用する場合は、互いに異なる信号を多重化して送信するようになるので、情報ベクトルｓの元素が全部異なる値を有するようになることに対し、空間ダイバーシチを使用するようになると、同じ信号を複数のチャネル経路を介して送信するようになるので、情報ベクトルｓの元素が全部同じ値を有するようになる。
【０１０６】
もちろん、空間マルチプレックスと空間ダイバーシチを混合する方法も考慮可能である。すなわち、例えば、３個の送信アンテナを介して同じ信号を空間ダイバーシチを利用して送信し、残りは、各々異なる信号を空間マルチプレックスして送信する場合も考慮することができる。
【０１０７】
次に、受信信号は、Ｎ＿Ｒ個の受信アンテナがある場合、各アンテナの受信信号ｙ＿１，ｙ＿２，．．．，ｙ＿Ｎ＿Ｒをベクトルｙで次のように表す。
【０１０８】
【数６】
2018528698.tif 000010
【０１０９】
一方、多重入出力アンテナ通信システムにおけるチャネルをモデリングする場合、各々のチャネルは、送受信アンテナインデックスに応じて区分でき、送信アンテナｊから受信アンテナｉを経るチャネルをｈ＿ｉｊで表示することにする。ここで、ｈ＿ｉｊのインデックスの順序が受信アンテナインデックスが先、送信アンテナのインデックスが後であることに留意する。
【０１１０】
このようなチャネルは、いくつかを１つにグループ化してベクトル及び行列形態でも表示可能である。ベクトル表示の例を挙げて説明すると、以下のとおりである。
【０１１１】
図６は、多数の送信アンテナから１つの受信アンテナへのチャネルを示した図である。
【０１１２】
図６に示すように、総Ｎ＿Ｔ個の送信アンテナから受信アンテナｉへ到着するチャネルは、次のように表現可能である。
【０１１３】
【数７】
2018528698.tif 000011
【０１１４】
また、前記式７のような行列表現により、Ｎ＿Ｔ個の送信アンテナからＮ＿Ｒ個の受信アンテナを経るチャネルを全部表す場合、以下のように表すことができる。
【０１１５】
【数８】
2018528698.tif 000012
【０１１６】
一方、実際チャネルは、上のようなチャネル行列Ｈを経た後に白色雑音（ＡＷＧＮ：Ａｄｄｉｔｉｖｅ  Ｗｈｉｔｅ  Ｇａｕｓｓｉａｎ  Ｎｏｉｓｅ）が加算されるので、Ｎ＿Ｒ個の受信アンテナの各々に加算される白色雑音ｎ＿１，ｎ＿２，．．．，ｎ＿Ｎ＿Ｒをベクトルで表現すると、以下のとおりである。
【０１１７】
【数９】
2018528698.tif 000013
【０１１８】
上述のような送信信号、受信信号、チャネル、及び白色雑音のモデリングを介して多重入出力アンテナ通信システムでの各々は、次のような関係を介して表すことができる。
【０１１９】
【数１０】
2018528698.tif 000014
【０１２０】
一方、チャネルの状態を表すチャネル行列Ｈの行と列の数は、送受信アンテナ数によって決定される。チャネル行列Ｈは、上述のように行の数は、受信アンテナの数Ｎ＿Ｒと同じくなり、列の数は、送信アンテナの数Ｎ＿Ｔと同じくなる。すなわち、チャネル行列Ｈは、Ｎ＿Ｒ×Ｎ＿Ｔ行列になる。
【０１２１】
一般に、行列のランク（ｒａｎｋ）は、互いに独立である（ｉｎｄｅｐｅｎｄｅｎｔ）行または列の数の中で最小数で定義される。したがって、行列のランクは、行または列の数より大きくなってはならない。数式的に例を挙げると、チャネル行列Ｈのランク（ｒａｎｋ（Ｈ））は、次のように制限される。
【０１２２】
【数１１】
2018528698.tif 000015
【０１２３】
また、行列を固有値分解（Ｅｉｇｅｎ  ｖａｌｕｅ  ｄｅｃｏｍｐｏｓｉｔｉｏｎ）をしたとき、ランクは、固有値（ｅｉｇｅｎ  ｖａｌｕｅ）のうち、０でない固有値の数で定義することができる。類似の方法で、ランクをＳＶＤ（ｓｉｎｇｕｌａｒ  ｖａｌｕｅ  ｄｅｃｏｍｐｏｓｉｔｉｏｎ）したとき、０でない特異値（ｓｉｎｇｕｌａｒ  ｖａｌｕｅ）の数で定義することができる。したがって、チャネル行列においてランクの物理的な意味は、与えられたチャネルで互いに異なる情報を送ることができる最大数ということができる。
【０１２４】
本明細書において、ＭＩＭＯ送信に対する「ランク（Ｒａｎｋ）」は、特定時点及び特定周波数資源において独立的に信号を送信できる経路の数を表し、「レイヤー（ｌａｙｅｒ）の数」は、各経路を介して送信される信号ストリームの数を表す。一般に、送信端は、信号送信に利用されるランク数に対応する数のレイヤーを送信するから、別の言及がない限り、ランクは、レイヤー数と同じ意味を有する。
【０１２５】
（参照信号（ＲＳ：Ｒｅｆｅｒｅｎｃｅ  Ｓｉｇｎａｌ））
【０１２６】
無線通信システムにおけるデータは無線チャンネルを介して転送されるので、信号は転送中に歪曲されることがある。受信端で歪曲された信号を正確に受信するために、受信された信号の歪曲はチャンネル情報を用いて補正されなければならない。チャンネル情報を検出するために送信側と受信側の両方とも知っている信号転送方法と信号がチャンネルを介して転送される時、歪曲された程度を用いてチャンネル情報を検出する方法を主に用いる。前述した信号をパイロット信号または参照信号（ＲＳ：ｒｅｆｅｒｅｎｃｅ  ｓｉｇｎａｌ）という。
【０１２７】
また、最近、大部分の移動通信システムでパケットを転送する時、今まで１つの送信アンテナと１つの受信アンテナを使用したことから脱皮して、多重送信アンテナと多重受信アンテナを採択して送受信データ効率を向上させることができる方法を使用する。多重入出力アンテナを用いてデータを送受信する時、信号を正確に受信するために送信アンテナと受信アンテナとの間のチャンネル状態が検出されなければならない。したがって、各送信アンテナは個別的な参照信号を有しなければならない。
【０１２８】
移動通信システムにおけるＲＳはその目的によって２つに大別できる。チャンネル状態情報獲得のための目的のＲＳとデータ復調のために使われるＲＳがある。前者はＵＥがダウンリンクへのチャンネル状態情報を獲得することにその目的があるので、広帯域に転送されなければならず、特定サブフレームでダウンリンクデータを受信しないＵＥでもそのＲＳを受信し測定できなければならない。また、これはハンドオーバーなどの無線資源無線資源管理（ＲＲＭ：Ｒａｄｉｏ  Ｒｅｓｏｕｒｃｅ  Ｍａｎａｇｅｍｅｎｔ）測定などのためにも使われる。後者は、基地局がダウンリンクを送る時、該当リソースに共に送るＲＳであって、ＵＥは該当ＲＳを受信することによってチャンネル推定を行うことができ、したがって、データを復調できるようになる。このＲＳはデータが転送される領域に転送されなければならない。
【０１２９】
下向き参照信号はセル内の全ての端末が共有するチャンネル状態に対する情報獲得及びハンドオーバーの測定などのための１つの共通参照信号（ＣＲＳ：ｃｏｍｍｏｎ  ＲＳ）と特定端末のみのためにデータ復調のために使われる専用参照信号（ｄｅｄｉｃａｔｅｄ  ＲＳ）がある。このような参照信号を用いて復調（ｄｅｍｏｄｕｌａｔｉｏｎ）とチャンネル測定（ｃｈａｎｎｅｌ  ｍｅａｓｕｒｅｍｅｎｔ）のための情報を提供することができる。すなわち、ＤＲＳはデータ復調用のみに使われ、ＣＲＳはチャンネル情報獲得及びデータ復調の２つの目的に全て使われる。
【０１３０】
受信側（すなわち、端末）はＣＲＳからチャンネル状態を測定し、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）及び／又はＲＩ（Ｒａｎｋ  Ｉｎｄｉｃａｔｏｒ）のようなチャンネル品質と関連した指示子を送信側（すなわち、基地局）にフィードバックする。ＣＲＳは、セル特定基準信号（ｃｅｌｌ−ｓｐｅｃｉｆｉｃ  ＲＳ）ともいう。一方、チャンネル状態情報（ＣＳＩ：Ｃｈａｎｎｅｌ  Ｓｔａｔｅ  Ｉｎｆｏｒｍａｔｉｏｎ）のフィードバックと関連した参照信号をＣＳＩ−ＲＳと定義することができる。
【０１３１】
ＤＲＳは、ＰＤＳＣＨ上のデータ復調を必要とする場合、資源要素を通じて転送できる。端末は上位階層を通じてＤＲＳの存否を受信することができ、相応するＰＤＳＣＨがマッピングされた時のみに有効である。ＤＲＳを端末特定参照信号（ＵＥ−ｓｐｅｃｉｆｉｃ  ＲＳ）または復調参照信号（ＤＭＲＳ：Ｄｅｍｏｄｕｌａｔｉｏｎ  ＲＳ）ということができる。
【０１３２】
図７は、本発明が適用できる無線通信システムにおけるダウンリンク資源ブロック対にマッピングされた参照信号パターンを例示する。
【０１３３】
図７を参照すると、参照信号がマッピングされる単位でダウンリンク資源ブロック対は時間領域で１つのサブフレーム×周波数領域で１２個の副搬送波で示すことができる。すなわち、時間軸（ｘ軸）上で１つの資源ブロック対は一般循環前置（ｎｏｒｍａｌ  ＣＰ：ｎｏｒｍａｌ  Ｃｙｃｌｉｃ  Ｐｒｅｆｉｘ）の場合、１４個のＯＦＤＭシンボルの長さを有し（図７（ａ）の場合）、拡張循環前置（ｅｘｔｅｎｄｅｄ  ＣＰ：ｅｘｔｅｎｄｅｄ  Ｃｙｃｌｉｃ  Ｐｒｅｆｉｘ）の場合、１２個のＯＦＤＭシンボルの長さを有する（図７（ｂ）の場合）。資源ブロック格子で’０’、’１’、’２’、及び’３’と記載された資源要素（ＲＥｓ）は各々アンテナポートインデックス’０’、’１’、’２’、及び’３’のＣＲＳの位置を意味し、’Ｄ’と記載された資源要素はＤＲＳの位置を意味する。
【０１３４】
以下、ＣＲＳに対してより詳細に記述すると、ＣＲＳは物理的アンテナのチャンネルを推定するために使われ、セル内に位置した全ての端末に共通的に受信できる参照信号として全体周波数帯域に分布する。すなわち、このＣＲＳはｃｅｌｌ−ｓｐｅｃｉｆｉｃなシグナルであって、広帯域に対して毎サブフレーム毎に転送される。また、ＣＲＳはチャンネル品質情報（ＣＳＩ）及びデータ復調のために利用できる。
【０１３５】
ＣＲＳは転送側（基地局）でのアンテナ配列によって多様なフォーマットに定義される。３ＧＰＰ  ＬＴＥシステム（例えば、リリーズ−８）では、基地局の転送アンテナ個数によって最大４個のアンテナポートに対するＲＳが転送される。ダウンリンク信号送信側は単一の送信アンテナ、２個の送信アンテナ、及び４個の送信アンテナのように、３種類のアンテナ配列を有する。例えば、基地局の送信アンテナの個数が２個の場合は０番と１番アンテナポートに対するＣＲＳが転送され、４個の場合は０〜３番アンテナポートに対するＣＲＳが各々転送される。基地局の送信アンテナが４個の場合、１つのＲＢでのＣＲＳパターンは図７の通りである。
【０１３６】
基地局が単一の送信アンテナを使用する場合、単一アンテナポートのための参照信号が配列される。
【０１３７】
基地局が２個の送信アンテナを使用する場合、２個の送信アンテナポートのための参照信号は時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を用いて配列される。すなわち、２個のアンテナポートのための参照信号は各々が区別されるために互いに異なる時間資源及び／又は互いに異なる周波数資源が割り当てられる。
【０１３８】
なお、基地局が４個の送信アンテナを使用する場合、４個の送信アンテナポートのための参照信号はＴＤＭ及び／又はＦＤＭ方式を用いて配列される。ダウンリンク信号の受信側（端末）により測定されたチャンネル情報は、単一の送信アンテナ転送、送信ダイバーシティ、閉ループ空間多重化（ｃｌｏｓｅｄ−ｌｏｏｐ  ｓｐａｔｉａｌ  ｍｕｌｔｉｐｌｅｘｉｎｇ）、開ループ空間多重化（ｏｐｅｎ−ｌｏｏｐ  ｓｐａｔｉａｌ  ｍｕｌｔｉｐｌｅｘｉｎｇ）、または多重ユーザ−多重入出力アンテナ（ｍｕｌｔｉ−Ｕｓｅｒ  ＭＩＭＯ）のような転送方式を用いて転送されたデータを復調するために使われることができる。
【０１３９】
多重入出力アンテナが支援される場合、参照信号が特定のアンテナポートから転送される時、前記参照信号は参照信号のパターンによって特定された資源要素の位置に転送され、異なるアンテナポートのために特定された資源要素の位置に転送されない。すなわち、互いに異なるアンテナ間の参照信号は互いに重ならない。
【０１４０】
以下、ＤＲＳに対してより詳細に記述すると、ＤＲＳはデータを復調するために使われる。多重入出力アンテナ転送で特定の端末のために使われる先行符号化（ｐｒｅｃｏｄｉｎｇ）加重値は、端末が参照信号を受信した時、各送信アンテナから転送された転送チャンネルと結合されて相応するチャンネルを推定するために変更無しで使われる。
【０１４１】
３ＧＰＰ  ＬＴＥシステム（例えば、リリーズ−８）は、最大４個の転送アンテナを支援し、ランク１ビームフォーミング（ｂｅａｍｆｏｒｍｉｎｇ）のためのＤＲＳが定義される。ランク１ビームフォーミングのためのＤＲＳは、またアンテナポートインデックス５のための参照信号を示す。
【０１４２】
ＬＴＥシステムの進化発展した形態のＬＴＥ−Ａシステムで基地局のダウンリンクに最大８個の送信アンテナが支援できるようにデザインされなければならない。したがって、最大８個の送信アンテナに対するＲＳも支援されなければならない。ＬＴＥシステムでダウンリンクＲＳは最大４個のアンテナポートに対するＲＳのみ定義されているので、ＬＴＥ−Ａシステムで基地局が４個以上最大８個のダウンリンク送信アンテナを有する場合、これらアンテナポートに対するＲＳが追加的に定義されデザインされなければならない。最大８個の送信アンテナポートに対するＲＳは、前述したチャンネル測定のためのＲＳとデータ復調のためのＲＳの２つが全てデザインされなければならない。
【０１４３】
ＬＴＥ−Ａシステムをデザインするに当たって、重要な考慮事項のうちの１つは、下位互換性（ｂａｃｋｗａｒｄ  ｃｏｍｐａｔｉｂｉｌｉｔｙ）、すなわちＬＴＥ端末がＬＴＥ−Ａシステムでも何の無理なく、よく動作しなければならず、システムもこれを支援しなければならないことである。ＲＳ転送の観点から見ると、ＬＴＥで定義されているＣＲＳが全帯域に毎サブフレーム毎に転送される時間−周波数領域で追加的に最大８個の送信アンテナポートに対するＲＳが追加的に定義されなければならない。ＬＴＥ−Ａシステムで既存ＬＴＥのＣＲＳのような方式により最大８個の送信アンテナに対するＲＳパターンを毎サブフレーム毎に全帯域に追加するようになれば、ＲＳオーバーヘッドが大きすぎるようになる。
【０１４４】
したがって、ＬＴＥ−Ａシステムで新しくデザインされるＲＳは２つに大別されるが、ＭＣＳ、ＰＭＩなどの選択のためのチャンネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳなど）と８個の転送アンテナに転送されるデータ復調のためのＲＳ（ＤＭ−ＲＳ：Ｄａｔａ  Ｄｅｍｏｄｕｌａｔｉｏｎ−ＲＳ）である。
【０１４５】
チャンネル測定目的のＣＳＩ−ＲＳは既存のＣＲＳがチャンネル測定、ハンドオーバーなどの測定などの目的と共に、データ復調のために使われることとは異なり、チャンネル測定中心の目的のためにデザインされる特徴がある。勿論これもまたハンドオーバーなどの測定などの目的に使われることもできる。ＣＳＩ−ＲＳがチャンネル状態に対する情報を得る目的のみに転送されるので、ＣＲＳとは異なり、毎サブフレーム毎に転送されなくてもよい。ＣＳＩ−ＲＳのオーバーヘッドを減らすためにＣＳＩ−ＲＳは時間軸上で間歇的に転送される。
【０１４６】
データ復調のために該当時間−周波数領域でスケジューリングされたＵＥに専用的（ｄｅｄｉｃａｔｅｄ）にＤＭ−ＲＳが転送される。すなわち、特定ＵＥのＤＭ−ＲＳは該当ＵＥがスケジューリングされた領域、すなわちデータの受信を受ける時間−周波数領域のみに転送されるものである。
【０１４７】
ＬＴＥ−Ａシステムで基地局のダウンリンクに最大８個の送信アンテナを支援する。ＬＴＥ−Ａシステムで既存ＬＴＥのＣＲＳのような方式により最大８個の送信アンテナに対するＲＳを毎サブフレーム毎に全帯域に転送するようになれば、ＲＳオーバーヘッドが大きすぎるようになる。したがって、ＬＴＥ−Ａシステムでは、ＭＣＳ、ＰＭＩなどの選択のためのＣＳＩ測定目的のＣＳＩ−ＲＳとデータ復調のためのＤＭ−ＲＳに分離されて２つのＲＳが追加された。ＣＳＩ−ＲＳはＲＲＭ測定などの目的に使われることもできるが、ＣＳＩ獲得の主目的のためにデザインされた。ＣＳＩ−ＲＳはデータ復調に使われないので、毎サブフレーム毎に転送される必要はない。したがって、ＣＳＩ−ＲＳのオーバーヘッドを減らすために時間軸上で間歇的に転送するようにする。すなわち、ＣＳＩ−ＲＳは１サブフレームの整数倍の周期で周期的に転送されるか、または特定転送パターンに転送できる。この際、ＣＳＩ−ＲＳが転送される周期やパターンはｅＮＢが設定することができる。
【０１４８】
データ復調のためには該当時間−周波数領域でスケジューリングされたＵＥにｄｅｄｉｃａｔｅｄにＤＭ−ＲＳが転送される。すなわち、特定ＵＥのＤＭ−ＲＳは該当ＵＥがスケジューリングされた領域、すなわちデータの受信を受ける時間−周波数領域のみに転送される。
【０１４９】
ＣＳＩ−ＲＳを測定するためにＵＥは必ず自身が属したセルの各々のＣＳＩ−ＲＳアンテナポートに対するＣＳＩ−ＲＳの転送サブフレームインデックス、転送サブフレーム内でＣＳＩ−ＲＳ資源要素（ＲＥ）時間−周波数の位置、そしてＣＳＩ−ＲＳシーケンスなどに対する情報を知っていなければならない。
【０１５０】
ＬＴＥ−ＡシステムにｅＮＢはＣＳＩ−ＲＳを最大８個のアンテナポートに対して各々転送しなければならない。互いに異なるアンテナポートのＣＳＩ−ＲＳ転送のために使われる資源は互いに直交（ｏｒｔｈｏｇｏｎａｌ）しなければならない。１つのｅＮＢが互いに異なるアンテナポートに対するＣＳＩ−ＲＳを転送する時、各々のアンテナポートに対するＣＳＩ−ＲＳを互いに異なるＲＥにマッピングすることによって、ＦＤＭ／ＴＤＭ方式によりこれらの資源を直交（ｏｒｔｈｏｇｏｎａｌ）に割り当てることができる。または、互いに異なるアンテナポートに対するＣＳＩ−ＲＳを互いに直交（ｏｒｔｈｏｇｏｎａｌ）なコードにマッピングさせるＤＭ方式により転送することができる。
【０１５１】
ＣＳＩ−ＲＳに関する情報をｅＮＢが自分のセルＵＥに知らせる時、まず各アンテナポートに対するＣＳＩ−ＲＳがマッピングされる時間−周波数に対する情報を知らせなければならない。具体的に、ＣＳＩ−ＲＳが転送されるサブフレーム番号、またはＣＳＩ−ＲＳが転送される周期、ＣＳＩ−ＲＳが転送されるサブフレームオフセットであり、特定アンテナのＣＳＩ−ＲＳ  ＲＥが転送されるＯＦＤＭシンボル番号、周波数間隔（ｓｐａｃｉｎｇ）、周波数軸でのＲＥのオフセット、またはシフト値などがある。
【０１５２】
ＣＳＩ−ＲＳは１個、２個、４個、または８個のアンテナポートを介して転送される。この際、使われるアンテナポートは、各々ｐ＝１５、ｐ＝１５、１６、ｐ＝１５，．．．，１８、ｐ＝１５，．．．，２２である。ＣＳＩ−ＲＳはサブキャリア間隔Δｆ＝１５ｋＨｚに対してのみ定義できる。
【０１５３】
ＣＳＩ−ＲＳ転送のために設定されたサブフレーム内で、ＣＳＩ−ＲＳシーケンスは以下の式１２のように各アンテナポート（ｐ）上の参照シンボル（ｒｅｆｅｒｅｎｃｅ  ｓｙｍｂｏｌ）として用いられる複素変調シンボル（ｃｏｍｐｌｅｘ−ｖａｌｕｅｄ  ｍｏｄｕｌａｔｉｏｎ  ｓｙｍｂｏｌ）ａ＿ｋ、ｌ＾（ｐ）にマッピングされる。
【０１５４】
【数１２】
2018528698.tif 000016
【０１５５】
前記式１２で、（ｋ’、ｌ’）（ここで、ｋ’は資源ブロック内の副搬送波インデックスであり、ｌ’はスロット内のＯＦＤＭシンボルインデックスを示す。）及びｎ＿ｓの条件は以下の表３または表４のようなＣＳＩ−ＲＳ設定（ｃｏｎｆｉｇｕｒａｔｉｏｎ）によって決定される。
【０１５６】
表３は、一般ＣＰでＣＳＩ−ＲＳ構成から（ｋ’、ｌ’）のマッピングを例示する。
【０１５７】
【表３】
2018528698.tif 000017
【０１５８】
表４は、拡張ＣＰでＣＳＩ−ＲＳ構成から（ｋ’、ｌ’）のマッピングを例示する。
【０１５９】
【表４】
2018528698.tif 000018
【０１６０】
表３及び表４を参照すると、ＣＳＩ−ＲＳの転送において、異種ネットワーク（ＨｅｔＮｅｔ：ｈｅｔｅｒｏｇｅｎｅｏｕｓ  ｎｅｔｗｏｒｋ）環境を含んでマルチセル環境でセル間干渉（ＩＣＩ：ｉｎｔｅｒ−ｃｅｌｌ  ｉｎｔｅｒｆｅｒｅｎｃｅ）を減らすために、最大３２個（一般ＣＰの場合）または最大２８個（拡張ＣＰの場合）の互いに異なる構成（ｃｏｎｆｉｇｕｒａｔｉｏｎ）が定義される。
【０１６１】
ＣＳＩ−ＲＳ構成はセル内のアンテナポートの個数及びＣＰによって互いに異なり、隣接したセルは最大限互いに異なる構成を有することができる。また、ＣＳＩ−ＲＳ構成はフレーム構造によってＦＤＤフレームとＴＤＤフレームに全て適用する場合と、ＴＤＤフレームのみに適用する場合とに分けられる。
【０１６２】
表３及び表４に基づいてＣＳＩ−ＲＳ構成によって（ｋ’、ｌ’）及びｎ＿ｓが定まり、各ＣＳＩ−ＲＳアンテナポートによってＣＳＩ−ＲＳ転送に用いる時間−周波数資源が決定される。
【０１６３】
図８は、本発明が適用できる無線通信システムにおける参照信号がマッピングされる資源を例示する図である。
【０１６４】
図８（ａ）は１個または２個のＣＳＩ−ＲＳアンテナポートによるＣＳＩ−ＲＳ転送に使用可能な２０種類のＣＳＩ−ＲＳ構成を示すものであり、図８（ｂ）は４個のＣＳＩ−ＲＳアンテナポートにより使用可能な１０種類のＣＳＩ−ＲＳ構成を示すものであり、図８（ｃ）は８個のＣＳＩ−ＲＳアンテナポートによりＣＳＩ−ＲＳ転送に使用可能な５種類のＣＳＩ−ＲＳ構成を示すものである。
【０１６５】
このように、各ＣＳＩ−ＲＳ構成によってＣＳＩ−ＲＳが転送される無線資源（すなわち、ＲＥ対）が決定される。
【０１６６】
特定セルに対してＣＳＩ−ＲＳ転送のために１個あるいは２個のアンテナポートが設定されれば、図８（ａ）に図示された２０種類のＣＳＩ−ＲＳ構成のうち、設定されたＣＳＩ−ＲＳ構成に従う無線資源上でＣＳＩ−ＲＳが転送される。
【０１６７】
同様に、特定セルに対してＣＳＩ−ＲＳ転送のために４個のアンテナポートが設定されれば、図８（ｂ）に図示された１０種類のＣＳＩ−ＲＳ構成のうち、設定されたＣＳＩ−ＲＳ構成に従う無線資源上でＣＳＩ−ＲＳが転送される。また、特定セルに対してＣＳＩ−ＲＳ転送のために８個のアンテナポートが設定されれば、図８（ｃ）に図示された５種類のＣＳＩ−ＲＳ構成のうち、設定されたＣＳＩ−ＲＳ構成に従う無線資源上でＣＳＩ−ＲＳが転送される。
【０１６８】
２個のアンテナポート別（すなわち、｛１５，１６｝、｛１７，１８｝、｛１９，２０｝、｛２１，２２｝）に各々のアンテナポートに対するＣＳＩ−ＲＳは同一な無線資源にＣＤＭされて転送される。アンテナポート１５及び１６を例に挙げれば、アンテナポート１５及び１６に対する各々のＣＳＩ−ＲＳ複素シンボルは同一であるが、互いに異なる直交コード（例えば、ウォルシュコード（ｗａｌｓｈ  ｃｏｄｅ）がかけられて同一な無線資源にマッピングされる。アンテナポート１５に対するＣＳＩ−ＲＳの複素シンボルには［１，１］がかけられ、アンテナポート１６に対するＣＳＩ−ＲＳの複素シンボルには［１−１］がかけられて同一な無線資源にマッピングされる。これはアンテナポート｛１７，１８｝、｛１９，２０｝、｛２１，２２｝も同様である。
【０１６９】
ＵＥは転送されたシンボルにかけられたコードをかけて特定アンテナポートに対するＣＳＩ−ＲＳを検出することができる。すなわち、アンテナポート１５に対するＣＳＩ−ＲＳを検出するために、かけられたコード［１  １］をかけて、アンテナポート１６に対するＣＳＩ−ＲＳを検出するためにかけられたコード［１  −１］をかける。
【０１７０】
図８（ａ）〜（ｃ）を参照すると、同一なＣＳＩ−ＲＳ構成インデックスに該当すれば、アンテナポート数の多いＣＳＩ−ＲＳ構成に従う無線資源はＣＳＩ−ＲＳアンテナポート数の少ないＣＳＩ−ＲＳ構成に従う無線資源を含む。例えば、ＣＳＩ−ＲＳ構成０の場合、８個のアンテナポート数に対する無線資源は４個のアンテナポート数に対する無線資源と１または２個のアンテナポート数に対する無線資源を全て含む。
【０１７１】
１つのセルで複数のＣＳＩ−ＲＳ構成が使われることができる。ノン−ゼロ電力（ＮＺＰ：ｎｏｎ−ｚｅｒｏ  ｐｏｗｅｒ）ＣＳＩ−ＲＳは０個または１個のＣＳＩ−ＲＳ構成のみ用いられ、ゼロ電力（ＺＰ：ｚｅｒｏ  ｐｏｗｅｒ）ＣＳＩ−ＲＳは０個または多数個のＣＳＩ−ＲＳ構成が利用できる。
【０１７２】
上位階層により設定される１６ビットのビットマップであるＺＰ  ＣＳＩ−ＲＳ（ＺｅｒｏＰｏｗｅｒＣＳＩ−ＲＳ）で１に設定された各ビット別に、ＵＥは前記の表３及び表４の４個のＣＳＩ−ＲＳ列（ｃｏｌｕｍｎ）に該当するＲＥで（上位階層により設定されたＮＺＰ  ＣＳＩ−ＲＳを仮定するＲＥと重複する場合を除外）ゼロ転送電力を仮定する。最上位ビット（ＭＳＢ：Ｍｏｓｔ  Ｓｉｇｎｉｆｉｃａｎｔ  Ｂｉｔ）は最も低いＣＳＩ−ＲＳ構成インデックスに該当し、ビットマップ内でその次のビットは順に次のＣＳＩ−ＲＳ構成インデックスに該当する。
【０１７３】
ＣＳＩ−ＲＳは前記の表３及び表４で（ｎ＿ｓ  ｍｏｄ  ２）の条件を満たすダウンリンクスロット及びＣＳＩ−ＲＳサブフレーム構成を満たすサブフレームのみで転送される。
【０１７４】
フレーム構造タイプ２（ＴＤＤ）の場合、スペシャルサブフレーム、同期信号（ＳＳ）、ＰＢＣＨまたはＳＩＢ  １（ＳｙｓｔｅｍＩｎｆｏｒｍａｔｉｏｎＢｌｏｃｋＴｙｐｅ１）メッセージ転送と衝突するサブフレームまたはページングメッセージ転送のために設定されたサブフレームでＣＳＩ−ＲＳは転送されない。
【０１７５】
また、アンテナポートセットＳ（Ｓ＝｛１５｝、Ｓ＝｛１５，１６｝、Ｓ＝｛１７，１８｝、Ｓ＝｛１９，２０｝、またはＳ＝｛２１，２２｝）内に属する如何なるアンテナポートに対するＣＳＩ−ＲＳが転送されるＲＥは、ＰＤＳＣＨまたは他のアンテナポートのＣＳＩ−ＲＳ転送に使われない。
【０１７６】
ＣＳＩ−ＲＳ転送に使われる時間−周波数資源はデータ転送に使われることができないので、ＣＳＩ−ＲＳオーバーヘッドが増加するほどデータ処理量（ｔｈｒｏｕｇｈｐｕｔ）が減少するようになる。これを考慮してＣＳＩ−ＲＳは毎サブフレーム毎に転送されるように構成されず、多数のサブフレームに該当する所定の転送周期毎に転送されるように構成される。この場合、毎サブフレーム毎にＣＳＩ−ＲＳが転送される場合に比べてＣＳＩ−ＲＳ転送オーバーヘッドがたくさん低減できる。
【０１７７】
ＣＳＩ−ＲＳ転送のためのサブフレーム周期（以下、’ＣＳＩ転送周期’と称する）（Ｔ＿ＣＳＩ−ＲＳ）及びサブフレームオフセット（Δ＿ＣＳＩ−ＲＳ）は、以下の表５の通りである。
【０１７８】
表５は、ＣＳＩ−ＲＳサブフレーム構成を例示する。
【０１７９】
【表５】
2018528698.tif 000019
【０１８０】
表５を参照すると、ＣＳＩ−ＲＳサブフレーム構成（Ｉ＿ＣＳＩ−ＲＳ）によってＣＳＩ−ＲＳ転送周期（Ｔ＿ＣＳＩ−ＲＳ）及びサブフレームオフセット（Δ＿ＣＳＩ−ＲＳ）が決定される。
【０１８１】
表５のＣＳＩ−ＲＳサブフレーム構成は、先の’ＳｕｂｆｒａｍｅＣｏｎｆｉｇ’フィールド及び’ｚｅｒｏＴｘＰｏｗｅｒＳｕｂｆｒａｍｅＣｏｎｆｉｇ’フィールドのうち、いずれか１つに設定できる。ＣＳＩ−ＲＳサブフレーム構成は、ＮＺＰ  ＣＳＩ−ＲＳ及びＺＰＣ  ＳＩ−ＲＳに対して個別的に（ｓｅｐａｒａｔｅｌｙ）設定できる。
【０１８２】
ＣＳＩ−ＲＳを含むサブフレームは、以下の式１３を満たす。
【０１８３】
【数１３】
2018528698.tif 000020
【０１８４】
式１３で、Ｔ＿ＣＳＩ−ＲＳはＣＳＩ−ＲＳ転送周期、Δ＿ＣＳＩ−ＲＳはサブフレームオフセット値、ｎ＿ｆはシステムフレームナンバー、ｎ＿ｓはスロットナンバーを意味する。
【０１８５】
サービングセルに対して転送モード９（ｔｒａｎｓｍｉｓｓｉｏｎ  ｍｏｄｅ  ９）が設定されたＵＥの場合、ＵＥは１つのＣＳＩ−ＲＳ資源構成が設定できる。サービングセルに対して転送モード１０（ｔｒａｎｓｍｉｓｓｉｏｎ  ｍｏｄｅ  １０）が設定されたＵＥの場合、ＵＥは１つまたはその以上のＣＳＩ−ＲＳ資源構成が設定できる。
【０１８６】
現在のＬＴＥ標準でＣＳＩ−ＲＳ構成は、アンテナポート個数（ａｎｔｅｎｎａＰｏｒｔｓＣｏｕｎｔ）、サブフレーム構成（ｓｕｂｆｒａｍｅＣｏｎｆｉｇ）、資源構成（ｒｅｓｏｕｒｃｅＣｏｎｆｉｇ）などで構成されているので、ＣＳＩ−ＲＳがいくつのアンテナポートから転送されるのか、ＣＳＩ−ＲＳが転送されるサブフレームの周期及びオフセットがどうなるのか、そして該当サブフレームでどんなＲＥ位置（すなわち、周波数とＯＦＤＭシンボルインデックス）で転送されるのかを知らせてくれる。
【０１８７】
具体的に、各ＣＳＩ−ＲＳ（資源）構成のための以下のようにパラメータが上位階層シグナリングを通じて設定される。
【０１８８】
−  転送モード１０が設定された場合、ＣＳＩ−ＲＳ資源構成識別子
【０１８９】
−  ＣＳＩ−ＲＳポート個数（ａｎｔｅｎｎａＰｏｒｔｓＣｏｕｎｔ）：ＣＳＩ−ＲＳ転送のために使われるアンテナポートの個数を示すパラメータ（例えば、１ＣＳＩ−ＲＳポート、２ＣＳＩ−ＲＳポート、４ＣＳＩ−ＲＳポート、８ＣＳＩ−ＲＳポート）
【０１９０】
−  ＣＳＩ−ＲＳ構成（ｒｅｓｏｕｒｃｅＣｏｎｆｉｇ）（表３及び表４参照）：ＣＳＩ−ＲＳ割当資源位置に関するパラメータ
【０１９１】
−  ＣＳＩ−ＲＳサブフレーム構成（ｓｕｂｆｒａｍｅＣｏｎｆｉｇ、すなわちＩ＿ＣＳＩ−ＲＳ）（表５参照）：ＣＳＩ−ＲＳが転送されるサブフレーム周期及び／又はオフセットに関するパラメータ
【０１９２】
−  転送モード９が設定された場合、ＣＳＩフィードバックのための転送パワー（Ｐ＿Ｃ）：フィードバックのための参照ＰＤＳＣＨ転送パワーに対するＵＥの仮定と関連して、ＵＥがＣＳＩフィードバックを導出し、１ｄＢ段階サイズに［−８，１５］ｄＢ範囲内で値を取る時、Ｐ＿ＣはＰＤＳＣＨ  ＲＥ当たりエネルギー（ＥＰＲＥ：Ｅｎｅｒｇｙ  Ｐｅｒ  Ｒｅｓｏｕｒｃｅ  Ｅｌｅｍｅｎｔ）とＣＳＩ−ＲＳ  ＥＰＲＥの割合で仮定される。
【０１９３】
−  転送モード１０が設定された場合、各ＣＳＩプロセスに対してＣＳＩフィードバックのための転送パワー（Ｐ＿Ｃ）。ＣＳＩプロセスに対してＣＳＩサブフレームセットＣ＿ＣＳＩ、０、及びＣ＿ＣＳＩ、１が上位階層により設定されれば、Ｐ＿ＣはＣＳＩプロセスの各ＣＳＩサブフレームセット別に設定される。
【０１９４】
−  任意ランダム（ｐｓｅｕｄｏ−ｒａｎｄｏｍ）シーケンス発生器パラメータ（ｎ＿ＩＤ）
【０１９５】
−  転送モード１０が設定された場合、ＱＣＬ（ＱｕａｓｉＣｏ−Ｌｏｃａｔｅｄ）タイプＢ  ＵＥ仮定のためのＱＣＬスクランブリング識別子（ｑｃｌ−ＳｃｒａｍｂｌｉｎｇＩｄｅｎｔｉｔｙ−ｒ１１）、ＣＲＳポートカウント（ｃｒｓ−ＰｏｒｔｓＣｏｕｎｔ−ｒ１１）、ＭＢＳＦＮサブフレーム設定リスト（ｍｂｓｆｎ−ＳｕｂｆｒａｍｅＣｏｎｆｉｇＬｉｓｔ−ｒ１１）パラメータを含む上位階層パラメータ（’ｑｃｌ−ＣＲＳ−Ｉｎｆｏ−ｒ１１’）
【０１９６】
ＵＥが導出したＣＳＩフィードバック値が［−８，１５］ｄＢ範囲内の値を有する時、Ｐ＿ＣはＣＳＩ−ＲＳ  ＥＰＲＥに対するＰＤＳＣＨ  ＥＰＲＥの割合で仮定される。ここで、ＰＤＳＣＨ  ＥＰＲＥはＣＲＳ  ＥＰＲＥに対するＰＤＳＣＨ  ＥＰＲＥの割合がρ＿Ａであるシンボルに該当する。
【０１９７】
サービングセルの同一なサブフレームでＣＳＩ−ＲＳとＰＭＣＨが共に設定されない。
【０１９８】
フレーム構造タイプ２で４個のＣＲＳアンテナポートが設定された場合、ＵＥは一般ＣＰの場合は［２０−３１］セット（表３参照）、または拡張ＣＰの場合は［１６−２７］セット（表４参照）に属するＣＳＩ−ＲＳ構成インデックスが設定されない。
【０１９９】
ＵＥはＣＳＩ−ＲＳ資源構成のＣＳＩ−ＲＳアンテナポートが遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、及び平均遅延（ａｖｅｒａｇｅ  ｄｅｌａｙ）に対してＱＣＬ関係を有すると仮定することができる。
【０２００】
転送モード１０、そしてＱＣＬタイプＢが設定されたＵＥは、ＣＳＩ−ＲＳ資源構成に該当するアンテナポート０−３とＣＳＩ−ＲＳ資源構成に該当するアンテナポート１５−２２がドップラー拡散（Ｄｏｐｐｌｅｒ  ｓｐｒｅａｄ）、ドップラーシフト（Ｄｏｐｐｌｅｒ  ｓｈｉｆｔ）に対してＱＣＬ関係と仮定することができる。
【０２０１】
転送モード１−９が設定されたＵＥの場合、サービングセルに対してＵＥは１つのＺＰ  ＣＳＩ−ＲＳ資源構成が設定できる。転送モード１０が設定されたＵＥの場合、サービングセルに対してＵＥは１つまたはその以上のＺＰ  ＣＳＩ−ＲＳ資源構成が設定できる。
【０２０２】
上位階層シグナリングを通じてＺＰ  ＣＳＩ−ＲＳ資源構成のための以下のようなパラメータが設定できる。
【０２０３】
−  ＺＰ  ＣＳＩ−ＲＳ構成リスト（ｚｅｒｏＴｘＰｏｗｅｒＲｅｓｏｕｒｃｅＣｏｎｆｉｇＬｉｓｔ）（表３及び表４参照）：ゼロ−パワーＣＳＩ−ＲＳ構成に関するパラメータ
【０２０４】
−  ＺＰ  ＣＳＩ−ＲＳサブフレーム構成（ｅｒｏＴｘＰｏｗｅｒＳｕｂｆｒａｍｅＣｏｎｆｉｇ、すなわちＩ＿ＣＳＩ−ＲＳ）（表５参照）：ゼロ−パワーＣＳＩ−ＲＳが転送されるサブフレーム周期及び／又はオフセットに関するパラメータ
【０２０５】
サービングセルの同一なサブフレームでＺＰ  ＣＳＩ−ＲＳとＰＭＣＨが同時に設定されない。
【０２０６】
転送モード１０が設定されたＵＥの場合、サービングセルに対して１つまたはその以上のＣＳＩ−ＩＭ（Ｃｈａｎｎｅｌ−Ｓｔａｔｅ  Ｉｎｆｏｒｍａｔｉｏｎ−ｉｎｔｅｒｆｅｒｅｎｃｅ  Ｍｅａｓｕｒｅｍｅｎｔ）資源構成が設定できる。
【０２０７】
上位階層シグナリングを通じて各ＣＳＩ−ＩＭ資源構成のための以下のようなパラメータが設定できる。
【０２０８】
−  ＺＰ  ＣＳＩ−ＲＳ構成（表３及び表４参照）
【０２０９】
−  ＺＰ  ＣＳＩ  ＲＳサブフレーム構成（Ｉ＿ＣＳＩ−ＲＳ）（表５参照）
【０２１０】
ＣＳＩ−ＩＭ資源構成は設定されたＺＰ  ＣＳＩ−ＲＳ資源構成のうちのいずれか１つと同一である。
【０２１１】
サービングセルの同一なサブフレーム内のＣＳＩ−ＩＭ資源とＰＭＣＨが同時に設定されない。
【０２１２】
（マッシブＭＩＭＯ（Ｍａｓｓｉｖｅ  ＭＩＭＯ））
【０２１３】
多数のアンテナを有するＭＩＭＯシステムをマッシブＭＩＭＯ（Ｍａｓｓｉｖｅ  ＭＩＭＯ）システムと称することができ、スペクトル効率（ｓｐｅｃｔｒａｌ  ｅｆｆｉｃｉｅｎｃｙ）、エネルギー効率（ｅｎｅｒｇｙ  ｅｆｆｉｃｉｅｎｃｙ）、プロセシング複雑度（ｐｒｏｃｅｓｓｉｎｇ  ｃｏｍｐｌｅｘｉｔｙ）を向上させるための手段として注目を受けている。
【０２１４】
最近、３ＧＰＰでは未来の移動通信システムのスペクトル効率性に対する要求事項を満たすためにマッシブＭＩＭＯシステムに対する議論が始まった。マッシブＭＩＭＯは全−次元ＭＩＭＯ（ＦＤ−ＭＩＭＯ：Ｆｕｌｌ−Ｄｉｍｅｎｓｉｏｎ  ＭＩＭＯ）とも称される。
【０２１５】
ＬＴＥリリーズ（Ｒｅｌ：ｒｅｌｅａｓｅ）−１２以後の無線通信システムでは、能動アンテナシステム（ＡＡＳ：Ａｃｔｉｖｅ  Ａｎｔｅｎｎａ  Ｓｙｓｔｅｍ）の導入が考慮されている。
【０２１６】
信号の位相及びサイズを調整することができる増幅器とアンテナが分離されている既存の受信アンテナシステムとは異なり、ＡＡＳは各々のアンテナが増幅器のような能動素子を含むように構成されたシステムを意味する。
【０２１７】
ＡＡＳは能動アンテナ使用によって増幅器とアンテナを連結するための別途のケーブル、コネクター、その他のハードウェアなどが必要でなく、したがってエネルギー及び運用費用側面で効率性の高い特徴を有する。特に、ＡＡＳは各アンテナ別電子式ビーム制御（ｅｌｅｃｔｒｏｎｉｃ  ｂｅａｍ  ｃｏｎｔｒｏｌ）方式を支援するので、ビーム方向及びビーム幅を考慮した精巧なビームパターン形成、または３次元ビームパターンを形成するなどの進歩したＭＩＭＯ技術を可能にする。
【０２１８】
ＡＡＳなどの進歩したアンテナシステムの導入により多数の入出力アンテナと多次元アンテナ構造を有する大規模ＭＩＭＯ構造も考慮されている。一例に、既存の一字型アンテナ配列とは異なり、２次元（２Ｄ：２−Ｄｉｍｅｎｓｉｏｎ）アンテナ配列を形成する場合、ＡＡＳの能動アンテナにより３次元ビームパターンを形成することができる。
【０２１９】
図９は、本発明が適用できる無線通信システムにおける６４個のアンテナ要素（ａｎｔｅｎｎａ  ｅｌｅｍｅｎｔｓ）を有する２次元能動アンテナシステムを例示する。
【０２２０】
図９では一般的な２次元（２Ｄ：２Ｄｉｍｅｎｓｉｏｎ）アンテナ配列を例示しており、図９のようにＮ＿ｔ＝Ｎ＿ｖ・Ｎ＿ｈ個のアンテナが正方形の形態を有する場合を考慮することができる。ここで、Ｎ＿ｈは水平方向にアンテナ列の個数を、Ｎ＿ｖは垂直方向にアンテナ行の個数を示す。
【０２２１】
このような２Ｄ構造のアンテナ配列を利用すれば、３次元空間で転送ビームが制御できるように無線波長（ｒａｄｉｏ  ｗａｖｅ）が垂直方向（高度（ｅｌｅｖａｔｉｏｎ））及び水平方向（方位角（ａｚｉｍｕｔｈ））に全て制御できる。このようなタイプの波長制御メカニズムを３次元ビームフォーミングと称することができる。
【０２２２】
図１０は、本発明が適用できる無線通信システムにおける基地局または端末がＡＡＳ基盤の３Ｄ（３−Ｄｉｍｅｎｓｉｏｎ）ビーム形成可能な多数の送／受信アンテナを有しているシステムを例示する。
【０２２３】
図１０は前述した例を図式化したものであって、２次元アンテナ配列（すなわち、２Ｄ−ＡＡＳ）を用いた３Ｄ  ＭＩＭＯシステムを例示する。
【０２２４】
送信アンテナ観点から前記３次元ビームパターンを活用する場合、ビームの水平方向だけでなく、垂直方向への準−静的または動的なビーム形成を遂行することができ、一例に垂直方向のセクター形成などの応用を考慮することができる。
【０２２５】
また、受信アンテナ観点からは、大規模受信アンテナを活用して受信ビームを形成する時、アンテナ配列利得（ａｎｔｅｎｎａ  ａｒｒａｙ  ｇａｉｎ）に従う信号電力上昇効果を期待することができる。したがって、アップリンクの場合、基地局が多数のアンテナを介して端末から転送される信号を受信することができ、この際、端末は干渉影響を減らすために大規模受信アンテナの利得を考慮して自身の送信電力を非常に低く設定することができる長所がある。
【０２２６】
図１１は、本発明が適用できる無線通信システムにおける交差偏波（ｃｒｏｓｓ  ｐｏｌａｒｉｚａｔｉｏｎ）を有する２次元アンテナシステムを例示する。
【０２２７】
偏波（Ｐｏｌａｒｉｚａｔｉｏｎ）を考慮した２Ｄ平面配列アンテナ（ｐｌａｎａｒ  ａｎｔｅｎｎａ  ａｒｒａｙ）モデルの場合、図１１のように図式化することができる。
【０２２８】
受動的アンテナ（ｐａｓｓｉｖｅ  ａｎｔｅｎｎａ）に従う既存のＭＩＭＯシステムとは異なり、能動アンテナに基づいたシステムは各アンテナ要素に付着された（または、含まれた）能動素子（例えば、増幅器）に加重値を適用することによって、アンテナ要素の利得（ｇａｉｎ）を動的に調節することができる。放射パターン（ｒａｄｉａｔｉｏｎ  ｐａｔｔｅｒｎ）は、アンテナ要素の個数、アンテナ間隔（ｓｐａｃｉｎｇ）などのアンテナ配置（ａｒｒａｎｇｅｍｅｎｔ）に依存するので、アンテナシステムはアンテナ要素レベルでモデリングできる。
【０２２９】
図１１の例示のようなアンテナ配列モデルを（Ｍ、Ｎ、Ｐ）として示すことができ、これはアンテナ配列構造を特徴づけるパラメータに該当する。
【０２３０】
Ｍは各列（すなわち、垂直方向で）で同一な偏波（ｐｏｌａｒｉｚａｔｉｏｎ）を有しているアンテナ要素（ａｎｔｅｎｎａ  ｅｌｅｍｅｎｔ）の個数（すなわち、各列で＋４５゜傾斜（ｓｌａｎｔ）を有しているアンテナ要素の個数または各列で−４５゜傾斜（ｓｌａｎｔ）を有しているアンテナ要素の個数）を示す。
【０２３１】
Ｎは、水平方向の列の個数（すなわち、水平方向でアンテナ要素の個数）を示す。
【０２３２】
Ｐは、偏波（ｐｏｌａｒｉｚａｔｉｏｎ）の次元（ｄｉｍｅｎｓｉｏｎ）の個数を示す。図１１の場合のように交差偏波（ｃｒｏｓｓ  ｐｏｌａｒｉｚａｔｉｏｎ）の場合はＰ＝２であるが、同一偏波（ｃｏ−ｐｏｌａｒｉｚａｔｉｏｎ）の場合はＰ＝１である。
【０２３３】
アンテナポート（ａｎｔｅｎｎａ  ｐｏｒｔ）は物理的アンテナ要素（ｐｈｙｓｉｃａｌ  ａｎｔｅｎｎａ  ｅｌｅｍｅｎｔ）にマッピングできる。アンテナポート（ａｎｔｅｎｎａ  ｐｏｒｔ）は該当アンテナポートと関連した参照信号により定義できる。例えば、ＬＴＥシステムでアンテナポート０はＣＲＳ（Ｃｅｌｌ−ｓｐｅｃｉｆｉｃ  Ｒｅｆｅｒｅｎｃｅ  Ｓｉｇｎａｌ）と関連し、アンテナポート６はＰＲＳ（Ｐｏｓｉｔｉｏｎｉｎｇ  Ｒｅｆｅｒｅｎｃｅ  Ｓｉｇｎａｌ）と関連できる。
【０２３４】
一例に、アンテナポートと物理的アンテナ要素との間は一対一にマッピングできる。単一の交差偏波（ｃｒｏｓｓ  ｐｏｌａｒｉｚａｔｉｏｎ）アンテナ要素がダウンリンクＭＩＭＯまたはダウンリンク転送ダイバーシティのために使われる場合などがこれに該当できる。例えば、アンテナポート０は１つの物理的アンテナ要素にマッピングされる一方、アンテナポート１は他の物理的アンテナ要素にマッピングできる。この場合、端末の立場では、２つのダウンリンク転送が存在する。１つはアンテナポート０のための参照信号と関連し、更に他の１つはアンテナポート１のための参照信号と関連する。
【０２３５】
他の一例に、単一のアンテナポートは多重の物理的アンテナ要素にマッピングできる。ビームフォーミング（ｂｅａｍｆｏｒｍｉｎｇ）のために使われる場合などがこれに該当できる。ビームフォーミングは多重の物理的アンテナ要素を用いることによって、ダウンリンク転送が特定端末に向かうようにすることができる。一般的に、多重の交差偏波（ｃｒｏｓｓ  ｐｏｌａｒｉｚａｔｉｏｎ）アンテナ要素の多重の列（ｃｏｌｕｍｎ）で構成されるアンテナ配列（ａｎｔｅｎｎａ  ａｒｒａｙ）を使用してこれを達成することができる。この場合、端末の立場では、単一のアンテナポートから発生した単一のダウンリンク転送が存在する。１つはアンテナポート０のためのＣＲＳと関連し、更に他の１つはアンテナポート１のためのＣＲＳと関連する。
【０２３６】
すなわち、アンテナポートは基地局で物理的アンテナ要素から転送された実際のダウンリンク転送でない端末の立場でのダウンリンク転送を示す。
【０２３７】
他の一例に、多数のアンテナポートがダウンリンク転送のために使われるが、各アンテナポートは多重の物理的アンテナ要素にマッピングできる。この場合はアンテナ配列がダウンリンクＭＩＭＯまたはダウンリンクダイバーシティのために使われる場合などがこれに該当できる。例えば、アンテナポート０及び１は各々多重の物理的アンテナ要素にマッピングできる。この場合、端末の立場では、２つのダウンリンク転送が存在する。１つはアンテナポート０のための参照信号と関連し、更に他の１つはアンテナポート１のための参照信号と関連する。
【０２３８】
ＦＤ−ＭＩＭＯでは、データストリームのＭＩＭＯプリコーディングはアンテナポート仮想化、トランシーバーユニット（または、送受信ユニット）（ＴＸＲＵ：ｔｒａｎｓｃｅｉｖｅｒ  ｕｎｉｔ）仮想化、アンテナ要素パターンを経ることができる。
【０２３９】
アンテナポート仮想化は、アンテナポート上のストリームがＴＸＲＵ上でプリコーディングされる。ＴＸＲＵ仮想化は、ＴＸＲＵ信号がアンテナ要素上でプリコーディングされる。アンテナ要素パターンは、アンテナ要素から放射される信号は方向性の利得パターン（ｄｉｒｅｃｔｉｏｎａｌ  ｇａｉｎ  ｐａｔｔｅｒｎ）を有することができる。
【０２４０】
既存の送受信機（ｔｒａｎｓｃｅｉｖｅｒ）モデリングでは、アンテナポートとＴＸＲＵとの間の静的な一対一マッピングが仮定され、ＴＸＲＵ仮想化効果はＴＸＲＵ仮想化及びアンテナ要素パターンの効果全てを含む静的な（ＴＸＲＵ）アンテナパターンに合わせられる。
【０２４１】
アンテナポート仮想化は、周波数−選択的な方法により遂行できる。ＬＴＥでアンテナポートは参照信号（または、パイロット）と共に定義される。例えば、アンテナポート上でプリコーディングされたデータ転送のために、ＤＭＲＳがデータ信号と同一な帯域幅で転送され、ＤＭＲＳとデータ全て同一なプリコーダ（または、同一なＴＸＲＵ仮想化プリコーディング）でプリコーディングされる。ＣＳＩ測定のためにＣＳＩ−ＲＳは多重のアンテナポートを介して転送される。ＣＳＩ−ＲＳ転送において、端末でデータプリコーディングベクトルのためのＴＸＲＵ仮想化プリコーディング行列を推定できるようにＣＳＩ−ＲＳポートとＴＸＲＵとの間のマッピングを特徴づけるプリコーダは固有な行列に設計できる。
【０２４２】
ＴＸＲＵ仮想化方法は、１次元ＴＸＲＵ仮想化（１Ｄ  ＴＸＲＵ  ｖｉｒｔｕａｌｉｚａｔｉｏｎ）と２次元ＴＸＲＵ仮想化（２Ｄ  ＴＸＲＵ  ｖｉｒｔｕａｌｉｚａｔｉｏｎ）が論議され、これに対し、以下の図面を参照して説明する。
【０２４３】
図１２は、本発明が適用できる無線通信システムにおけるトランシーバーユニットモデルを例示する。
【０２４４】
１Ｄ  ＴＸＲＵ仮想化において、Ｍ＿ＴＸＲＵ個のＴＸＲＵは同一な偏波（ｐｏｌａｒｉｚａｔｉｏｎ）を有する単一の列（ｃｏｌｕｍｎ）アンテナ配列で構成されるＭ個のアンテナ要素と関連する。
【０２４５】
２Ｄ  ＴＸＲＵ仮想化において、先の図１１のアンテナ配列モデル構成（Ｍ、Ｎ、Ｐ）に相応するＴＸＲＵモデル構成は（Ｍ＿ＴＸＲＵ、Ｎ、Ｐ）として示すことができる。ここで、Ｍ＿ＴＸＲＵは２Ｄと同一な列、同一な偏波（ｐｏｌａｒｉｚａｔｉｏｎ）に存在するＴＸＲＵの個数を意味し、Ｍ＿ＴＸＲＵ≦Ｍを常に満たす。すなわち、ＴＸＲＵの総個数はＭ＿ＴＸＲＵ×Ｎ×Ｐの通りである。
【０２４６】
ＴＸＲＵ仮想化モデルは、アンテナ要素とＴＸＲＵとの相関関係によって図１２（ａ）のようにＴＸＲＵ仮想化（ｖｉｒｔｕａｌｉｚａｔｉｏｎ）モデルオプション−１：サブ−配列分割モデル（ｓｕｂ−ａｒｒａｙ  ｐａｒｔｉｔｉｏｎ  ｍｏｄｅｌ）と、図１２（ｂ）のようにＴＸＲＵ仮想化モデルオプション−２：全域連結（ｆｕｌｌ−ｃｏｎｎｅｃｔｉｏｎ）モデルとに区分できる。
【０２４７】
図１２（ａ）を参照すると、サブ−配列分割モデル（ｓｕｂ−ａｒｒａｙ  ｐａｒｔｉｔｉｏｎ  ｍｏｄｅｌ）の場合、アンテナ要素は多重のアンテナ要素グループに分割され、各ＴＸＲＵはグループのうちの１つと連結される。
【０２４８】
図１２（ｂ）を参照すると、全域連結（ｆｕｌｌ−ｃｏｎｎｅｃｔｉｏｎ）モデルの場合、多重のＴＸＲＵの信号が結合されて単一のアンテナ要素（または、アンテナ要素の配列）に伝達される。
【０２４９】
図１２で、ｑは１つの列（ｃｏｌｕｍｎ）内のＭ個の同一な偏波（ｃｏ−ｐｏｌａｒｉｚｅｄ）を有するアンテナ要素の送信信号ベクトルである。ｗは広帯域ＴＸＲＵ仮想化加重値ベクトル（ｗｉｄｅｂａｎｄ  ＴＸＲＵ  ｖｉｒｔｕａｌｉｚａｔｉｏｎ  ｗｅｉｇｈｔ  ｖｅｃｔｏｒ）であり、Ｗは広帯域ＴＸＲＵ仮想化加重値行列（ｗｉｄｅｂａｎｄ  ＴＸＲＵ  ｖｉｒｔｕａｌｉｚａｔｉｏｎ  ｗｅｉｇｈｔ  ｍａｔｒｉｘ）である。ｘは、Ｍ＿ＴＸＲＵ個のＴＸＲＵの信号ベクトルである。
【０２５０】
ここで、アンテナポートとＴＸＲＵとのマッピングは一対一（１−ｔｏ−１）または一対多（１−ｔｏ−ｍａｎｙ）でありうる。
【０２５１】
図１２で、ＴＸＲＵとアンテナ要素との間のマッピング（ＴＸＲＵ−ｔｏ−ｅｌｅｍｅｎｔ  ｍａｐｐｉｎｇ）は１つの例示を示すものであり、本発明がこれに限定されるものではなく、ハードウェア観点からその他の多様な形態に具現できるＴＸＲＵとアンテナ要素との間のマッピングにも本発明が同一に適用できる。
【０２５２】
（ハイブリッドチャンネル状態情報（Ｈｙｂｒｉｄ  ＣＳＩ）送受信方法）
【０２５３】
−Ｒｅｌ−１３  ＣＳＩプロセス構成（ＣＳＩ  ｐｒｏｃｅｓｓ  ｃｏｎｆｉｇｕｒａｔｉｏｎ）
【０２５４】
１．導入
【０２５５】
プリコーディングされない（ｎｏｎ−ｐｒｅｃｏｄｅｄ）ＣＳＩ−ＲＳ及びビームフォーミングされた（ｂｅａｍｆｏｒｍｅｄ）ＣＳＩ−ＲＳ基盤の技法を全て支援するためのＣＳＩ  ｐｒｏｃｅｓｓは次の通りである。
【０２５６】
ＣＳＩ  ｐｒｏｃｅｓｓは、Ｋ個（Ｋ＞＝１）のＣＳＩ−ＲＳ資源／構成と関連する。この際、全体Ｋ個のＣＳＩ−ＲＳ資源／構成のうち、ｋ番目のＣＳＩ−ＲＳ資源（ｒｅｓｏｕｒｃｅ）に対するＣＳＩ−ＲＳポート（ｐｏｒｔ）数はＮ＿ｋである。
【０２５７】
クラス（ｃｌａｓｓ）  Ａ  ＣＳＩ報告（すなわち、プリコーディングされない（ｎｏｎ−ｐｒｅｃｏｄｅｄ）ＣＳＩ−ＲＳ基盤のＣＳＩ報告）の場合、１つのＣＳＩ  ｐｒｏｃｅｓｓ内の最大の総ＣＳＩ−ＲＳ  ｐｏｒｔの数は１６である。
【０２５８】
ｃｌａｓｓ  Ａ  ＣＳＩ報告の場合、次のような代案（ａｌｔｅｒｎａｔｉｖｅ）のうちの１つが用いられる。
【０２５９】
Ａｌｔ．１：Ｎ＿ｋ＝１２／１６であるＣＳＩ−ＲＳ  ｒｅｓｏｕｒｃｅ／ｃｏｎｆｉｇｕｒａｔｉｏｎが予め定義できる。すなわち、ＣＳＩ−ＲＳ  ｃｏｎｆｉｇｕｒａｔｉｏｎのインデックスがＫ＝１であるＣＳＩ  ｐｒｏｃｅｓｓのために設定できる。
【０２６０】
Ａｌｔ．２：１２／１６  ｐｏｒｔ  ＣＳＩ−ＲＳは２／４／８  ｐｏｒｔのＣＳＩ−ＲＳ  ｒｅｓｏｕｒｃｅ／ｃｏｎｆｉｇｕｒａｔｉｏｎ  Ｋ個（Ｋ＞１）が併合できる。
【０２６１】
ｃｌａｓｓ  Ａ  ＣＳＩ報告及びｃｌａｓｓ  Ｂ  ＣＳＩ報告（すなわち、ビームフォーミングされた（ｂｅａｍｆｏｒｍｅｄ）ＣＳＩ−ＲＳ基盤のＣＳＩ報告）において（ＣＳＩ−ＩＭが支援され使われる場合）、ＣＳＩ  ｐｒｏｃｅｓｓと関連したＣＳＩ−ＩＭとＣＳＩ  ｒｅｓｏｕｒｃｅ／ｃｏｎｆｉｇｕｒａｔｉｏｎに対して次のような代案（ａｌｔｅｒｎａｔｉｖｅ）のうちの１つが選択できる。
【０２６２】
Ａｌｔ．１：１つのＣＳＩ  ｐｒｏｃｅｓｓは１つのＣＳＩ−ＩＭ（１つのＣＳＩ  ｐｒｏｃｅｓｓ内の全てのＣＳＩ  ｒｅｓｏｕｒｃｅ／ｃｏｎｆｉｇｕｒａｔｉｏｎに対して共通的な干渉測定資源）と関連する。
【０２６３】
Ａｌｔ．２：１つのＣＳＩ  ｐｒｏｃｅｓｓは多重のＣＳＩ−ＩＭと関連できる。
【０２６４】
ＲＲＣシグナリングは互いに異なるＣＳＩ−ＩＭ  ｒｅｓｏｕｒｃｅ  ｃｏｎｆｉｇｒｕａｔｉｏｎと関連した互いに異なるＣＳＩ  ｒｅｓｏｕｒｃｅ／ｃｏｎｆｉｇｕｒａｔｉｏｎを支援する。
【０２６５】
２．Ｃｌａｓｓ  Ａ関連設定
【０２６６】
Ｃｌａｓｓ  Ａ  ＣＳＩ報告はＵＥが｛８，１２，１６｝ＣＳＩ−ＲＳポートに基づいたコードブックＷ＝Ｗ１Ｗ２によってＣＳＩを報告することを暗示（ｉｍｐｌｙ）する。
【０２６７】
ＣＳＩ  ｒｅｓｏｕｒｃｅ／ｃｏｎｆｉｇｕｒａｔｉｏｎのＲＲＣ設定のために、次のような代案のうちの１つが選択できる。
【０２６８】
Ａｌｔ．１：Ｎ＿ｋ＝１２／１６であるＣＳＩ−ＲＳ  ｒｅｓｏｕｒｃｅ／ｃｏｎｆｉｇｕｒａｔｉｏｎが予め定義できる。すなわち、ＣＳＩ−ＲＳ  ｃｏｎｆｉｇｕｒａｔｉｏｎのインデックスがＫ＝１であるＣＳＩ  ｐｒｏｃｅｓｓのために設定できる。
【０２６９】
Ａｌｔ．２：１２／１６ｐｏｒｔ  ＣＳＩ−ＲＳは、２／４／８ｐｏｒｔのＣＳＩ−ＲＳ  ｒｅｓｏｕｒｃｅ／ｃｏｎｆｉｇｕｒａｔｉｏｎ  Ｋ個（Ｋ＞１）が併合できる。
【０２７０】
前記Ａｌｔ．１は少なくとも１つの新たなＣＳＩ参照信号構成（例えば、１６ポート場合）が追加され、予め定義（すなわち、規格に固定）されることを意味する。この場合、Ｃｌａｓｓ  Ａが設定で指示される時、該当ＣＳＩ  ｐｒｏｃｅｓｓ  ｃｏｎｆｉｇｕｒａｔｉｏｎのためにＫ＝１が常に適用される。Ａｌｔ．１はＵＥ具現ケースを最小化し、向上（ｅｎｈａｎｃｅｍｅｎｔ）が既存の規格で定義するテーブルに容易に統合（ｉｎｄｏｒｐｏｒａｔｅ）できる点で長所がある。
【０２７１】
Ａｌｔ．２は、Ｋ（＞１）ＣＳＩ−ＲＳ資源を伴ったＲＲＣ設定で、Ａｌｔ．１に比べてより柔軟性を許容する。ここで、該当ｃｌａｓｓ  Ａ  ＣＳＩ報告を遂行するためにＵＥにより測定されるこれら多重のＣＳＩ−ＲＳ資源は併合（ａｇｇｒｅｇａｔｉｏｎ）される。Ａｌｔ．２がＫ  ＣＳＩ−ＲＳ資源を併合するネットワーク柔軟性に長所があっても、特にサブフレーム構成のための設定内で適切な制限を有するように考慮されなければならない。
【０２７２】
提案１：位相ドリフト（ｐｈａｓｅ  ｄｒｉｆｔ）による顕著な性能悪化を考慮して、ＣＳＩ−ＲＳ資源内の如何なる設定されたポート間の最大時間差は０．２８ｍｓより大きくてはならない。
【０２７３】
提案２：前記提案１で与えられた提案を満たすという仮定下に、Ａｌｔ．１設定が選択されるのか、またはＡｌｔ．２設定が選択されるのかを判断するように多様な可能なＣＳＩ−ＲＳパターンがリストアップ（ｌｉｓｔ  ｕｐ）できる。
【０２７４】
３．Ｃｌａｓｓ  Ｂ関連設定
【０２７５】
ｃｌａｓｓ  Ｂ  ＣＳＩ報告は、以下のような４種類の代案（ａｌｔｅｒｎａｔｉｖｅ）のうちの１つを仮定し、各々Ｎ＿ｋポートを有するＫ個のビームフォーミングされたＣＳＩ−ＲＳ資源の測定に基づいて、ＵＥがＬポートＣＳＩを報告するということを暗示（ｉｍｐｌｙ）する。
【０２７６】
Ａｌｔ．１：ビーム選択のための指示子と選択されたビームに対するＬポートＣＱＩ／ＰＭＩ／ＲＩ．ＣＳＩプロセス内の全てのＣＳＩ−ＲＳ資源に亘って全体設定されたポートの数はＬより大きい。
【０２７７】
Ａｌｔ．２：２つの極性（ｐｏｌａｒｉｚａｔｉｏｎ）に共通的に、ビーム選択と位相一致（ｃｏ−ｐｈａｓｉｎｇ）を全て反映するコードブックからのＬポートプリコーダ。ＣＳＩプロセス内の全ての設定されたポートの数はＬである。
【０２７８】
Ａｌｔ．３：ビーム選択及び選択されたビームに対するＬポートＣＳＩを反映したコードブック。ＣＳＩプロセス内の全てのＣＳＩ−ＲＳ資源に亘って全体設定されたポートの数はＬより大きい。
【０２７９】
Ａｌｔ．４：ＬポートＣＱＩ／ＰＭＩ／ＲＩ。ＣＳＩプロセス内の全体設定されたポートの数はＬである。（ＣＳＩ測定制限（ＭＲ：ｍｅａｓｕｒｅｍｅｎｔ  ｒｅｓｔｒｉｃｔｉｏｎ）が支援されれば、常に設定される）
【０２８０】
特に、Ａｌｔ．１及びＡｌｔ．３において、ＵＥがＣｌａｓｓ  ＢのＣＳＩプロセス内の設定された全体Ｋ  ＣＳＩ−ＲＳ資源で少なくとも１つの好むビームフォーミングされたＣＳＩ−ＲＳ資源を選択するためにＫ＞１は一般的に考慮される。そのような選択フィードバックのために、Ａｌｔ．１はビーム指示子（ＢＩ：ｂｅａｍ  ｉｎｄｉｃａｔｏｒ）報告に基づき、一方Ａｌｔ．３は選択コードブック基盤の報告に基づく。リリーズ（Ｒｅｌ）−１３は制限された時間フレームによって単一のｂｅａｍｆｏｒｍｅｄ  ＣＳＩ−ＲＳ資源選択に焦点を合せるため、選択フィードバックの単純な形態としてＡｌｔ．１が選択できる。一方、次のリリーズでは１より大きい垂直ランクを獲得するために１つ以上のＣＳＩ−ＲＳ資源を選択する拡張されたケースを研究することが好ましく、このようなケースで、Ａｌｔ．３基盤の選択コードブック構造がより適することがある。
【０２８１】
新しく定義されるＣＳＩプロセスのＲＲＣ設定内のＫの最大値に対し、どんな技法が最も良い性能を示し、またそのような性能のためのＫの値が何かを研究するためにＣｌａｓｓ  Ｂ報告技法を考慮することが好ましい。
【０２８２】
提案３：最も良い性能を示すＣｌａｓｓ  Ｂ技法（Ａｌｔ．１（ＢＩフィードバック）及びＡｌｔ．４（常にＭＲオン）を組合せ）に基づいて、Ｒｅｌ−１３でＫの最大値は１６でありうる。
【０２８３】
１つのＣＳＩプロセス内の最大全体ＣＳＩ−ＲＳポートの数に対し、Ｒｅｌ−１３内で考慮されたＴＸＲＵの全体数と同一な６４として定義できる。この場合、
【０２８４】
提案１に基づいて１つのＣＳＩプロセス内のＫ＝１６が最大であれば、各ｋ  ＣＳＩ−ＲＳ資源に対するＮ＿ｋは４でありうる。更に他の例は、１つのＣＳＩプロセス内のＫ＝８であり、各ｋ  ＣＳＩ−ＲＳ資源に対するＮ＿ｋが８でありうる。如何なる場合において、単一のＣＳＩプロセス内の最大の全体ＣＳＩ−ＲＳポートの数は６４までに制限できる。
【０２８５】
提案４：単一のＣＳＩプロセス内の最大全体ＣＳＩ−ＲＳポートの数はＲｅｌ−１３で考慮される全体ＴＸＲＵの数と同一に６４でありうる。
【０２８６】
４．ＣＳＩ−ＩＭ関連設定
【０２８７】
Ａｌｔ．１：１つのＣＳＩプロセスは１つのＣＳＩ−ＩＭと関連する。（１つのＣＳＩプロセス内の全体ＣＳＩ資源／構成に亘る共通の干渉測定資源）
【０２８８】
Ａｌｔ．４：１つのＣＳＩプロセスは多重のＣＳＩ−ＩＭと関連する。
【０２８９】
−ＲＲＣシグナリングは互いに異なるＣＳＩ−ＩＭ資源構成と関連する互いに異なるＣＳＩ資源／構成を支援する。
【０２９０】
このような問題はＣｌａｓｓ  Ｂに対するＣＳＩプロセス構成がセクター別に個別的なＣＳＩ−ＩＭ資源がＵＥに設定されるために各仮想のセクターが独立的に動作されることを仮定する、如何なる仮想のセクター化シナリオ（ｖｉｒｔｕａｌ  ｓｅｃｔｏｒｉｚａｔｉｏｎ  ｓｃｅｎａｒｉｏ）を支援するために利用できるか否かと関連する。より具体的に、ｋ番目（ここで、ｋ＝１，２，．．．，ｋ）ＣＳＩ−ＲＳ資源と関連した独立したＣＳＩ−ＩＭ資源が１つのＣＳＩプロセス構成内に支援されれば、ＵＥの好まれるＣＳＩ−ＲＳ資源選択フィードバックは動的な仮想のセクター選択動作のために効率良く利用できる。さらに、各ＣＳＩ−ＲＳが互いに異なる転送ポイント（ＴＰ：ｔｒａｎｓｍｉｓｓｉｏｎ  ｐｏｉｎｔ）から転送される場合、そのようなＣＳＩプロセス構成は、また分散されたアンテナシナリオとしてＣｏＭＰ動作のために利用できる。整理すると、Ｃｌａｓｓ  Ｂ基盤ＣＳＩプロセス構成のケースを制限することは好ましくない。
【０２９１】
提案５：ｋ番目（ここで、ｋ＝１，２，．．．，Ｋ）のＣＳＩ−ＲＳ資源と関連した独立的なＣＳＩ−ＩＭ資源構成を許容することによって、ネットワーク具現に依存してＣｌａｓｓ  Ｂに対するＲｅｌ−１３  ＣＳＩプロセスの柔軟な活用を支援することが利得でありうる。
【０２９２】
−  ビームフォーミングされた（ｂｅａｍｆｏｒｍｅｄ）ＣＳＩ−ＲＳ構成（ｃｏｎｆｉｇｕｒａｔｉｏｎ）
【０２９３】
１．導入
【０２９４】
ＣＳＩ報告はＰＭＩを伴う。
【０２９５】
ＣＳＩ  ｐｒｏｃｅｓｓは２つのＣＳＩ報告ｃｌａｓｓ  ＡまたはＢに設定できる。
【０２９６】
Ｃｌａｓｓ  Ａの場合、ＵＥは｛８，１２，１６｝ＣＳＩ−ＲＳポートに基づいてＷ＝Ｗ１Ｗ２コードブックによってＣＳＩを報告する。
【０２９７】
Ｃｌａｓｓ  Ｂの場合、ＵＥは以下のような４種類の代案（ａｌｔｅｒｎａｔｉｖｅ）のうちの１つを仮定してＬポートＣＳＩを報告する。
【０２９８】
Ａｌｔ．１：ビーム選択のための指示子と選択されたビームに対するＬポートＣＱＩ／ＰＭＩ／ＲＩ．ＣＳＩプロセス内の全てのＣＳＩ−ＲＳ資源に亘って全体設定されたポートの数はＬより大きい。
【０２９９】
Ａｌｔ．２：２つの極性（ｐｏｌａｒｉｚａｔｉｏｎ）に共通的に、ビーム選択と位相一致（ｃｏ−ｐｈａｓｉｎｇ）を全て反映するコードブックからのＬポートｐｒｅｃｏｄｅｒ。ＣＳＩプロセス内の全ての設定されたポートの数はＬである。
【０３００】
Ａｌｔ．３：ビーム選択及び選択されたビームに対するＬポートＣＳＩを反映したコードブック。ＣＳＩプロセス内の全てのＣＳＩ−ＲＳ資源に亘って全体設定されたポートの数はＬより大きい。
【０３０１】
Ａｌｔ．４：ＬポートＣＱＩ／ＰＭＩ／ＲＩ。ＣＳＩプロセス内の全体設定されたポートの数はＬである。（ＣＳＩ測定制限（ＭＲ：ｍｅａｓｕｒｅｍｅｎｔ  ｒｅｓｔｒｉｃｔｉｏｎ）が支援されれば、常に設定される）
【０３０２】
ここで、ビーム選択（ｂｅａｍ  ｓｅｌｅｃｔｉｏｎ）は単一のＣＳＩ−ＲＳ資源内でアンテナポートのサブセットの選択または資源のセットからＣＳＩ−ＲＳ資源の選択でありうる。
【０３０３】
また、報告されたＣＳＩはＲｅｌ−１２  ＬポートＣＳＩの拡張に該当することができる。
【０３０４】
前記ＣＳＩ報告ｃｌａｓｓ  Ｂの代案１、２、３、及び４において、Ｎ＿ｋ∈｛１，２，４，８｝である。
【０３０５】
Ａｌｔ．１の場合、ＵＥはＬ＝Ｎ＿ｋまたはＬ（＜＝Ｎ＿ｋ）（設定または固定できる）のうちの１つを仮定してＬポートＣＳＩを報告する。
【０３０６】
Ａｌｔ．２の場合、ＵＥはＬポートＣＳＩを報告する。この際、Ｌは全てのｋに対する和（すなわち、Ｌ＝ｓｕｍ（Ｎ＿ｋ））であるか、またはＫは常に１（すなわち、Ｌ＝Ｎ＿１）でありうる。
【０３０７】
Ａｌｔ．３の場合、ＵＥはＬ＝Ｎ＿ｋまたはＬ（＜＝Ｎ＿ｋ）（設定または固定できる）のうちの１つを仮定してＬポートＣＳＩを報告する。
【０３０８】
Ａｌｔ．４の場合、ＵＥはＬ＝Ｎ＿ｋを仮定してＬポートＣＳＩを報告する。
【０３０９】
２．Ｃｌａｓｓ  Ｂ  ＣＳＩ報告のために提案されたマージ動作（ｍｅｒｇｅｄ  ｏｐｅｒａｔｉｏｎ）
【０３１０】
前記４種類の代案のうち、Ａｌｔ．１及びＡｌｔ．３全て類似の動作目的を有しており、ここでＵＥがＣｌａｓｓ  Ｂに対するＣＳＩ  ｐｒｏｃｅｓｓ内の設定された全体Ｋ  ＣＳＩ−ＲＳ資源のうち、少なくとも１つの好まれたｂｅａｍｆｏｒｍｅｄ  ＣＳＩ−ＲＳ資源を選択するためにＫ＞１は一般的に考慮される。そのような選択フィードバックのために、Ａｌｔ．１はビーム指示子（ＢＩ：ｂｅａｍ  ｉｎｄｉｃａｔｏｒ）報告に基づき、一方、Ａｌｔ．３は選択コードブック基盤報告に基づく。リリーズ（Ｒｅｌ）−１３は制限された時間フレームによって単一のｂｅａｍｆｏｒｍｅｄ  ＣＳＩ−ＲＳ資源選択に焦点を合せるため、選択フィードバックの単純な形態としてＡｌｔ．１が選択できる。一方、次のリリーズでは、１より大きい垂直ランクを獲得するために１つ以上のＣＳＩ−ＲＳ資源を選択する拡張されたケースを研究することが好ましく、このようなケースで、Ａｌｔ．３基盤の選択コードブック構造がより適することがある。
【０３１１】
観察（Ｏｂｓｅｒｖａｔｉｏｎ）１：Ａｌｔ．１とＡｌｔ．３のうち、Ｒｅｌ−１３は単一のｂｅａｍｆｏｒｍｅｄ  ＣＳＩ−ＲＳ資源選択に焦点を合せる点を考慮すれば、選択フィードバックの単純な形態としてＡｌｔ．１を選択することが充分でありうる。
【０３１２】
Ａｌｔ．２はＵＥから短期（ｓｈｏｒｔ−ｔｅｒｍ）Ｗ２フィードバックのみに依存できるので、Ａｌｔ．２はＡｌｔ．１またはＡｌｔ．３と相異する同期（ｍｏｔｉｖａｔｉｏｎ）を有する。ここで、Ｗ１ビームフォーミング係数はＣＳＩ  ｐｒｏｃｅｓｓのために常にＫ＝１であるｂｅａｍｆｏｒｍｅｄ  ＣＳＩ−ＲＳ資源に予め適用されると解析できる。
【０３１３】
そのようなｂｅａｍｆｏｒｍｉｎｇ係数に対し、互いに異なるビーム方向が互いに異なる極性（ｐｏｌａｒｉｚａｔｉｏｎ）を有する２ポート対別に予め適用できる。これによって、ＵＥのＷ２フィードバックは互いに異なる（ｐｏｌａｒｉｚａｔｉｏｎ）のための位相一致（ｃｏ−ｐｈａｓｉｎｇ）だけでなく、ビーム選択情報としてｅＮＢ段で活用できる。しかしながら、性能の側面で、Ａｌｔ．２のこの技法はＡｌｔ．１基盤技法に対比してビーム係数適応周波数（ｂｅａｍ  ｃｏｅｆｆｉｃｉｅｎｔｓ  ａｄａｐｔａｔｉｏｎ  ｆｒｅｑｕｅｎｃｙ）内でより敏感でありうる。これは、主にＷ１及びＷ２が選択されたＣＳＩ−ＲＳ資源上でＵＥにより報告できるようにＡｌｔ．１がＣＳＩ−ＲＳ資源選択に基づく事実に起因する。一方、Ａｌｔ．２の技法は、既存のＷ１コンポーネントがＵＥのＣＳＩフィードバックにより収容できないので、単にＵＥによるＷ２フィードバックに基づく。
【０３１４】
観察（Ｏｂｓｅｒｖａｔｉｏｎ）２：Ｗ１フィードバックがＵＥのＣＳＩフィードバックに除外され、ｅＮＢ具現に代替されるので、Ｗ２フィードバックのみを伴ったＡｌｔ．２はビーム係数適応周波数（ｂｅａｍ  ｃｏｅｆｆｉｃｉｅｎｔｓ  ａｄａｐｔａｔｉｏｎ  ｆｒｅｑｕｅｎｃｙ）内でＡｌｔ．１基盤技法と対比してより敏感な結果を示す。
【０３１５】
Ａｌｔ．４は、測定制限（ＭＲ：ｍｅａｓｕｒｅｍｅｎｔ  ｒｅｓｔｒｉｃｔｉｏｎ）が常に−オン（ａｌｗａｙｓ−ｏｎ）であることを仮定してＬポートＣＳＩ報告のためのものである。ここで、ＣＳＩ  ｐｒｏｃｅｓｓ内の全体設定されたポートの数もＬであり、Ｋ＝１であるＣＳＩ−ＲＳ資源がＣＳＩ  ｐｒｏｃｅｓｓ内に設定されたことを意味する。Ａｌｔ．４のこの技法は多重のＵＥの間のＣＳＩ−ＲＳプーリング（ｐｏｏｌｉｎｇ）によりネットワークＣＳＩ−ＲＳオーバーヘッドを顕著に節約するという側面でｂｅａｍｆｏｒｍｅｄ  ＣＳＩ−ＲＳ基盤動作のために非常に効率良く活用できる。より具体的に、Ａｌｔ．４基盤ＣＳＩ  ｐｒｏｃｅｓｓはＵＥに設定されることができ、ＵＥのＣＳＩ−ＲＳ測定時点（ｍｅａｓｕｒｅｍｅｎｔ  ｉｎｓｔａｎｃｅ）はｅＮＢにより、例えば、Ｌ１シグナリングにより制御できる。これによって、ＵＥのＣＳＩフィードバックは指示されたｍｅａｓｕｒｅｍｅｎｔ  ｉｎｓｔａｎｃｅに基づいて遂行され、他のＣＳＩ−ＲＳ転送ｉｎｓｔａｎｃｅは他のＵＥのＣＳＩフィードバックのために再使用できる。結果的に、顕著にネットワークオーバーヘッドを減少させることができる。
【０３１６】
互いに異なるＵＥ特定のｂｅａｍｆｏｒｍｉｎｇ係数が自由にＡｌｔ．４基盤ＣＳＩ−ＲＳ資源に適用できるため、Ａｌｔ．４のこの技法は効率良いｂｅａｍｆｏｒｍｅｄ  ＣＳＩ−ＲＳ基盤動作を支援するために好ましい。
【０３１７】
観察（Ｏｂｓｅｒｖａｔｉｏｎ）３：ａｌｗａｙｓ−ｏｎ  ＭＲを伴ったＡｌｔ．４は多重のＵＥの間のＣＳＩ−ＲＳ資源プーリング（ｐｏｏｌｉｎｇ）によりネットワークＣＳＩ−ＲＳオーバーヘッドを顕著に節約するために支援されることが好ましい。
【０３１８】
前述した観察（ｏｂｓｅｒｖａｔｉｏｎ）とｂｅａｍｆｏｒｍｅｄ  ＣＳＩ−ＲＳ基盤技法のための分析に基づいて、ＵＥに設定された２つのＣＳＩプロセスに基づいた次のような動作が考慮できる。
【０３１９】
ｉ）Ａｌｔ．１に基づいたＣｌａｓｓ  ＢのＣＳＩ  ｐｒｏｃｅｓｓ  ＃１：Ｋ（＞１）ＣＳＩ−ＲＳ資源が設定される。
【０３２０】
ｅＮＢは周期的にＫ  ＣＳＩ−ＲＳを転送する。転送周期は、例えば、５０ｍｓ、１００ｍｓなどのように長いことがある。
【０３２１】
ＵＥはＢＩだけでなく選択されたＣＳＩ−ＲＳ資源上でＲＩ／ＰＭＩ／ＣＱＩを報告する。
【０３２２】
ＢＩの報告周期はＣＳＩより長いことがある。
【０３２３】
報告されたＢＩはＣＳＩ  ｐｒｏｃｅｓｓ  ＃２と関連したＣＳＩ−ＲＳを転送するために活用できる。
【０３２４】
ｉｉ）Ａｌｔ．４に基づいたＣｌａｓｓ  ＢのＣＳＩ  ｐｒｏｃｅｓｓ  ＃２：Ｋ＝１  ＣＳＩ−ＲＳ資源が設定される。
【０３２５】
ｅＮＢはＵＥにトリガーされた単一の測定サブフレームで前記報告されたＢＩを用いることによって、ＵＥ−ｓｐｅｃｉｆｉｃ  ｂｅａｍｆｏｒｍｉｎｇ係数を転送するＣＳＩ−ＲＳに適用する。
【０３２６】
ＵＥは指示された単一の測定サブフレームに基づいたＲＩ／ＰＭＩ／ＣＱＩを報告する。
【０３２７】
この動作によれば、設定されたＣＳＩ−ＲＳ資源は多重のＵＥの間に再使用できる。ここで、適用されたｂｅａｍｆｏｒｍｉｎｇ係数は各ＣＳＩ−ＲＳ転送時点（ｔｒａｎｓｍｉｓｓｉｏｎ  ｉｎｓｔａｎｃｅ）でｅＮＢにより自由に選択できる。
【０３２８】
提案１：ＢＩフィードバックを伴ったＡｌｔ．１と単一サブフレーム測定制限を伴ったＡｌｔ．４との間のマージ動作（ｍｅｒｇｅｄ  ｏｐｅｒａｔｉｏｎ）がＲｅｌ−１３で支援される。
【０３２９】
−  ＢＩフィードバックを伴ったＣｌａｓｓ  ＢのＣＳＩ報告
【０３３０】
１．導入
【０３３１】
ＣＳＩ報告はＰＭＩを伴う。
【０３３２】
ＣＳＩ  ｐｒｏｃｅｓｓは２つのＣＳＩ報告ｃｌａｓｓ  ＡまたはＢに設定できる。
【０３３３】
Ｃｌａｓｓ  Ａの場合、ＵＥは｛８，１２，１６｝ＣＳＩ−ＲＳポートに基づいてＷ＝Ｗ１Ｗ２コードブックによってＣＳＩを報告する。
【０３３４】
Ｃｌａｓｓ  Ｂの場合、ＵＥは以下のような４種類の代案（ａｌｔｅｒｎａｔｉｖｅ）のうちの１つを仮定してＬポートＣＳＩを報告する。
【０３３５】
Ａｌｔ．１：ビーム選択のための指示子と選択されたビームに対するＬポートＣＱＩ／ＰＭＩ／ＲＩ。ＣＳＩプロセス内の全てのＣＳＩ−ＲＳ資源に亘って全体設定されたポートの数はＬより大きい。
【０３３６】
Ａｌｔ．２：２つの極性（ｐｏｌａｒｉｚａｔｉｏｎ）に共通的に、ビーム選択と位相一致（ｃｏ−ｐｈａｓｉｎｇ）を全て反映するコードブックからのＬポートｐｒｅｃｏｄｅｒ。ＣＳＩプロセス内の全ての設定されたポートの数はＬである。
【０３３７】
Ａｌｔ．３：ビーム選択及び選択されたビームに対するＬポートＣＳＩを反映したコードブック。ＣＳＩプロセス内の全てのＣＳＩ−ＲＳ資源に亘って全体設定されたポートの数はＬより大きい。
【０３３８】
Ａｌｔ．４：ＬポートＣＱＩ／ＰＭＩ／ＲＩ。ＣＳＩプロセス内の全体設定されたポートの数はＬである。（ＣＳＩ測定制限（ＭＲ：ｍｅａｓｕｒｅｍｅｎｔ  ｒｅｓｔｒｉｃｔｉｏｎ）が支援されれば、常に設定される）
【０３３９】
ここで、ビーム選択（ｂｅａｍ  ｓｅｌｅｃｔｉｏｎ）は単一のＣＳＩ−ＲＳ資源内でアンテナポートのサブセットの選択または資源のセットからＣＳＩ−ＲＳ資源の選択でありうる。
【０３４０】
また、報告されたＣＳＩはＲｅｌ−１２  ＬポートＣＳＩの拡張に該当できる。
【０３４１】
前記ＣＳＩ報告ｃｌａｓｓ  Ｂの代案１、２、３、及び４において、Ｎ＿ｋ∈｛１，２，４，８｝である。
【０３４２】
Ａｌｔ．１の場合、ＵＥはＬ＝Ｎ＿ｋまたはＬ（＜＝Ｎ＿ｋ）（設定または固定できる）のうちの１つを仮定してＬポートＣＳＩを報告する。
【０３４３】
Ａｌｔ．２の場合、ＵＥはＬポートＣＳＩを報告する。この際、Ｌは全てのｋに対する和（すなわち、Ｌ＝ｓｕｍ（Ｎ＿ｋ））であるか、またはＫは常に１（すなわち、Ｌ＝Ｎ＿１）でありうる。
【０３４４】
Ａｌｔ．３の場合、ＵＥはＬ＝Ｎ＿ｋまたはＬ（＜＝Ｎ＿ｋ）（設定または固定できる）のうちの１つを仮定してＬポートＣＳＩを報告する。
【０３４５】
Ａｌｔ．４の場合、ＵＥはＬ＝Ｎ＿ｋを仮定してＬポートＣＳＩを報告する。
【０３４６】
２．議論（Ｄｉｓｃｕｓｓｉｏｎ）
【０３４７】
ｉ）Ａｌｔ．１に基づいたＣｌａｓｓ  ＢのＣＳＩ  ｐｒｏｃｅｓｓ  ＃１：Ｋ（＞１）ＣＳＩ−ＲＳ資源が設定される。
【０３４８】
ｅＮＢは周期的にＫ  ＣＳＩ−ＲＳを転送する。転送周期は、例えば、５０ｍｓ、１００ｍｓなどのように長いことがある。
【０３４９】
ＵＥはＢＩだけでなく、選択されたＣＳＩ−ＲＳ資源上でＲＩ／ＰＭＩ／ＣＱＩを報告する。
【０３５０】
ＢＩの報告周期はＣＳＩより長いことがある。
【０３５１】
報告されたＢＩはＣＳＩ  ｐｒｏｃｅｓｓ  ＃２と関連したＣＳＩ−ＲＳを転送するために活用できる。
【０３５２】
ｉｉ）Ａｌｔ．４に基づいたＣｌａｓｓ  ＢのＣＳＩ  ｐｒｏｃｅｓｓ  ＃２：Ｋ＝１  ＣＳＩ−ＲＳ資源が設定される。
【０３５３】
ｅＮＢはＵＥにトリガーされた単一の測定サブフレームで前記報告されたＢＩを用いることによって、ＵＥ−ｓｐｅｃｉｆｉｃ  ｂｅａｍｆｏｒｍｉｎｇ係数を転送するＣＳＩ−ＲＳに適用する。
【０３５４】
ＵＥは指示された単一の測定サブフレームに基づいたＲＩ／ＰＭＩ／ＣＱＩを報告する。
【０３５５】
この動作によれば、設定されたＣＳＩ−ＲＳ資源は多重のＵＥの間に再使用できる。ここで、適用されたｂｅａｍｆｏｒｍｉｎｇ係数は各ＣＳＩ−ＲＳ転送時点（ｔｒａｎｓｍｉｓｓｉｏｎ  ｉｎｓｔａｎｃｅ）でｅＮＢにより自由に選択できる。
【０３５６】
前述した効率良い動作が活用されることを勘案すれば、ＣＳＩ  ｐｒｏｃｅｓｓ  ＃１のために設定できるＣＳＩ−ＲＳ資源の数が最大に要求できる。Ｋの最大値を決定するための評価において、アンテナ構成（８，２，２，３２）が考慮される。垂直ドメインのための１ｘ、２ｘ、及び４ｘオーバーサンプリング（ｏｖｅｒｓａｍｐｌｉｎｇ）が適用され、これによってＫ＝８、１６、及び３２が各々評価に考慮される。単純に、Ｎ＿ｋ＝４が全てのｋ（＝１，２，．．．，Ｋ）に各々同一であり、したがって、ＣＳＩ  ｐｒｏｃｅｓｓ  ＃１内の全体ＣＳＩ−ＲＳポートの数はＮ＿ｋ・Ｋである。ＺＰ−ＣＳＩ−ＲＳオーバーヘッドも考慮すれば、ＣＳＩ  ｐｒｏｃｅｓｓ    ＃１のための全体ＣＳＩ−ＲＳオーバーヘッドは３・Ｎ＿ｋ・Ｋ（３セル再使用因子を考慮する時）である。ＣＳＩ  ｐｒｏｃｅｓｓ  ＃１のためのＣＳＩ−ＲＳは、ＢＩフィードバック周期と同一な周期で転送されると仮定され、以下の表７では５０ｍｓ、１００ｍｓ、または２００ｍｓ周期で評価された。
【０３５７】
ＣＳＩ  ｐｒｏｃｅｓｓ  ＃２において、ＣＳＩ−ＲＳオーバーヘッドがサイト（ｓｉｔｅ）（３セルで構成）内の全ての活性ＵＥから報告される別途のＢＩ（Ｙと表記される）の数によって適用され、これによって、サイト別ＺＰ−ＣＳＩ−ＲＳを含む全体ＣＳＩ−ＲＳオーバーヘッドはＮ＿ｋ・Ｙである。例えば、４個の活性ＵＥが存在し、この中に１つのＵＥはＢＩ＝１を報告し、残りの３個のＵＥは同一にＢＩ＝３を報告した場合、報告された別途のＢＩの数はＹ＝２であり、これによってＣＳＩ  ｐｒｏｃｅｓｓ  ＃２のための全体ＣＳＩ−ＲＳオーバーヘッドはＮ＿ｋ・２である。
【０３５８】
以下の表６はサイト別ＮＺＰ及びＺＰ  ＣＳＩ−ＲＳのためのＲＥの数とＣＳＩ  ｐｒｏｃｅｓｓ  ＃１及び＃２のためのシミュレーションで使われた平均ＣＳＩ−ＲＳオーバーヘッド（ＲＥ／ＲＢ／サブフレーム単位で）を要約する。広帯域ＢＩ報告が考慮され、更に他のシミュレーション仮定は以下の表９で説明される。
【０３５９】
表６はＮ＿ｋ＝４であるシミュレーションのためのＣＳＩ−ＲＳオーバーヘッド仮定を例示する。
【０３６０】
【表６】
2018528698.tif 000021
【０３６１】
表７は３Ｄ−ＵＭｉ（Ｕｒｂａｎ  Ｍｉｃｒｏ）シナリオでＫ＝８、１６、または３２  ＣＳＩ−ＲＳ資源に対するノン−フル（ｎｏｎ−ｆｕｌｌ）バッファ（ｂｕｆｆｅｒ）シミュレーション結果を例示する。
【０３６２】
【表７】
2018528698.tif 000022
【０３６３】
表６に示すように、１６垂直ビームの場合は８及び３２垂直ビームの場合に比べて、特に、５％ＵＥの場合で若干より良好な性能を示す。８ビームに比べて１６ビームの場合、垂直ビームの増加による収率増加（ｔｈｒｏｕｇｈｐｕｔ  ｉｎｃｒｅｍｅｎｔ）が該当ＣＳＩ−ＲＳオーバーヘッド増加より優勢に評価される。３２ビームに比べて１６ビームの場合、垂直ビームの増加による収率増加（ｔｈｒｏｕｇｈｐｕｔ  ｉｎｃｒｅｍｅｎｔ）が相当に微々（ｍａｒｇｉｎａｌ）たるので、このような傾向（ｔｅｎｄｅｎｃｙ）は逆に見られる。したがって、１６ビームはｂｅａｍｆｏｒｍｅｄ  ＣＳＩ−ＲＳ基盤動作のための収率利得（ｔｈｒｏｕｇｈｐｕｔ  ｇａｉｎ）を達成することに充分であると考慮できる。
【０３６４】
提案１：ｂｅａｍｆｏｒｍｅｄ  ＣＳＩ−ＲＳ基盤動作のための最大収率利得（ｔｈｒｏｕｇｈｐｕｔ  ｇａｉｎ）の観察に基づいてＫの最大値は１６でありうる。
【０３６５】
ＵＥの垂直ビーム選択結果はＡｌｔ．１のようにＢＩフィードバックを通じて報告できる。互いに異なるＢＩフィードバック周期に従う評価結果は以下のように与えられる。ＣＳＩプロセス構成とＣＳＩ−ＲＳオーバーヘッドは前述した評価と同一な方法により仮定される。ＢＩ周期は５０／１００／２００ｍｓが使われ、先の表６から８及び３２ビームケース以上に最も高い性能を考慮して１６垂直ビームが次のような評価のために使われる。
【０３６６】
表８は３Ｄ−ＵＭｉ（Ｕｒｂａｎ  Ｍｉｃｒｏ）シナリオで５０／１００／２００ｍｓ  ＢＩ周期に対するノン−フル（ｎｏｎ−ｆｕｌｌ）バッファ（ｂｕｆｆｅｒ）シミュレーション結果を例示する。
【０３６７】
【表８】
2018528698.tif 000023
【０３６８】
ＢＩフィードバック周期が増加するにつれて、全体的な収率（ｔｈｒｏｕｇｈｐｕｔ）は顕著に変化しない。これは、低いＣＳＩ−ＲＳオーバーヘッドで得られた収率利得（ｔｈｒｏｕｇｈｐｕｔ  ｇａｉｎｓ）が増加するＢＩ周期により引き起こされる収率悪化（ｔｈｒｏｕｇｈｐｕｔ  ｄｅｇｒａｄａｔｉｏｎ）を補償することができるためである。言い換えると、より長いＢＩフィードバックは収率（ｔｈｒｏｕｇｈｐｕｔ）に多い影響を与えず、ネットワークとＵＥの複雑度を考慮すれば、このように長い（例えば、１００ｍｓ）ＢＩフィードバックの周期が好ましい。
【０３６９】
提案２：長いＢＩフィードバック周期（例えば、１００、２００ｍｓ）が考慮されるシステム内で全体的にＣＳＩ−ＲＳオーバーヘッドの微々たる（ｍａｒｇｉｎａｌ）増加を伴い、ｂｅａｍｆｏｒｍｅｄ  ＣＳＩ−ＲＳ基盤動作のために充分であると観察される。
【０３７０】
表９は、シミュレーションパラメータと仮定を示す。
【０３７１】
【表９】
2018528698.tif 000024
【０３７２】
以下、本発明では、例えば、進歩したビームフォーミング（ＥＢＦ：ｅｎｈａｎｃｅｄ  ｂｅａｍｆｏｒｍｉｎｇ）、全−次元ＭＩＭＯ（ＦＤ−ＭＩＭＯ：Ｆｕｌｌ−Ｄｉｍｅｎｓｉｏｎ  ＭＩＭＯ）、マッシブＭＩＭＯ（ｍａｓｓｉｖｅ  ＭＩＭＯ）などと称される多重アンテナＭＩＭＯシステムを支援するために、単一のＣＳＩプロセスに対してハイブリッド（ｈｙｂｒｉｄ）ＣＳＩを送受信する方法及びこのようなＣＳＩ報告を設定する方法を提案する。
【０３７３】
Ｃｌａｓｓ  ＢタイプのＣＳＩプロセス報告に対し、次の通り論議されている。
【０３７４】
−  ＣＳＩのためのアンテナポートの数Ｌは、例えば、２、４、または８でありうる。すなわち、前述したように、Ｃｌａｓｓ  Ｂタイプは複数のＣＳＩ−ＲＳ資源（すなわち、複数のビーム（ｂｅａｍ））が設定されることができ、この際、各ＣＳＩ−ＲＳ資源に対するＣＳＩ−ＲＳアンテナポートの数は２、４、または８でありうる。
【０３７５】
そして、次のような４種類の代案（ａｌｔｅｒｎａｔｉｖｅ）（または、その一部）が定義され、定義された代案のうちの１つが利用できる。
【０３７６】
−  Ｃｌａｓｓ  Ｂ  Ａｌｔ．１：
【０３７７】
ｉ）ビーム選択指示子（ＢＩ：Ｂｅａｍ  ｓｅｌｅｃｔｉｏｎ  ｉｎｄｉｃａｔｏｒ）（または、ＣＳＩ−ＲＳ資源指示子（ＣＲＩ：ＣＳＩ−ＲＳ  ｒｅｓｏｕｒｃｅ  ｉｎｄｉｃａｔｏｒ））が定義できる。この際、ＢＩ（または、ＣＲＩ）はＲＳＲＰ（Ｒｅｆｅｒｅｎｃｅ  Ｓｉｇｎａｌ  Ｒｅｃｅｉｖｅｄ  Ｐｏｗｅｒ）またはＣＳＩ基盤に定まることができる。また、ＢＩ（または、ＣＲＩ）は広帯域に亘って定まるか、またはサブバンド単位で定まることができる。また、ＢＩ（または、ＣＲＩ）は短期（ｓｈｏｒｔ−ｔｅｒｍ）に定まるか、または長期（ｌｏｎｇ−ｔｅｒｍ）に定まることができる。
【０３７８】
ｉｉ）ＢＩビット幅（ｂｉｔｗｉｄｔｈ）はＫ（全体ビーム（または、ＣＳＩ−ＲＳ資源）の個数）と関連できる。
【０３７９】
ｉｉｉ）２より大きいランク（ｒａｎｋ＞２）のためのＵＥ特定ビームフォーミング（ＵＥ  ｓｐｅｃｉｆｉｃ  ｂｅａｍｆｏｒｍｉｎｇ）を支援することができる。
【０３８０】
ｉｖ）ＰＵＣＣＨ／ＰＵＳＣＨ上でアップリンク制御情報（ＵＣＩ：ｕｐｌｉｎｋ  ｃｏｎｔｒｏｌ  ｉｎｆｏｒｍａｔｉｏｎ）フィードバックメカニズムによってＣＳＩが報告できる。
【０３８１】
−  Ｃｌａｓｓ  Ｂ  Ａｌｔ．２：
【０３８２】
ｉ）ビーム選択（ｂｅａｍ  ｓｅｌｅｃｔｉｏｎ）及び位相−一致（ｃｏ−ｐｈａｓｉｎｇ）のためのコードブック（例えば、レガシーコードブックまたはコードブック要素（ｃｏｍｐｏｎｅｎｔｓ）から導出されるか、または新しく設計された）が利用できる。この際、関連したＰＭＩも共に報告できる（例えば、新しく設計されたまたはレガシーコードブック内のＷ＝Ｗ２であることを仮定することができる）。
【０３８３】
ｉｉ）ＰＵＣＣＨ／ＰＵＳＣＨ上でＵＣＩフィードバックメカニズムによってＣＳＩが報告できる。
【０３８４】
−  Ｃｌａｓｓ  Ｂ  Ａｌｔ．３：
【０３８５】
ｉ）ビーム選択（ｂｅａｍ  ｓｅｌｅｃｔｉｏｎ）及びＣＳＩのためのコードブックが利用できる。この際、ＰＭＩは選択されたビーム、そして選択されたビーム内のＬポートのためのプリコーディング行列に対する情報を含むことができる。
【０３８６】
ｉｉ）ＰＵＣＣＨ／ＰＵＳＣＨ上でＵＣＩフィードバックメカニズムによってＣＳＩが報告できる。
【０３８７】
−  Ｃｌａｓｓ  Ｂ  Ａｌｔ．４：
【０３８８】
ｉ）測定制限（ＭＲ：ｍｅａｓｕｒｅｍｅｎｔ  ｒｅｓｔｒｉｃｔｉｏｎ）メカニズムが利用できる。
【０３８９】
一方、測定制限（ＭＲ）はまた前記Ａｌｔ．１乃至Ａｌｔ．３にも適用できる。
【０３９０】
非周期的な（ａｐｅｒｉｏｄｉｃ）ＣＳＩ−ＲＳ転送活用例（ｕｓｅ  ｃａｓｅｓ）を含むｂｅａｍｆｏｒｍｅｄ  ＣＳＩ−ＲＳ基盤動作に対して前述したように、ビーム指示子（ＢＩ）（または、ＣＲＩ）タイプの新たなＣＳＩ報告が必要である。
【０３９１】
Ｃｌａｓｓ  Ｂ動作の技法は、次のようにＵＥに２つのＣＳＩプロセス（ｐｒｏｃｅｓｓ）が設定される時、顕著な性能を示すことができる。
【０３９２】
ｉ）Ｃｌａｓｓ  ＢのＣＳＩ  ｐｒｏｃｅｓｓ  ＃１：例えば、Ａｌｔ．１基盤Ｃｌａｓｓ  ＢのＣＳＩ  ｐｒｏｃｅｓｓが設定される場合、Ｋ（＞１）ＣＳＩ−ＲＳ資源が設定できる。
【０３９３】
−  ｅＮＢは周期的にＫ  ＣＳＩ−ＲＳを転送することができる。この際、転送周期は、例えば、５０ｍｓ、１００ｍｓなどのように長いことがある。
【０３９４】
−  ＵＥはＢＩ（または、ＣＲＩ）を報告することができる。また、ＵＥはＢＩ（または、ＣＲＩ）だけでなく、選択されたＣＳＩ−ＲＳ上で測定されたＲＩ／ＰＭＩ／ＣＱＩを報告することができる。
【０３９５】
−  ＢＩ（または、ＣＲＩ）報告周期はＣＳＩより長いことがある。
【０３９６】
−  報告されたＢＩ（または、ＣＲＩ）はＣＳＩ  ｐｒｏｃｅｓｓ  ＃２と関連したＣＳＩ−ＲＳを転送するために活用できる。
【０３９７】
ｉｉ）Ｃｌａｓｓ  ＢのＣＳＩ  ｐｒｏｃｅｓｓ  ＃２：例えば、Ａｌｔ．４基盤Ｃｌａｓｓ  ＢのＣＳＩ  ｐｒｏｃｅｓｓが設定される場合、Ｋ＝１    ＣＳＩ−ＲＳ資源が設定できる。
【０３９８】
−  ｅＮＢは前述した報告されたＢＩ（または、ＣＲＩ）を用いることによって、ＣＳＩ−ＲＳを転送する時、ＵＥ−ｓｐｅｃｉｆｉｃビームフォーミング係数（ｂｅａｍｆｏｒｍｉｎｇ  ｃｏｅｆｆｉｃｉｅｎｔｓ）を適用することができる。この際、ＵＥにトリガーリングされる（ｔｒｉｇｇｅｒｅｄ）単一測定サブフレームでＣＳＩ−ＲＳが転送されることもできる。
【０３９９】
−  ＵＥは受信されたＣＳＩ−ＲＳに基づいてＲＩ／ＰＭＩ／ＣＱＩを報告することができる。この際、ＵＥは単一測定サブフレームに基づいてＲＩ／ＰＭＩ／ＣＱＩを報告することができる。
【０４００】
−  前記のように単一測定サブフレームに基づいてＲＩ／ＰＭＩ／ＣＱＩを報告する動作によれば、設定されたＣＳＩ−ＲＳ資源は多重のＵＥの間に再使用できる。ここで、適用されるｂｅａｍｆｏｒｍｉｎｇ  ｃｏｅｆｆｉｃｉｅｎｔｓは各ＣＳＩ−ＲＳ転送時点（ｔｒａｎｓｍｉｓｓｉｏｎ  ｉｎｓｔａｎｃｅ）でｅＮＢにより選択できる。
【０４０１】
前述したように２つのＣＳＩ  ｐｒｏｃｅｓｓ  ｃｏｎｆｉｇｕｒａｔｉｏｎが各々ＵＥに設定されることもできるが、単一のＣＳＩ  ｐｒｏｃｅｓｓ  ｃｏｎｆｉｇｕｒａｔｉｏｎ内の２つのプロセスが結合されることが好ましいこともある。
【０４０２】
このように、単一のＣＳＩ  ｐｒｏｃｅｓｓ  ｃｏｎｆｉｇｕｒａｔｉｏｎ内の２つ（あるいは、その以上）のＣＳＩ報告のためのプロセスが結合されることを’ｈｙｂｒｉｄ  ＣＳＩ’と称することができる。すなわち、ｈｙｂｒｉｄ  ＣＳＩは単一のＣＳＩ  ｐｒｏｃｅｓｓ内の２つ（あるいは、その以上）のＣＳＩ−ＲＳ  ｃｏｎｆｉｇｕｒａｔｉｏｎを含むＣＳＩ報告タイプを意味する。
【０４０３】
この際、各々のＣＳＩ−ＲＳ  ｃｏｎｆｉｇｕｒａｔｉｏｎのタイプはＣｌａｓｓ  Ａ及びＣｌａｓｓ  Ｂのうち、いずれか１つに設定できる。例えば、該当ＣＳＩ−ＲＳ  ｃｏｎｆｉｇｕｒａｔｉｏｎに対してＲＲＣパラメータ’ｅＭＩＭＯ−Ｔｙｐｅ’が’ｎｏｎ−ｐｒｅｃｏｄｅｄ’にセッティングされれば、Ｃｌａｓｓ  ＡのＣＳＩ−ＲＳ  ｃｏｎｆｉｇｕｒａｔｉｏｎに該当し、’ｅＭＩＭＯ−Ｔｙｐｅ’が’ｂｅａｍｆｏｒｍｅｄ’にセッティングされれば、Ｃｌａｓｓ  ＢのＣＳＩ−ＲＳ  ｃｏｎｆｉｇｕｒａｔｉｏｎに該当できる。
【０４０４】
以下、本発明の説明において、説明の便宜のために単一のＣＳＩ  ｐｒｏｃｅｓｓ内の２つのＣＳＩ−ＲＳ  ｃｏｎｆｉｇｕｒａｔｉｏｎ（第１のＣＳＩ−ＲＳ  ｃｏｎｆｉｇｕｒａｔｉｏｎ及び第２のＣＳＩ−ＲＳ  ｃｏｎｆｉｇｕｒａｔｉｏｎ）を含み、各々ＣＳＩ−ＲＳ  ｃｏｎｆｉｇｕｒａｔｉｏｎのタイプはＣｌａｓｓ  Ｂにセッティングされた場合を中心として説明するが、本発明はこれに限定されるものではない。
【０４０５】
より具体的に説明すると、結合されたＣＳＩ  ｐｒｏｃｅｓｓ（すなわち、ｈｙｂｒｉｄ  ＣＳＩ）はＫ＋１つのＣＳＩ−ＲＳ資源を有することができ、ここで、ＵＥのＣＳＩフィードバックは１つの’特定ＣＳＩ−ＲＳ資源（ａ  ｐａｒｔｉｃｕｌａｒ  ＣＳＩ−ＲＳ  ｒｅｓｏｕｒｃｅ）’に基づき、ＢＩ（または、ＣＲＩ）フィードバックは残りのＫ個のＣＳＩ−ＲＳ資源に基づくことができる。言い換えると、第１のＣＳＩ−ＲＳ  ｃｏｎｆｉｇｕｒａｔｉｏｎ（すなわち、第１のｅＭＩＭＯ−ｔｙｐｅ）はＫ（＞１）個のＣＳＩ−ＲＳ資源を有するＣｌａｓｓ  Ｂ  ＣＳＩ−ＲＳ  ｃｏｎｆｉｇｕｒａｔｉｏｎに該当し、第２のＣＳＩ−ＲＳ  ｃｏｎｆｉｇｕｒａｔｉｏｎ（すなわち、第２のｅＭＩＭＯ−ｔｙｐｅ）は１つのＣＳＩ−ＲＳ資源を有するＣｌａｓｓ  Ｂ  ＣＳＩ−ＲＳ  ｃｏｎｆｉｇｕｒａｔｉｏｎに該当できる。
【０４０６】
この際、特定ＣＳＩ−ＲＳ資源（ａ  ｐａｒｔｉｃｕｌａｒ  ＣＳＩ−ＲＳ  ｒｅｓｏｕｒｃｅ）は前記Ｋ＋１個のＣＳＩ−ＲＳ資源のうち、最下位または最上位インデックスが与えられたＣＳＩ−ＲＳ資源として固定的に定義されるか、またはＵＥに設定できる。
【０４０７】
または、前記Ｋ＋１個のＣＳＩ−ＲＳ資源のうち、上位階層シグナリング（例えば、ＲＲＣシグナリング）を通じて指示される特定ＣＳＩ−ＲＳ資源は前述した目的（例えば、ＵＥの間のＣＳＩ−ＲＳ資源プーリング（ｐｏｏｌｉｎｇ）、非周期的な（ａｐｅｒｉｏｄｉｃ）ＣＳＩ−ＲＳ転送活用例（ｕｓｅ  ｃａｓｅ）など）に設定できる。
【０４０８】
より具体的な一例として、総Ｋ＋１＝５個のＣＳＩ−ＲＳが前記１つのＣＳＩ  ｐｒｏｃｅｓｓ内に設定される場合（すなわち、ｈｙｂｒｉｄ  ｂｅａｍｆｏｒｍｅｄ  ＣＳＩ−ＲＳ転送目的など）、そのうち、ＣＳＩ−ＲＳ  １は５ｍｓ周期で設定され（ａｐｅｒｉｏｄｉｃ  ｐｏｏｌｉｎｇでユーザの間に共有されて運用される形態であって、常に測定制限が活性化（ＭＲ−ｏｎ）が設定できる。例えば、’１回測定（ｏｎｅ−ｓｈｏｔ）ＭＲ’（１つのサブフレームまたは予め設定された短いウィンドウ（ｗｉｎｄｏｗ）区間のみでＮＺＰ  ＣＳＩ−ＲＳ資源に基づいてチャンネル測定を導出するか、またはＣＳＩ−ＩＭ資源に基づいて干渉測定を導出））、そして、残りのＣＳＩ−ＲＳ  ２〜５は全て５０ｍｓ周期で設定され、各々異なるセル特定ビームフォーミングされたＣＳＩ−ＲＳ（ｃｅｌｌ−ｓｐｅｃｉｆｉｃ  ＢＦｅｄ  ＣＳＩ−ＲＳ）として周期的に転送される場合を考慮することができる。
【０４０９】
このような設定状況（すなわち、ｈｙｂｒｉｄ  ＣＳＩが設定された状況）で、ｅＮＢからＵＬ  ＤＣＩフォーマットにより非周期的ＣＳＩ（Ａ−ＣＳＩ：ａｐｅｒｉｏｄｉｃ  ＣＳＩ）報告がトリガー（ｔｒｉｇｇｅｒ）されれば、ＵＥは次のオプションのうち、少なくとも１つの方式によってＡ−ＣＳＩ報告を遂行することができる。
【０４１０】
−  オプション１：ＵＥはＢＩ（または、ＣＲＩ）及びＣＳＩを全て一度に（例えば、１つのサブフレーム内に共に）ｅＮＢに報告することができる。言い換えると、第１のＣＳＩ−ＲＳ  ｃｏｎｆｉｇｕｒａｔｉｏｎ（すなわち、第１のｅＭＩＭＯ−ｔｙｐｅ）に対するＣＳＩ及び第２のＣＳＩ−ＲＳ  ｃｏｎｆｉｇｕｒａｔｉｏｎ（すなわち、第２のｅＭＩＭＯ−ｔｙｐｅ）に対するＣＳＩを全て一度にｅＮＢに報告することができる。
【０４１１】
この際、前記の例示を仮定すれば、ＢＩ（または、ＣＲＩ）計算時、前記４個のＣＳＩ−ＲＳ資源の間に対してのみ比較することによって、好まれる（ｐｒｅｆｅｒｒｅｄ）ＢＩ（または、ＣＲＩ）を計算して報告することができ、ＣＳＩ計算時、例えば、最下位インデックス（ｌｏｗｅｓｔ  ｉｎｄｅｘ）が与えられたＣＳＩ−ＲＳ１に対してのみ計算してＣＳＩを報告することができる。
【０４１２】
これは特徴的に、この場合のＢＩ（または、ＣＲＩ）フィードバックの意味は今後のＡ−ＣＳＩ報告のために現在時点で好まれるＢＩ（または、ＣＲＩ）を予め未来のために報告するものであり、ＣＳＩ  ｒｅｐｏｒｔは現在適用されている該当ＢＦｅｄ（ｂｅａｍｆｏｒｍｅｄ）ＣＳＩ−ＲＳ１に対して報告するという分離された概念の２種類の報告を現時点で一緒に合わせて報告するという特徴がある。
【０４１３】
すなわち、ＵＥに設定されたｈｙｂｒｉｄ  ＣＳＩに含まれた第１のＣＳＩ−ＲＳ  ｃｏｎｆｉｇｕｒａｔｉｏｎ（すなわち、第１のｅＭＩＭＯ−ｔｙｐｅ）及び第２のＣＳＩ−ＲＳ  ｃｏｎｆｉｇｕｒａｔｉｏｎ（すなわち、第２のｅＭＩＭＯ−ｔｙｐｅ）の間にＣＳＩ（例えば、ＣＱＩ、ＰＭＩ、ＲＩ）計算のために相互従属（ｉｎｔｅｒｄｅｐｅｎｄｅｎｃｅ）が存在しなくなる。
【０４１４】
言い換えると、第２のＣＳＩ−ＲＳ  ｃｏｎｆｉｇｕｒａｔｉｏｎ（すなわち、第２のｅＭＩＭＯ−ｔｙｐｅ）に対するＣＳＩ（例えば、ＣＱＩ、ＰＭＩ、ＲＩ）は第１のＣＳＩ−ＲＳ  ｃｏｎｆｉｇｕｒａｔｉｏｎ（すなわち、第１のｅＭＩＭＯ−ｔｙｐｅ）（または、ＢＩ（または、ＣＲＩ）により指示されたＣＳＩ−ＲＳ資源）と独立的に導出される。
【０４１５】
−  オプション２：更に他の方法には、前記Ａ−ＣＳＩトリガーリングに対するＡ−ＣＳＩ報告時にはＵＥは専らＣＳＩ（例えば、ＲＩ、ＰＭＩ、ＣＱＩなど）のみ報告するように定義されるか、またはＵＥに設定できる。
【０４１６】
すなわち、ＢＩフィードバックは周期的報告により遂行されるなど、異なる報告形態にｐｒｅｆｅｒｒｅｄ  ＢＩ（または、ＣＲＩ）が報告されることができ、このようなＡ−ＣＳＩ報告においては現在適用されていた該当ＢＦｅｄ（ｂｅａｍｆｏｒｍｅｄ）ＣＳＩ−ＲＳ１に対してのみＣＳＩ報告を非周期的にトリガーリングするものとしてＵＥに認識され、ＵＥ動作が遂行できる。
【０４１７】
−  オプション３：または、反対に、前記Ａ−ＣＳＩトリガーリングに対するＡ−ＣＳＩ報告時には、ＵＥは専ら前記ＢＩ（または、ＣＲＩ）のみ報告するように定義されるか、またはＵＥに設定されることもできる。
【０４１８】
前述した方式の間の混合形態として、前記Ａ−ＣＳＩトリガーリング時にＵＥが前記のオプションのうち、どんなオプションによってＡ−ＣＳＩ報告を遂行するようにすることか、Ａ−ＣＳＩトリガーリング時に動的指示（ｄｙｎａｍｉｃ  ｉｎｄｉｃａｔｉｏｎ）（例えば、第１階層（ＰＨＹ）制御シグナリング（すなわち、ＰＤＣＣＨ）を利用）してくれる方式も適用できる。
【０４１９】
例えば、前述したオプション２及び３のように、Ａ−ＣＳＩ報告がトリガーリングされれば、ＵＥは第１のＣＳＩ−ＲＳ  ｃｏｎｆｉｇｕｒａｔｉｏｎ（すなわち、第１のｅＭＩＭＯ−ｔｙｐｅ）及び第２のＣＳＩ−ＲＳ  ｃｏｎｆｉｇｕｒａｔｉｏｎ（すなわち、第２のｅＭＩＭＯ−ｔｙｐｅ）のうち、いずれか１つに対するＣＳＩ（すなわち、該当ＣＳＩ−ＲＳ  ｃｏｎｆｉｇｕｒａｔｉｏｎに予め連動されたＢＩ／ＣＲＩ、ＲＩ、ＰＭＩ、ＣＱＩなどの特定ＣＳＩコンテンツ（ｃｏｎｔｅｎｔｓ）のうちの少なくとも１つ）のみをｅＮＢに報告することができる。この際、ｅＮＢはＡ−ＣＳＩ報告をトリガーリングするためのＤＣＩに１ビット指示子を含めて、ＵＥが１  ＣＳＩ−ＲＳ  ｃｏｎｆｉｇｕｒａｔｉｏｎ（すなわち、第１のｅＭＩＭＯ−ｔｙｐｅ）及び第２のＣＳＩ−ＲＳ  ｃｏｎｆｉｇｕｒａｔｉｏｎ（すなわち、第２のｅＭＩＭＯ−ｔｙｐｅ）のうち、どれに対するＣＳＩ（すなわち、該当ＣＳＩ−ＲＳ  ｃｏｎｆｉｇｕｒａｔｉｏｎに予め連動されたＢＩ／ＣＲＩ、ＲＩ、ＰＭＩ、ＣＱＩなどの特定ＣＳＩコンテンツ（ｃｏｎｔｅｎｔｓ）のうちの少なくとも１つ）をｅＮＢに報告すべきかを指示することができる。
【０４２０】
または、上位階層信号（例えば、ＲＲＣシグナリング）でＵＥが前記のオプションのうち、どんなオプションによってＡ−ＣＳＩ報告を遂行するようにすることかが設定できる。
【０４２１】
また、このような設定状況（すなわち、ｈｙｂｒｉｄ  ＣＳＩが設定された状況）で周期的ＣＳＩ（Ｐ−ＣＳＩ：ｐｅｒｉｏｄｉｃ  ＣＳＩ）報告の場合、ＢＩ（または、ＣＲＩ）報告時点（ｒｅｐｏｒｔ  ｉｎｓｔａｎｃｅ）に対しては、ＵＥは前記ＣＳＩ−ＲＳ２〜５に対してｐｒｅｆｅｒｒｅｄ  ＢＩ（または、ＣＲＩ）を算出して報告し、その他のＣＳＩ  ｒｅｐｏｒｔ  ｉｎｓｔａｎｃｅに対しては常に前記特定ＭＲを適用した形態に前記ＣＳＩ−ＲＳ１に対してＣＳＩ測定を遂行して報告することができる。
【０４２２】
この際、ＭＲが単一サブフレームＭＲでない特定区間を有する測定ウィンドウ  （ｍｅａｓｕｒｅｍｅｎｔ  ｗｉｎｄｏｗ）が設定された場合であれば、特別に前記ｐｒｅｆｅｒｒｅｄ  ＢＩが異なる値として報告（すなわち、以前に報告されたＢＩ（または、ＣＲＩ）と相異する値が報告）された時点から（または、その以後、ｍ（＝０または４など）サブフレーム以後から）ＵＥがｍｅａｓｕｒｅｍｅｎｔ  ｗｉｎｄｏｗを初期化するようにするなどの動作が共に適用できる。
【０４２３】
すなわち、ＢＩが変更されたので、測定平均（ｍｅａｓｕｒｅｍｅｎｔ  ａｖｅｒａｇｉｎｇ）を初期化して基地局が新しく適用するビームフォーミング係数（ｂｅａｍｆｏｒｍｉｎｇ  ｃｏｅｆｆｉｃｉｅｎｔｓ）がＣＳＩ−ＲＳ１に反映されて転送された時点から新たなｍｅａｓｕｒｅｍｅｎｔ  ｗｉｎｄｏｗを適用するようにするためである。
【０４２４】
以下、ｈｙｂｒｉｄ  ＣＳＩをＵＥに設定する方法に対して説明すると、ｅＮＢは上位階層シグナリング（例えば、ＲＲＣシグナリング）を通じてＵＥにｈｙｂｒｉｄ  ＣＳＩを設定することができる。
【０４２５】
ＣＳＩ  ｐｒｏｃｅｓｓはＲＲＣ情報要素（ＩＥ：ｉｎｆｏｒｍａｔｉｏｎ  ｅｌｅｍｅｎｔ）である’ＣＳＩ−Ｐｒｏｃｅｓｓ’としてＵＥに設定されることができ、ＣＳＩ−Ｐｒｏｃｅｓｓはネットワークがサービング周波数上で設定できるＣＳＩ  ｐｒｏｃｅｓｓ設定である。’ＣＳＩ−Ｐｒｏｃｅｓｓ’ＩＥは、ＲＲＣパラメータである’ｃｓｉ−ＲＳ−ＣｏｎｆｉｇＮＺＰＩｄ’を含み、’ｃｓｉ−ＲＳ−ＣｏｎｆｉｇＮＺＰＩｄ’はＣＳＩ  ｐｒｏｃｅｓｓと同一な周波数に設定されたＮＺＰ  ＣＳＩ−ＲＳ  ｃｏｎｆｉｇｕｒａｔｉｏｎを示す。すなわち、１つのＮＺＰ  ＣＳＩ−ＲＳ  ｃｏｎｆｉｇｕｒａｔｉｏｎがＵＥにデフォルト（ｄｅｆａｕｌｔ）に設定される。
【０４２６】
そして、Ｒｅｌ−１３  ＵＥの場合、ＲＲＣパラメータであるｅＭＩＭＯ−ｔｙｐｅが追加で設定され、前述したように、ｅＭＩＭＯ−ｔｙｐｅは各々’ＣＬＡＳＳ  Ａ’ａｎｄ’ＣＬＡＳＳ  Ｂ’に該当する’ｎｏｎＰｒｅｃｏｄｅｄ’及び’ｂｅａｍｆｏｒｍｅｄ’値を指示する。そして、ｅＭＩＭＯ−ｔｙｐｅ値によって’ＣＬＡＳＳ  Ａ’に該当するＣＳＩ−ＲＳ  ｃｏｎｆｉｇｕｒａｔｉｏｎ（すなわち、’ＣＳＩ−ＲＳ−ＣｏｎｆｉｇＮｏｎＰｒｅｃｏｄｅｄ’フィールド）または’ＣＬＡＳＳ  Ｂ’に該当するＣＳＩ−ＲＳ  ｃｏｎｆｉｇｕｒａｔｉｏｎ（すなわち、’ＣＳＩ−ＲＳ−ＣｏｎｆｉｇＢｅａｍｆｏｒｍｅｄ’フィールド）がＵＥに設定される。
【０４２７】
例えば、ｈｙｂｒｉｄ  ＣＳＩは’ＣＳＩ−Ｐｒｏｃｅｓｓ’内に含まれたｅＭＩＭＯ−ｔｙｐｅにより指示できる。この場合、ｈｙｂｒｉｄ  ＣＳＩ設定内に次のように２つのＣＳＩ−ＲＳ  ｃｏｎｆｉｇｕｒａｔｉｏｎが含まれることができる。
【０４２８】
ｉ）前述したように、Ｋ（＞１）個のＣＳＩ−ＲＳ資源を有するＣｌａｓｓ  Ｂ  ＣＳＩ−ＲＳ  ｃｏｎｆｉｇｕｒａｔｉｏｎ（すなわち、第１のＣＳＩ−ＲＳ  ｃｏｎｆｉｇｕｒａｔｉｏｎ、または第１のｅＭＩＭＯ−ｔｙｐｅ）と１つのＣＳＩ−ＲＳ資源を有するＣｌａｓｓ  Ｂ  ＣＳＩ−ＲＳ  ｃｏｎｆｉｇｕｒａｔｉｏｎ（すなわち、第２のＣＳＩ−ＲＳ  ｃｏｎｆｉｇｕｒａｔｉｏｎ、または第２のｅＭＩＭＯ−ｔｙｐｅ）がｈｙｂｒｉｄ  ＣＳＩとしてＵＥに設定される場合、各々のＣＳＩ−ＲＳ  ｃｏｎｆｉｇｕｒａｔｉｏｎを特定するための’ＣＳＩ−ＲＳ−ＣｏｎｆｉｇＢｅａｍｆｏｒｍｅｄ’フィールドが２つのＵＥに設定できる。
【０４２９】
この場合、第１のＣＳＩ−ＲＳ  ｃｏｎｆｉｇｕｒａｔｉｏｎ（すなわち、第１のｅＭＩＭＯ−ｔｙｐｅ）を特定するための’ＣＳＩ−ＲＳ−ＣｏｎｆｉｇＢｅａｍｆｏｒｍｅｄ’はＮＺＰ  ＣＳＩ−ＲＳ  ｃｏｎｆｉｇｕｒａｔｉｏｎを（１〜７）個（すなわち、Ｋ−１個）含み（既に１つのＮＺＰ  ＣＳＩ−ＲＳ  ｃｏｎｆｉｇｕｒａｔｉｏｎがＵＥにデフォルト（ｄｅｆａｕｌｔ）に設定されるので）、第２のＣＳＩ−ＲＳ  ｃｏｎｆｉｇｕｒａｔｉｏｎ（すなわち、第２のｅＭＩＭＯ−ｔｙｐｅ）を特定するための’ＣＳＩ−ＲＳ−ＣｏｎｆｉｇＢｅａｍｆｏｒｍｅｄ’はＮＺＰ  ＣＳＩ−ＲＳ  ｃｏｎｆｉｇｕｒａｔｉｏｎを１つ含むことができる。
【０４３０】
または、第１のＣＳＩ−ＲＳ  ｃｏｎｆｉｇｕｒａｔｉｏｎ（すなわち、第１のｅＭＩＭＯ−ｔｙｐｅ）を特定するための’ＣＳＩ−ＲＳ−ＣｏｎｆｉｇＢｅａｍｆｏｒｍｅｄ’はＮＺＰ  ＣＳＩ−ＲＳ  ｃｏｎｆｉｇｕｒａｔｉｏｎを（１〜８）個（すなわち、Ｋ個）含んで、このように設定されたＫ個のＮＺＰ  ＣＳＩ−ＲＳに対してＢＩまたはＣＲＩを計算するように定義され、第２のＣＳＩ−ＲＳ  ｃｏｎｆｉｇｕｒａｔｉｏｎ（すなわち、第２のｅＭＩＭＯ−ｔｙｐｅ）を特定するための’ＣＳＩ−ＲＳ−ＣｏｎｆｉｇＢｅａｍｆｏｒｍｅｄ’はＮＺＰ  ＣＳＩ−ＲＳ  ｃｏｎｆｉｇｕｒａｔｉｏｎを含まないことがある（既に１つのＮＺＰ  ＣＳＩ−ＲＳ  ｃｏｎｆｉｇｕｒａｔｉｏｎがＵＥにデフォルト（ｄｅｆａｕｌｔ）に設定されるので、これを適用するように定義できる）。その他にも前記の目的を有する変形された形態の設定方法が存在することができる。
【０４３１】
この際、各ＣＳＩ−ＲＳ  ｃｏｎｆｉｇｕｒａｔｉｏｎを特定するための各々の’ＣＳＩ−ＲＳ−ＣｏｎｆｉｇＢｅａｍｆｏｒｍｅｄ’にチャンネル測定制限（ＭＲ）の活性／不活性（ＯＮ／ＯＦＦ）を指示するＲＲＣパラメータ（’ｃｈａｎｎｅｌＭｅａｓＲｅｓｔｒｉｃｔｉｏｎ’）が第１のＣＳＩ−ＲＳ  ｃｏｎｆｉｇｕｒａｔｉｏｎ（すなわち、第１のｅＭＩＭＯ−ｔｙｐｅ）と第２のＣＳＩ−ＲＳ  ｃｏｎｆｉｇｕｒａｔｉｏｎ（すなわち、第２のｅＭＩＭＯ−ｔｙｐｅ）に各々独立的に設定できる。これは、第１のＣＳＩ−ＲＳ  ｃｏｎｆｉｇｕｒａｔｉｏｎに相対的に長期（ｌｏｎｇ−ｔｅｒｍ）及び／又は広帯域（ｗｉｄｅｂａｎｄ）ＰＭＩ（すなわち、チャンネル方向性（ｃｈａｎｎｅｌ  ｄｉｒｅｃｔｉｏｎ））情報を報告するようにするためであり、第２のＣＳＩ−ＲＳ  ｃｏｎｆｉｇｕｒａｔｉｏｎは相対的に短期（ｓｈｏｒｔ−ｔｅｒｍ）及び／又は狭帯域（ｎａｒｒｏｗｂａｎｄ）ＣＳＩを報告するようにするためであるので、その測定／報告の対象及び目的が相異する。したがって、チャンネルＭＲ  ＯＮ／ＯＦＦ機能を各々独立的に設定できるようにすることが多様な環境に合せた柔軟な動作（ｆｌｅｘｉｂｌｅ  ｏｐｅｒａｔｉｏｎ）を可能にするという長所がある。例えば、第１のＣＳＩ−ＲＳ  ｃｏｎｆｉｇｕｒａｔｉｏｎは長期（ｌｏｎｇ−ｔｅｒｍ）であるので、端末で測定平均（ｍｅａｓｕｒｅｍｅｎｔ  ａｖｅｒａｇｉｎｇ）をすることが性能を阻害することがあると判断されるか、あるいはｂｅａｍｆｏｒｍｅｄ  ＣＳＩ−ＲＳ  ｒｅｓｏｕｒｃｅ共有（ｓｈａｒｉｎｇ）目的などでＭＲ−ＯＮを設定し、一方、第２のＣＳＩ−ＲＳ  ｃｏｎｆｉｇｕｒａｔｉｏｎはレガシー動作と類似するようにＭＲ−ＯＦＦを設定するなどで、設定に差異を有することがある。また、第１のＣＳＩ−ＲＳ  ｃｏｎｆｉｇｕｒａｔｉｏｎに対してもＭＲ−ＯＦＦを設定することによって、相対的に長期（ｌｏｎｇ−ｔｅｒｍ）といっても測定平均（ｍｅａｓｕｒｅｍｅｎｔ  ａｖｅｒａｇｉｎｇ）を通じての雑音抑制利得（ｎｏｉｓｅ  ｓｕｐｐｒｅｓｓｉｏｎ  ｇａｉｎ）を期待することができ、第２のＣＳＩ−ＲＳ  ｃｏｎｆｉｇｕｒａｔｉｏｎにＭＲ−ＯＮを設定することによって、短期（ｓｈｏｒｔ−ｔｅｒｍ）レベルでｂｅａｍｆｏｒｍｅｄ  ＣＳＩ−ＲＳ  ｒｅｓｏｕｒｃｅ共有効果を得るようにすることができる。
【０４３２】
または、チャンネル測定制限（ＭＲ）の活性／不活性（ＯＮ／ＯＦＦ）を指示するＲＲＣパラメータ（’ｃｈａｎｎｅｌＭｅａｓＲｅｓｔｒｉｃｔｉｏｎ’）が第１のＣＳＩ−ＲＳ  ｃｏｎｆｉｇｕｒａｔｉｏｎ（すなわち、第１のｅＭＩＭＯ−ｔｙｐｅ）と第２のＣＳＩ−ＲＳ  ｃｏｎｆｉｇｕｒａｔｉｏｎ（すなわち、第２のｅＭＩＭＯ−ｔｙｐｅ）が共に設定される特定ＣＳＩ  ｐｒｏｃｅｓｓ内に共通的に設定されることもできる。これによって、互いに関連した目的がある第１のＣＳＩ−ＲＳ  ｃｏｎｆｉｇｕｒａｔｉｏｎと第２のＣＳＩ−ＲＳ  ｃｏｎｆｉｇｕｒａｔｉｏｎに対するチャンネル測定時に共通的なＭＲ  ＯＮ／ＯＦＦを適用してＣＳＩ導出（ｄｅｒｉｖａｔｉｏｎ）を遂行するように制限が与えられる。これによって、前記１つの統合ＣＳＩ  ｐｒｏｃｅｓｓ内でのＣＳＩ計算過程において、端末動作及び複雑度を単純化するという長所がある。すなわち、ＭＲ  ＯＮに設定されれば、該当ＣＳＩ  ｐｒｏｃｅｓｓに対して全てのチャンネル測定時、常に単一サブフレームに対する測定サンプルに対してのみ測定する動作が適用されるようにし、ＭＲ  ＯＦＦが設定されれば、特定ムービング平均（ｍｏｖｉｎｇ  ａｖｅｒａｇｉｎｇ）及び加重平均（ｗｅｉｇｈｔｅｄ  ａｖｅｒａｇｉｎｇ）などの単一動作プロセスが一貫して適用されるように、端末の具現をより簡単であるように支援することができる。例えば、ｂｅａｍｆｏｒｍｅｄ  ＣＳＩ−ＲＳ  ｒｅｓｏｕｒｃｅを転送する該当基地局の具現が該当セル内の他の端末と共にｂｅａｍｆｏｒｍｅｄ  ＣＳＩ−ＲＳ  ｒｅｓｏｕｒｃｅ共有を運用しているか否かによって、前記ｈｙｂｒｉｄ用ＣＳＩ  ｐｒｏｃｅｓｓ内に全体的にＭＲ−ＯＮまたはＭＲ−ＯＦＦを選択的に設定できるようにすることによって、不必要なシグナリングの複雑度を除去し、具現の容易性を支援する長所がある。
【０４３３】
ｉｉ）または、第１のＣＳＩ−ＲＳ  ｃｏｎｆｉｇｕｒａｔｉｏｎを特定するための’ＣＳＩ−ＲＳ−ＣｏｎｆｉｇＢｅａｍｆｏｒｍｅｄ’はＮＺＰ    ＣＳＩ−ＲＳ  ｃｏｎｆｉｇｕｒａｔｉｏｎを（１〜８）個（すなわち、Ｋ個）含むことができ（そのうち、特定の１つは第２のＣＳＩ−ＲＳ  ｃｏｎｆｉｇｕｒａｔｉｏｎに適用されることが以下の説明方法のうちの１つによって予め定義または設定される）、前述したように、このうちのいずれか１つ（例えば、最下位インデックス１または最上位インデックス８が与えられたＮＺＰ  ＣＳＩ−ＲＳ  ｃｏｎｆｉｇｕｒａｔｉｏｎ、または前記デフォルト（ｄｅｆａｕｌｔ）設定されたＮＺＰ  ＣＳＩ−ＲＳ  ｃｏｎｆｉｇｕｒａｔｉｏｎ）が第２のＣＳＩ−ＲＳ  ｃｏｎｆｉｇｕｒａｔｉｏｎに該当すると予め定義されるか、またはＵＥに設定できる。
【０４３４】
この場合、チャンネル測定制限（ＭＲ）の活性／不活性（ＯＮ／ＯＦＦ）を指示するＲＲＣパラメータ（’ｃｈａｎｎｅｌＭｅａｓＲｅｓｔｒｉｃｔｉｏｎ’）が第１のＣＳＩ−ＲＳ  ｃｏｎｆｉｇｕｒａｔｉｏｎ（すなわち、第１のｅＭＩＭＯ−ｔｙｐｅ）と第２のＣＳＩ−ＲＳ  ｃｏｎｆｉｇｕｒａｔｉｏｎ（すなわち、第２のｅＭＩＭＯ−ｔｙｐｅ）が常に共通的に設定できる。
【０４３５】
ｉｉｉ）または、第２のＣＳＩ−ＲＳ  ｃｏｎｆｉｇｕｒａｔｉｏｎは常に前記デフォルトでＵＥに設定されるＮＺＰ  ＣＳＩ−ＲＳ  ｃｏｎｆｉｇｕｒａｔｉｏｎが同一であると定義できる。そして、第１のＣＳＩ−ＲＳ  ｃｏｎｆｉｇｕｒａｔｉｏｎを特定するための’ＣＳＩ−ＲＳ−ＣｏｎｆｉｇＢｅａｍｆｏｒｍｅｄ’はＮＺＰ  ＣＳＩ−ＲＳ  ｃｏｎｆｉｇｕｒａｔｉｏｎを（１〜８）個（すなわち、Ｋ個）含むこともできる。
【０４３６】
以上で言及されたパラメータＫの範囲は例示であり、より大きい範囲を有するＫ値が支援されることもできることは自明である。
【０４３７】
このように、’ｈｙｂｒｉｄ  ＣＳＩ’が設定されることによって、ＵＥがＣｏＭＰ動作を共にサービスを受ける時、ＵＥをサービスする最大ＴＰの個数を制限しないように１つのＣＳＩ  ｐｒｏｃｅｓｓが１つの転送ポイント（ＴＰ：ｔｒａｎｓｍｉｓｓｉｏｎ  ｐｏｉｎｔ）のために使われるようにするために、ｈｙｂｒｉｄ  ＣＳＩがより効果的でありうる。
【０４３８】
また、ｈｙｂｒｉｄ  ＣＳＩがＵＥに設定されることによって、ＵＥに２つのＣＳＩ  ｐｒｏｃｅｓｓが個別的に設定されることに対比してアップリンクシグナリングオーバーヘッドを減らすことができる効果がある。
【０４３９】
例えば、ＵＥに２つのＣＳＩ  ｐｒｏｃｅｓｓが個別的に設定され、全てＣｌａｓｓ  ＢタイプのＣＳＩ報告に設定される場合を仮定する。一例に、第１のＣＳＩ  ｐｒｏｃｅｓｓのＣＳＩ−ＲＳ資源は相対的に長期（ｌｏｎｇ−ｔｅｒｍ）に設定され、第２のＣＳＩ  ｐｒｏｃｅｓｓのＣＳＩ−ＲＳ資源は相対的に短期（ｓｈｏｒｔ−ｔｅｒｍ）に設定できる。この場合、既存のＣＳＩ報告方式によれば、ＵＥは第１のＣＳＩ  ｐｒｏｃｅｓｓに対してＢＩ（または、ＣＲＩ）だけでなく、ＢＩ（または、ＣＲＩ）で指示されるＣＳＩ−ＲＳ資源に対するＲＩ／ＰＭＩ／ＣＱＩをｅＮＢに報告し、また同様に第２のＣＳＩ  ｐｒｏｃｅｓｓに対して設定されたＫ＝１個のＣＳＩ−ＲＳ資源に対するＲＩ／ＰＭＩ／ＣＱＩをｅＮＢに報告するようになる。すなわち、この場合ＵＥは設定された各ＣＳＩ  ｐｒｏｃｅｓｓ別にＢＩ（または、ＣＲＩ）、そして／またはＲＩ／ＰＭＩ／ＣＱＩを全てｅＮＢに報告するようになる。
【０４４０】
一方、ｈｙｂｒｉｄ  ＣＳＩがＵＥに設定された場合、前述した例によれば、第１のＣＳＩ報告タイプ（すなわち、第１のｅＭＩＭＯ−ｔｙｐｅ）はＫ＞１個のＣＳＩ−ＲＳ資源に基づくＣｌａｓｓ  Ｂ  ＣＳＩ報告であるので、ＢＩ（または、ＣＲＩ）のみ報告され（すなわち、ＣＱＩ／ＰＭＩ／ＲＩ無しで）、第２のＣＳＩ報告タイプ（すなわち、第２のｅＭＩＭＯ−ｔｙｐｅ）はＫ＝１個のＣＳＩ−ＲＳ資源に基づくＣｌａｓｓ  Ｂ  ＣＳＩ報告であるので、ＣＱＩ／ＰＭＩ／ＲＩのみ報告できる（すなわち、ＢＩ（または、ＣＲＩ）無しで）。したがって、既存のＣＳＩ報告方式に従ってＵＥに２つのＣＳＩ  ｐｒｏｃｅｓｓが設定されたことと比較してアップリンクシグナリングオーバーヘッドを減らすことができる効果がある。
【０４４１】
また、ｈｙｂｒｉｄ  ＣＳＩがＵＥに設定されることによって、ＵＥに一層多い数のＣＳＩ  ｐｒｏｃｅｓｓが設定できる効果がある。
【０４４２】
例えば、キャリア併合（ＣＡ：Ｃａｒｒｉｅｒ  Ａｇｇｒｅｇａｔｉｏｎ）が適用される場合、１つのコンポーネントキャリア（ＣＣ：Ｃｏｍｐｏｎｅｎｔ  Ｃａｒｒｉｅｒ）に対してＵＥに設定可能なＣＳＩ  ｐｒｏｃｅｓｓの最大個数（例えば、１、３、４）が制限されており、また全体ＣＣに対してＵＥに設定可能なＣＳＩ  ｐｒｏｃｅｓｓの最大個数（例えば、２０）が制限されている。したがって、ｈｙｂｒｉｄ  ＣＳＩをＵＥに設定する場合、既存のＣＳＩ報告方式によってＵＥに２つのＣＳＩ  ｐｒｏｃｅｓｓが設定する場合に比べて該当ＵＥに、その他の追加でより多い数のＣＳＩ  ｐｒｏｃｅｓｓが設定できる。
【０４４３】
一方、前述した前記２つのＣＳＩ  ｐｒｏｃｅｓｓを活用する方法とは、前記のＢＩ及びＣＳＩ  ｒｅｐｏｒｔ動作が２つのＣＳＩ  ｐｒｏｃｅｓｓに個別的に分離できることを意味する。
【０４４４】
この場合、端末はＣＳＩ  ｐｒｏｃｅｓｓ  ＃１に対してもＢＩ（または、ＣＲＩ）だけでなく、ＣＳＩを共にｅＮＢに報告することができる。この際、ｒｅｐｏｒｔｅｄ  ＣＳＩは前記長期（ｌｏｎｇ−ｔｅｒｍ）４個のＣＳＩ−ＲＳ  ２〜５のうち、報告されたＢＩ（または、ＣＲＩ）に該当するＣＳＩ−ＲＳ資源に対して計算されたＣＳＩが報告されるようにする。
【０４４５】
すなわち、このように報告されたＣＳＩのうち、ＣＱＩ値を通じて、現在短期（ｓｈｏｒｔ−ｔｅｒｍ）ＢＦｅｄ（ｂｅａｍｆｏｒｍｅｄ）ＣＳＩ−ＲＳ１に対する報告されたＣＱＩと比較することによって、前記新しく報告されるＢＩ（または、ＣＲＩ）を適用してビーム変更（ｂｅａｍ  ｃｈａｎｇｅ）を加えた時、ある程度ＣＱＩ向上が期待されるかをｅＮＢで予め把握する用途に活用できる。
【０４４６】
または、ｅＮＢの具現によって、このようにＢＩ（または、ＣＲＩ）と共に上がってくるＣＳＩはｅＮＢで無視し、専らＢＩ情報のみを活用することもできる。
【０４４７】
図１３は、本発明の一実施形態に係るチャンネル状態情報送受信方法を例示する図である。
【０４４８】
図１３を参照すると、ＵＥはｅＮＢから第１のＣＳＩ−ＲＳ構成及び第２のＣＳＩ−ＲＳ構成を含む単一のＣＳＩプロセスに対する設定情報を受信する（Ｓ１３０１）。
【０４４９】
すなわち、第１のＣＳＩ−ＲＳ構成及び第２のＣＳＩ−ＲＳ構成を含む単一のＣＳＩプロセスは、前述したｈｙｂｒｉｄ  ＣＳＩ報告タイプが設定されたＣＳＩプロセスに該当することができる。
【０４５０】
例えば、第１のＣＳＩ−ＲＳ構成はビームフォーミングされた（ｂｅａｍｆｏｒｍｅｄ）ＣＳＩ−ＲＳタイプ（すなわち、Ｃｌａｓｓ  Ｂ）の１より大きいＫ個のＣＳＩ−ＲＳ資源と関連したＣＳＩ−ＲＳ構成であり、第２のＣＳＩ−ＲＳ構成はビームフォーミングされた（ｂｅａｍｆｏｒｍｅｄ）ＣＳＩ−ＲＳタイプ（すなわち、Ｃｌａｓｓ  Ｂ）の１つのＣＳＩ−ＲＳ資源と関連したＣＳＩ−ＲＳ構成でありうる。
【０４５１】
第１のＣＳＩ−ＲＳ構成と関連したＫ個のＣＳＩ−ＲＳ資源と第２のＣＳＩ−ＲＳ構成と関連した１つのＣＳＩ−ＲＳ資源は相互独立的に設定できる。
【０４５２】
または、第１のＣＳＩ−ＲＳ構成と関連したＫ個のＣＳＩ−ＲＳ資源のうち、第２のＣＳＩ−ＲＳ構成と関連した１つのＣＳＩ−ＲＳ資源が設定されることもできる。前述したように、例えば、第１のＣＳＩ−ＲＳ構成と関連したＫ個のＣＳＩ−ＲＳ資源のうち、最下位または最上位インデックスが与えられたＣＳＩ−ＲＳ資源に第２のＣＳＩ−ＲＳ構成と関連した１つのＣＳＩ−ＲＳ資源が定まることができる。
【０４５３】
また、前記第１のＣＳＩ−ＲＳ構成と前記第２のＣＳＩ−ＲＳ構成に別個に測定制限（ｍｅａｓｕｒｅｍｅｎｔ  ｒｅｓｔｒｉｃｔｉｏｎ）が適用されるか、または前記第１のＣＳＩ−ＲＳ構成と前記第２のＣＳＩ−ＲＳ構成に共通的に（統合的に）測定制限（ｍｅａｓｕｒｅｍｅｎｔ  ｒｅｓｔｒｉｃｔｉｏｎ）が適用されることもできる。
【０４５４】
ＵＥは第１のＣＳＩ−ＲＳ構成に基づいて導出された指示子（すなわち、ＢＩまたはＣＲＩ）をｅＮＢに報告する（Ｓ１３０２）。
【０４５５】
ＵＥは、第２のＣＳＩ−ＲＳ構成に基づいて導出されたＣＱＩ／ＰＭＩ／ＲＩをｅＮＢに報告する（Ｓ１３０３）。
【０４５６】
ここで、ＵＥは第２のＣＳＩ−ＲＳ構成に基づいてＣＱＩ、ＰＭＩ、ＲＩのうちの１つ以上を導出し、導出されたＣＱＩ、ＰＭＩ、ＲＩのうちの１つ以上をｅＮＢに報告することができる。
【０４５７】
また、前記ＣＱＩ／ＰＭＩ／ＲＩは前記第１のＣＳＩ−ＲＳ構成と独立的に計算できる。すなわち、前記ＣＱＩ／ＰＭＩ／ＲＩを計算するに当たって、前記第１のＣＳＩ−ＲＳ構成と前記第２のＣＳＩ−ＲＳ構成との間に相互従属（ｉｎｔｅｒｄｅｐｅｎｄｅｎｃｅ）が存在しないことがある。
【０４５８】
前述したように、仮に非周期的ＣＳＩ報告がトリガー（ｔｒｉｇｇｅｒ）されれば、第１のＣＳＩ−ＲＳ構成に基づいて導出された指示子（すなわち、ＢＩまたは、ＣＲＩ）と第２のＣＳＩ−ＲＳ構成に基づいて導出されたＣＱＩ／ＰＭＩ／ＲＩが共に基地局に報告できる。すなわち、この場合、ステップＳ１３０２とステップＳ１３０３が共に遂行できる。
【０４５９】
または、仮に非周期的ＣＳＩ報告がトリガー（ｔｒｉｇｇｅｒ）されれば、第１のＣＳＩ−ＲＳ構成に基づいて導出された指示子（すなわち、ＢＩまたは、ＣＲＩ）と第２のＣＳＩ−ＲＳ構成に基づいて導出されたＣＱＩ／ＰＭＩ／ＲＩのうちのいずれか１つのみが基地局に報告できる。この場合、ｅＮＢは１ビット指示子などを用いることによって、第１のＣＳＩ−ＲＳ構成に基づいて導出された指示子（すなわち、ＢＩまたは、ＣＲＩ）と第２のＣＳＩ−ＲＳ構成に基づいて導出されたＣＱＩ／ＰＭＩ／ＲＩのうちのどれかが報告されるべきかＵＥに指示することができる。
【０４６０】
前述したように、仮に周期的ＣＳＩ報告の場合、第１のＣＳＩ−ＲＳ構成に基づいて導出された指示子（すなわち、ＢＩまたは、ＣＲＩ）は指示子報告時点で報告され、前記指示子報告時点の以外のＣＳＩ報告時点で第２のＣＳＩ−ＲＳ構成に基づいて導出されたＣＱＩ／ＰＭＩ／ＲＩが報告できる。
【０４６１】
（本発明が適用できる装置の一般）
【０４６２】
図１４は、本発明の一実施形態に係る無線通信装置のブロック構成図を例示する。
【０４６３】
図１４を参照すると、無線通信システムは基地局１４１０と基地局１４１０領域内に位置した多数の端末１４２０を含む。
【０４６４】
基地局１４１０は、プロセッサ（ｐｒｏｃｅｓｓｏｒ）１４１１、メモリ（ｍｅｍｏｒｙ）１４１２、及びＲＦ部（ｒａｄｉｏ  ｆｒｅｑｕｅｎｃｙ  ｕｎｉｔ）１４１３を含む。プロセッサ１４１１は先の図１から図１３で提案された機能、過程及び／又は方法を具現する。無線インターフェースプロトコルの階層はプロセッサ１４１１により具現できる。メモリ１４１２はプロセッサ１４１１と連結されて、プロセッサ１４１１を駆動するための多様な情報を格納する。ＲＦ部１４１３はプロセッサ１４１１と連結されて、無線信号を送信及び／又は受信する。
【０４６５】
端末１４２０は、プロセッサ１４２１、メモリ１４２２、及びＲＦ部１４２３を含む。プロセッサ１４２１は先の図１から図１３で提案された機能、過程及び／又は方法を具現する。無線インターフェースプロトコルの階層はプロセッサ１４２１により具現できる。メモリ１４２２はプロセッサ１４２１と連結されて、プロセッサ１４２１を駆動するための多様な情報を格納する。ＲＦ部１４２３はプロセッサ１４２１と連結されて、無線信号を送信及び／又は受信する。
【０４６６】
メモリ１４１２、１４２２はプロセッサ１４１１、１４２１の内部または外部にいることができ、よく知られた多様な手段によりプロセッサ１４１１、１４２１と連結できる。また、基地局１４１０及び／又は端末１４２０は１つのアンテナ（ｓｉｎｇｌｅ  ａｎｔｅｎｎａ）または多重アンテナ（ｍｕｌｔｉｐｌｅ  ａｎｔｅｎｎａ）を有することができる。
【０４６７】
以上で説明された実施形態は本発明の構成要素と特徴が所定の形態に結合されたものである。各構成要素または特徴は、別途の明示的な言及がない限り、選択的なものとして考慮されなければならない。各構成要素または特徴は他の構成要素や特徴と結合されない形態に実施できる。また、一部構成要素及び／又は特徴を結合して本発明の実施形態を構成することも可能である。本発明の実施形態で説明される動作の順序は変更可能である。ある実施形態の一部構成や特徴は他の実施形態に含まれることができ、または他の実施形態の対応する構成または特徴と取替えできる。特許請求範囲で明示的な引用関係がない請求項を結合して実施形態を構成するか、または出願後の補正により新たな請求項に含めることができることは明らかである。
【０４６８】
本発明に従う実施形態は多様な手段、例えば、ハードウェア、ファームウエア（ｆｉｒｍｗａｒｅ）、ソフトウェア、またはそれらの結合などにより具現できる。ハードウェアによる具現の場合、本発明の一実施形態は１つまたはその以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現できる。
【０４６９】
ファームウエアやソフトウェアによる具現の場合、本発明の一実施形態は以上で説明された機能または動作を遂行するモジュール、手続、関数などの形態に具現できる。ソフトウェアコードは、メモリに格納されてプロセッサにより駆動できる。前記メモリは、前記プロセッサ内部または外部に位置し、既に公知された多様な手段により前記プロセッサとデータをやり取りすることができる。
【０４７０】
本発明は、本発明の必須的特徴を逸脱しない範囲で他の特定の形態に具体化できることは当業者に明らかである。したがって、前述した詳細な説明は全ての面から制約的に解析されてはならず、例示的なものとして考慮されなければならない。本発明の範囲は添付の請求項の合理的解析により決定されなければならず、本発明の等価的範囲内での全ての変更は本発明の範囲に含まれる。
【産業上の利用可能性】
【０４７１】
本発明は３ＧＰＰ  ＬＴＥ／ＬＴＥ−Ａシステムに適用される例を中心として説明したが、３ＧＰＰ  ＬＴＥ／ＬＴＥ−Ａシステムの他にも多様な無線通信システムに適用可能である。
【図１】
2018528698.tif 000025
【図２】
2018528698.tif 000026
【図３】
2018528698.tif 000027
【図４】
2018528698.tif 000028
【図５】
2018528698.tif 000029
【図６】
2018528698.tif 000030
【図７】
2018528698.tif 000031
【図８】
2018528698.tif 000032
【図９】
2018528698.tif 000033
【図１０】
2018528698.tif 000034
【図１１】
2018528698.tif 000035
【図１２】
2018528698.tif 000036
【図１３】
2018528698.tif 000037
【図１４】
2018528698.tif 000038
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
無線通信システムにおけるチャンネル状態情報（ＣＳＩ）を端末が転送する方法であって、前記方法は、
基地局から、ビームフォーミングされたチャンネル状態情報−参照信号（ＣＳＩ−ＲＳ）タイプの１より大きいＫ個のＣＳＩ−ＲＳ資源と関連した第１のＣＳＩ−ＲＳ構成と、ビームフォーミングされたＣＳＩ−ＲＳタイプの１つのＣＳＩ−ＲＳ資源と関連した第２のＣＳＩ−ＲＳ構成とを含む単一のＣＳＩプロセスに対する設定情報を受信することと、
前記Ｋ個のＣＳＩ−ＲＳ資源から選択されたＣＳＩ−ＲＳ資源を指示する指示子を前記基地局に報告することと、
前記１つのＣＳＩ−ＲＳ資源に基づいて導出されたＣＳＩを前記基地局に報告することと
を含む、方法。
【請求項２】
前記１つのＣＳＩ−ＲＳ資源は、前記Ｋ個のＣＳＩ−ＲＳ資源のうち、最下位または最上位インデックスが割り当てられたＣＳＩ−ＲＳ資源として決定される、請求項１に記載の方法。
【請求項３】
前記ＣＳＩは、前記第１のＣＳＩ−ＲＳ構成と独立的に計算される、請求項１に記載の方法。
【請求項４】
非周期的ＣＳＩ報告がトリガーされるとき、前記指示子と前記ＣＳＩとが共に前記基地局に報告される、請求項１に記載の方法。
【請求項５】
非周期的ＣＳＩ報告がトリガーされるとき、前記指示子及び前記ＣＳＩのうち、いずれか１つのみが前記基地局に報告される、請求項１に記載の方法。
【請求項６】
前記非周期的ＣＳＩ報告がトリガーされるとき、前記指示子及び前記ＣＳＩのうちのどちらが報告されるべきか指示される、請求項５に記載の方法。
【請求項７】
周期的ＣＳＩ報告において、前記指示子は、指示子報告時点で報告され、前記ＣＳＩは、前記指示子報告時点以外のＣＳＩ報告時点で報告される、請求項１に記載の方法。
【請求項８】
測定制限が、前記第１のＣＳＩ−ＲＳ構成と前記第２のＣＳＩ−ＲＳ構成とに個別的に適用される、請求項１に記載の方法。
【請求項９】
測定制限が、前記第１のＣＳＩ−ＲＳ構成と前記第２のＣＳＩ−ＲＳ構成とに共通的に適用される、請求項１に記載の方法。
【請求項１０】
無線通信システムにおけるチャンネル状態情報（ＣＳＩ）を転送する端末であって、前記端末は、
無線信号を送受信するためのＲＦ（Ｒａｄｉｏ  Ｆｒｅｑｕｅｎｃｙ）ユニットと、
前記ＲＦユニットを制御するプロセッサと
を含み、
前記プロセッサは、
基地局から、ビームフォーミングされたチャンネル状態情報−参照信号（ＣＳＩ−ＲＳ）タイプの１より大きいＫ個のＣＳＩ−ＲＳ資源と関連した第１のＣＳＩ−ＲＳ構成と、ビームフォーミングされたＣＳＩ−ＲＳタイプの１つのＣＳＩ−ＲＳ資源と関連した第２のＣＳＩ−ＲＳ構成とを含む単一のＣＳＩプロセスに対する設定情報を受信することと、
前記Ｋ個のＣＳＩ−ＲＳ資源から選択されたＣＳＩ−ＲＳ資源を指示する指示子を前記基地局に報告することと、
前記１つのＣＳＩ−ＲＳ資源に基づいて導出されたＣＳＩを前記基地局に報告することと
を行うように構成される、端末。
【請求項１１】
前記端末は、前記第１のＣＳＩ−ＲＳ構成に対していかなるＣＳＩも転送しない、請求項１に記載の方法。
【請求項１２】
前記ＣＳＩは、チャンネル品質指示子（ＣＱＩ）、プリコーディング行列指示子（ＰＭＩ）、および／または、ランク指示子（ＲＩ）を含む、請求項１に記載の方法。
【手続補正２】
【補正対象書類名】明細書
【補正対象項目名】００１６
【補正方法】変更
【補正の内容】
【００１６】
好ましくは、前記第１のＣＳＩ−ＲＳ構成と前記第２のＣＳＩ−ＲＳ構成に共通的に測定制限（ｍｅａｓｕｒｅｍｅｎｔ  ｒｅｓｔｒｉｃｔｉｏｎ）が適用できる。
例えば、本願は以下の項目を提供する。
（項目１）
無線通信システムにおける端末がチャンネル状態情報（ＣＳＩ：Ｃｈａｎｎｅｌ  Ｓｔａｔｅ  Ｉｎｆｏｒｍａｔｉｏｎ）を転送する方法であって、
基地局からビームフォーミングされた（ｂｅａｍｆｏｒｍｅｄ）ＣＳＩ−ＲＳタイプの１より大きいＫ個のＣＳＩ−ＲＳ資源と関連した第１チャンネル状態情報−参照信号（ＣＳＩ−ＲＳ：ＣＳＩ−ｒｅｆｅｒｅｎｃｅ  Ｓｉｇｎａｌ）構成とビームフォーミングされた（ｂｅａｍｆｏｒｍｅｄ）ＣＳＩ−ＲＳタイプの１つのＣＳＩ−ＲＳ資源と関連した第２のＣＳＩ−ＲＳ構成を含む単一のＣＳＩプロセスに対する設定情報を受信するステップと、
前記Ｋ個のＣＳＩ−ＲＳ資源のうちから選択されたＣＳＩ−ＲＳ資源を指示する指示子を前記基地局に報告するステップと、
前記１つのＣＳＩ−ＲＳ資源に基づいて導出されたチャンネル品質指示子（ＣＱＩ：Ｃｈａｎｎｅｌ  Ｑｕａｌｉｔｙ  Ｉｎｄｉｃａｔｏｒ）／プリコーディング行列指示子（ＰＭＩ：Ｐｒｅｃｏｄｉｎｇ  Ｍａｔｒｉｘ  Ｉｎｄｉｃａｔｏｒ）／ランク指示子（ＲＩ：Ｒａｎｋ  Ｉｎｄｉｃａｔｏｒ）を前記基地局に報告するステップと、
を含む、チャンネル状態情報転送方法。
（項目２）
前記１つのＣＳＩ−ＲＳ資源は、前記Ｋ個のＣＳＩ−ＲＳ資源のうち、最下位または最上位インデックスが与えられたＣＳＩ−ＲＳ資源に定まる、項目１に記載のチャンネル状態情報転送方法。
（項目３）
前記ＣＱＩ／ＰＭＩ／ＲＩは、前記第１のＣＳＩ−ＲＳ構成と独立的に計算される、項目１に記載のチャンネル状態情報転送方法。
（項目４）
非周期的ＣＳＩ報告がトリガー（ｔｒｉｇｇｅｒ）されれば、前記指示子と前記ＣＱＩ／ＰＭＩ／ＲＩが共に前記基地局に報告される、項目１に記載のチャンネル状態情報転送方法。
（項目５）
非周期的ＣＳＩ報告がトリガー（ｔｒｉｇｇｅｒ）されれば、前記指示子及び前記ＣＱＩ／ＰＭＩ／ＲＩのうち、いずれか１つのみが前記基地局に報告される、項目１に記載のチャンネル状態情報転送方法。
（項目６）
前記非周期的ＣＳＩ報告がトリガー（ｔｒｉｇｇｅｒ）される時、前記指示子及び前記ＣＱＩ／ＰＭＩ／ＲＩのうちのどれが報告されるべきか指示される、項目５に記載のチャンネル状態情報転送方法。
（項目７）
周期的ＣＳＩ報告の場合、指示子報告時点で前記指示子が報告され、前記指示子報告時点の以外のＣＳＩ報告時点で前記ＣＱＩ／ＰＭＩ／ＲＩが報告される、項目１に記載のチャンネル状態情報転送方法。
（項目８）
前記第１のＣＳＩ−ＲＳ構成と前記第２のＣＳＩ−ＲＳ構成に個別的に測定制限（ｍｅａｓｕｒｅｍｅｎｔ  ｒｅｓｔｒｉｃｔｉｏｎ）が適用される、項目１に記載のチャンネル状態情報転送方法。
（項目９）
前記第１のＣＳＩ−ＲＳ構成と前記第２のＣＳＩ−ＲＳ構成に共通的に測定制限（ｍｅａｓｕｒｅｍｅｎｔ  ｒｅｓｔｒｉｃｔｉｏｎ）が適用される、項目１に記載のチャンネル状態情報転送方法。
（項目１０）
無線通信システムにおけるチャンネル状態情報（ＣＳＩ：Ｃｈａｎｎｅｌ  Ｓｔａｔｅ  Ｉｎｆｏｒｍａｔｉｏｎ）を転送する端末であって、
無線信号を送受信するためのＲＦ（Ｒａｄｉｏ  Ｆｒｅｑｕｅｎｃｙ）ユニットと、
前記ＲＦユニットを制御するプロセッサとを含み、
前記プロセッサは基地局からビームフォーミングされた（ｂｅａｍｆｏｒｍｅｄ）ＣＳＩ−ＲＳタイプの１より大きいＫ個のＣＳＩ−ＲＳ資源と関連した第１チャンネル状態情報−参照信号（ＣＳＩ−ＲＳ：ＣＳＩ−Ｒｅｆｅｒｅｎｃｅ  Ｓｉｇｎａｌ）構成とビームフォーミングされた（ｂｅａｍｆｏｒｍｅｄ）ＣＳＩ−ＲＳタイプの１つのＣＳＩ−ＲＳ資源と関連した第２のＣＳＩ−ＲＳ構成を含む単一のＣＳＩプロセスに対する設定情報を受信し、
前記Ｋ個のＣＳＩ−ＲＳ資源のうちから選択されたＣＳＩ−ＲＳ資源を指示する指示子を前記基地局に報告し、
前記１つのＣＳＩ−ＲＳ資源に基づいて導出されたチャンネル品質指示子（ＣＱＩ：Ｃｈａｎｎｅｌ  Ｑｕａｌｉｔｙ  Ｉｎｄｉｃａｔｏｒ）／プリコーディング行列指示子（ＰＭＩ：ｐｒｅｃｏｄｉｎｇ  Ｍａｔｒｉｘ  Ｉｎｄｉｃａｔｏｒ）／ランク指示子（ＲＩ：Ｒａｎｋ  Ｉｎｄｉｃａｔｏｒ）を前記基地局に報告するように構成される、端末。
【国際調査報告】
2018528698.tif 000039
2018528698.tif 000040
2018528698.tif 000041
2018528698.tif 000042